(57)【要約】  主たる基地局と、該主たる基地局とは異なる他の基地局とを含む複数の基地局と、移動局との間で協調通信を行う無線通信システムであって、協調通信において送信側となる局と受信側となる局との組を確立する際に、協調通信の受信側となる局が、他局からの要求信号応じて送信側となる局からの既知信号であるパイロットを測定した結果に関する情報を、主たる基地局に送信する。
2013024522.tif 000002
【特許請求の範囲】
【請求項１】
主たる基地局と、該主たる基地局とは異なる他の基地局とを含む複数の基地局と、移動局との間で協調通信を行う無線通信システムであって、
前記協調通信において送信側となる局と受信側となる局との組を確立する際に、前記協調通信の受信側となる局が、他局からの要求信号応じて前記送信側となる局からの既知信号であるパイロットを測定した結果に関する情報を、前記主たる基地局に送信する、無線通信システム。
【請求項２】
前記測定した結果に関する情報を受信した主たる基地局は、該測定した結果に関する情報を基に前記協調通信の実施を通知する、請求項１に記載の無線通信システム。
【請求項３】
前記協調通信の受信側となる局が前記主たる基地局に対して送信する前記測定した結果に関する情報は、前記協調通信の受信側となる局が前記既知信号を受信したタイミングを含む、請求項１又は２に記載の無線通信システム。
【請求項４】
前記協調通信の受信側となる局が前記主たる基地局に対して送信する前記測定した結果に関する情報は、前記協調通信の受信側となる局が前記既知信号を受信したタイミングを含み、
前記測定した結果に関する情報を受信した主たる基地局は、前記測定した結果に関する情報に含まれる既知信号を受信したタイミングに基づいて求められる前記送信側となる局間における前記既知信号の受信時間差に基づいて前記送信側となる局及び受信側となる局に対して、前記協調通信の実施を通知する、請求項１に記載の無線通信システム。
【請求項５】
前記測定した結果に関する情報を受信した主たる基地局は、前記測定した結果に関する情報に応じて前記送信側となる局及び受信側となる局に対して、前記測定した結果に関する情報に応じた無線フレームの構造を表す情報を通知する、請求項１ないし４のいずれか１項に記載の無線通信システム。
【請求項６】
主たる基地局と、該主たる基地局とは異なる他の基地局とを含む複数の基地局と、移動局との間で協調通信を行う無線通信システムにおける通信方法であって、
前記協調通信において送信側となる局と受信側となる局との組を確立する際に、前記協調通信の受信側となる局が、他局からの要求信号に応じて前記送信側となる局からの既知信号であるパイロットを測定した結果に関する情報を、前記主たる基地局に送信する、通信方法。
【請求項７】
前記送信側となる局が、前記受信側となる局からの協調通信を要求する信号に従って、前記受信側となる局に対して要求信号を送信する、請求項１に記載の無線通信システム。
【請求項８】
前記協調通信の実施を通知した主たる基地局は、該協調通信の実施を通知した送信側となる局に、受信側となる局に送信すべきデータを送信する、請求項２に記載の無線通信システム。
【請求項９】
前記協調通信の実施を通知した主たる基地局は、該協調通信の実施を通知した送信側となる局に、受信側となる局に送信すべきデータを送信する、請求項２に記載の無線通信システム。
【請求項１０】
前記主たる基地局は、前記移動局と接続されている基地局である、請求項１に記載の無線通信システム。
【請求項１１】
前記測定した結果に関する情報には、無線回線品質を表す情報が含まれる、請求項１に記載の無線通信システム。
【請求項１２】
前記協調通信の実施を通知した主たる基地局は、該協調通信の実施を通知した送信側となる局に、無線リソースを表す情報、伝送タイミングを表す情報を送信する、請求項２に記載の無線通信システム。
【請求項１３】
前記無線フレームの構造を表す情報には、サイクリックプリフィックスの長さを表す情報が含まれる、請求項５に記載の無線通信システム。
【発明の詳細な説明】
【技術分野】
【０００１】
本発明は、無線通信システムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）システム及びＬＴＥ−Ａｄｖａｎｃｅｄシステムの仕様が検討されている。【０００３】
日本では、ＬＴＥはＬＴＥ  Ｒｅｌ'８として仕様が策定されており、２０１０年１２月にサービスが開始されている。【０００４】
また、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の機能が追加されたＬＴＥ  Ｒｅｌ'９の仕様も策定されている。ＬＴＥシステムの発展形であるＬＴＥ−Ａｄｖａｎｃｅｄシステムの仕様がＬＴＥ  Ｒｅｌ'１０として検討され、仕様の策定が進められている。【０００５】
さらに、ＬＴＥ  Ｒｅｌ'１１の検討も開始されている。ＬＴＥ  Ｒｅｌ'１１で導入が検討されている技術に一つに、セル間協調送受信（ＣｏＭＰ：  Ｃｏｏｒｄｉｎａｔｅ  Ｍｕｌｔｉ  Ｐｏｉｎｔ  ｔｒａｎｓｍｉｓｓｉｏｎ  ａｎｄ  ｒｅｃｅｐｔｉｏｎ）技術が知られている（例えば、非特許文献１参照）。以下、セル間協調送受信を、「ＣｏＭＰ伝送」という。【０００６】
ＣｏＭＰ伝送について説明する。【０００７】
ＣｏＭＰ伝送は、複数の基地局とユーザ端末との間の通信において、複数の基地局が協調し送受信を行うものである。ＣｏＭＰは、協調通信と呼ばれることもある。なお、断りのない限り、ＣｏＭＰと協調通信とは同義として扱う。【０００８】
また、ＣｏＭＰ伝送の目的は、Ｎｅｔｗｏｒｋ  ＭＩＭＯ、空間多重（ＳＤＭ：  Ｓｐａｔｉａｌ  Ｄｉｖｉｓｉｏｎ  Ｍｕｌｔｉｐｌｅｘ）、干渉制御（ＩＣＩＣ：  Ｉｎｔｅｒ  Ｃｅｌｌ  Ｉｎｔｅｒｆｅｒｅｎｃｅ  Ｃｏｏｒｄｉｎａｔｉｏｎ  又は、Ｉｎｔｅｒ  Ｃｅｌｌ  Ｉｎｔｅｒｆｅｒｅｎｃｅ  Ｃａｎｃｅｌａｔｉｏｎ）であることが知られている（例えば、非特許文献２参照）。【０００９】
従って、ＣｏＭＰ伝送の目的に応じて、以下のような実施形態が検討されている。【００１０】
例えば、下りリンク伝送では、ＪＰ（Ｊｏｉｎｔ  Ｐｒｏｃｅｓｓｉｎｇ）と、ＣＳ／ＣＢ（Ｃｏｏｒｄｉｎａｔｅ  Ｓｃｈｅｄｕｌｉｎｇ／Ｃｏｏｒｄｉｎａｔｅ  Ｂｅａｍｆｏｒｍｉｎｇ）が検討されている。上りリンク伝送では、ＪＲ（Ｊｏｉｎｔ  Ｒｅｃｅｐｔｉｏｎ）と、ＣＳ（Ｃｏｏｒｄｉｎａｔｅ  Ｓｃｈｅｄｕｌｉｎｇ）が検討されている（例えば、非特許文献３参照）。【００１１】
ＪＰでは、複数の基地局からデータが伝送される。ＪＰでは、ＪＴ（Ｊｏｉｎｔ  Ｔｒａｎｓｍｉｓｓｉｏｎ）と、Ｄｙｎａｍｉｃ  Ｃｅｌｌ  Ｓｅｌｅｃｔｉｏｎ（以後、「ＤＣＳ」という）等が考えられている。【００１２】
ＣＳ／ＣＢでは、例えば、あるセルをカバーする第１の基地局と、該第１の基地局によりカバーされるセルに隣接するセルをカバーする第２の基地局又は該第１の基地局によりカバーされるセルに重なるセルをカバーする第２の基地局との間で、セル端に位置する端末に対する送信のためのスケジューリングが協調して行われる。【００１３】
協調してスケジューリングが行われることにより干渉を低減したり、協調してアンテナビーム（以後ビームと略す）が作成（ビームフォーミング）されることにより干渉を低減したりすることができる。前者をＣＳといい、後者をＣＢという。【００１４】
ＪＲでは、複数の基地局で構成される受信側間で、ユーザ端末（送信側）からの電波を協調して受信処理を実施したり、又は一緒の受信処理を実施したりする技術である。【００１５】
例えば、ＪＲには、ネットワークを介して、複数の基地局でＭＩＭＯ受信を実施する場合や、基地局間受信ダイバーシチを実施する場合が含まれる。【００１６】
ＤＣＳは、ある時間において、ＣｏＭＰ  Ｃｏｏｐｅｒａｔｉｎｇ  ｓｅｔの内、一つから送信する。ＣｏＭＰ  Ｃｏｏｐｅｒａｔｉｎｇ  ｓｅｔとは、複数の送信ポイントから、同時に、同一データ又は異なるデータを送信する送信ポイントの組である。ＤＣＳは、干渉制御又はＩＣＩＣの一手法である。【００１７】
具体的には、ある時間Ｔでは一方の基地局からあるユーザ端末へ送信し、時間Ｔ＋１では他方の基地局から同一ユーザ端末へ送信する。つまり、時間Ｔ＋１では他方の基地局から異なるユーザ端末へ送信するようにしてもよい。このように、時間で送信元となる基地局を分けることにより干渉を低減することができる。【００１８】
ＪＴは、1つのユーザ端末へ、複数の送信ポイントから、同時に、同一又は異なるデータが送信される。送信ポイントの組は、ＣｏＭＰ  ｃｏｏｐｅｒａｔｉｎｇ  ｓｅｔと呼ばれる。また、送信ポイント間で協調して送信されることにより、ユーザ端末における受信特性が改善する。また、他のユーザ端末からの干渉が低減するようにプリコーディング（Ｐｒｅｃｏｄｉｎｇ）が実施されてもよい。【００１９】
基地局間で異なるデータが伝送される場合は、Ｎｅｔｗｏｒｋ  ＭＩＭＯと呼ばれる。Ｎｅｔｗｏｒｋ  ＭＩＭＯにより下り伝送速度を高速化することができる。また、同一のデータを伝送した場合は、下りリンクの伝送品質を改善することができる。【００２０】
ＪＴは、複数のセクタを構成する基地局におけるセクタ間や、異なる基地局間で実施することが検討されている。【００２１】
上述したＣｏＭＰ伝送と、一般的なマクロダイバーシチとは異なる。一般的なマクロダイバーシチには、基地局間送信ダイバーシチが含まれる。
１）Ｗ−ＣＤＭＡや、ＰＤＣ等の無線通信システムの下りリンクのデータ伝送で実施されているＤＨＯ（Ｄｉｖｅｒｓｉｔｙ  Ｈａｎｄｏｖｅｒ）、ＳＨＯ（Ｓｏｆｔ  Ｈａｎｄｏｖｅｒ）、マクロダイバーシチは、複数の基地局へ、同一のデータを送信することが前提である。複数の基地局へ同一のデータを送信することが前提であるため、予め複数の基地局へ同一のデータが上位から配信されている。【００２２】
従って、基地局間で送信すべきデータを伝送（転送）する必要はない。【００２３】
一方、ＣｏＭＰ伝送では、サービング基地局にのみデータが上位から伝送される。従って、サービング基地局から、ノンサービング基地局へ、データを転送しなければならない。
２）上位装置から、ノンサービング基地局へデータが送信されるわけではない。通常、下りリンクのデータ伝送においては、上位装置を介して基地局へデータが伝送される。上位装置から基地局へ誤りなく伝送された場合は、上位装置では、該基地局へ伝送したデータは消去される。従って、ノンサービング基地局へ、上位装置から基地局へ誤りなく伝送されたデータを伝送することはできない。よって、下りＣｏＭＰ伝送の場合、サービング基地局からノンサービング基地局へ下り送信データを伝送する必要がある。
３）マクロダイバーシチ等では、システムとしてマクロダイバーシチ等を実施するか否かの選択が行われる。つまり、基地局が個別に、マクロダイバーシチ等を実施するか否かを判断することはできない。一方、ＣｏＭＰ伝送は、基地局によって実施ができるか否かを判断することができる。【００２４】
また、ＬＴＥシステムにおいては、ＣＰ（Ｃｙｃｌｉｃ  Ｐｒｅｆｉｘ）として、Ｎｏｒｍａｌ  ＣＰと、Ｅｘｔｅｎｄｅｄ  ＣＰの２種類が規定されている（例えば、非特許文献４）。【００２５】
具体的には例えば下りリンクのＮｏｒｍａｌ  ＣＰは、以下のように計算される。【００２６】
Ｎｏｒｍａｌ  ｃｙｃｉｃ  Ｐｒｅｆｉｘ
Ｔｃｐ＝１６０×Ｔｓ（１ｓｔのシンボル）
Ｔｃｐ＝１４４×Ｔｓ（２ｎｄシンボルから６ｔｈシンボル）
Ｅｘｔｅｎｄｅｄ  ｃｙｃｌｉｃ  ｐｒｅｆｉｘ
Ｔｃｐ＝５１２×Ｔｓ（１ｓｔシンボルから６ｔｈシンボル）
ここで、「Ｔｃｐ」はＣＰの長さＣＰ長である。ＣＰ長は時間で表されてもよい。【００２７】
Ｔｓ＝１／（２０４８×Δｆ）＝３２．５５２［ｎｓｅｃ］
よって、Δｆ＝１５ｋＨｚの場合、Ｎｏｒｍａｌ  ＣＰは５．２１［μｓｅｃ］又は４．６９［μｓｅｃ］となり、Ｅｘｔｅｎｄｅｄ  ＣＰは１６．６７［μｓｅｃ］となる。なお、以下の説明では、簡単のためにＮｏｒｍａｌ  ＣＰは４．６９［μｓｅｃ］として説明するが、５．２１［μｓｅｃ］の場合も同様である。【００２８】
Ｅｘｔｅｎｄｅｄ  ＣＰは、伝搬遅延が大きくなっても通信品質が劣化しないように、Ｎｏｒｍａｌ  ＣＰよりも時間的に長く設定したものである。そのため、郊外などのセル半径の大きな場合や、ＭＢＭＳデータを伝送し、複数の基地局からの送信波をより多く受信し合成するＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）で用いられる。また、Ｎｏｒｍａｌ  ＣＰを用いるのか、Ｅｘｔｅｎｄｅｄ  ＣＰを用いるのかは、システム情報として基地局から報知される。例えば、ＬＴＥシステムでは、サブフレーム単位で通信が規定されており、ＭＢＳＦＮを送信するサブフレームと通常のデータを送信する通常サブフレームが時間多重されて使用される。ユーザ端末が複数の基地局から送信されたＭＢＳＦＮサブフレームを受信し合成できるようにするために、Ｅｘｔｅｎｄｅｄ  ＣＰを用いる。ＭＢＳＦＮサブフレームの送信に際しては、事前にサブフレームがＭＢＳＦＮサブフレームであるか否かがユーザ端末へ通知されているため、ユーザ端末はＮｏｒｍａｌ  ＣＰかＥｘｔｅｎｄｅｄ  ＣＰかを識別することができる。また、送信側でも選択したサブフレームにおいてＥｘｔｅｎｄｅｄ  ＣＰを用いてＭＢＭＳデータがＭＢＳＦＮサブフレームで送信される。このように、使用するＣＰは既に制御可能である。【００２９】
なお、ＬＴＥシステムでは、１０ｍｓｅｃの無線フレームを２０ｓｌｏｔ（０．５ｍｓｅｃ）に分割し、２ｓｌｏｔで１サブフレーム（１．０ｍｓｅｃ）を構成している。
【先行技術文献】
【非特許文献】
【００３０】
【非特許文献１】ＴＲ３６．９１２  Ｖ９．３．０  "Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ−ＵＴＲＡＮ（ＬＴＥ−Ａｄｖａｎｃｅｄ）（Ｒｅｌｅａｓｅ  ９）"
【非特許文献２】ＴＲ３６．８１４  Ｖ９．０．０  "Ｆｕｒｔｈｅｒ  Ａｄｖａｎｃｅｍｅｎｔｓ  ｆｏｒ  Ｅ−ＵＴＲＡＮ  Ｐｈｙｓｉｃａｌ  Ｌａｙｅｒ  Ａｓｐｅｃｔｓ（Ｒｅｌｅａｓｅ  ９）"
【非特許文献３】ＴＲ３６．９１２  Ｖ９．３．０  "Ａｎｎｅｘ  Ａ：  Ｓｉｍｕｌａｔｉｏｎ  ｍｏｄｅｌ  Ａ．２  ＣｏＭＰ  ａｓｓｕｍｐｔｉｏｎ  ｆｏｒ  ｅｖａｌｕａｔｉｏｎ"、２０１０  ０６
【非特許文献４】ＴＳ３６．２１１  Ｖ８．９．０  "６．２．３  Ｒｅｓｏｕｒｃｅ  ｂｌｏｃｋｓ"、２００９  １２
【発明の概要】
【発明が解決しようとする課題】
【００３１】
仕様には、ＣｏＭＰ伝送の概念については規定されているが、実際に実現しようとした場合に必要となる機能については規定されていない。【００３２】
また、３ＧＰＰにおける検討では、ＣｏＭＰ伝送において、使用されるＣＰについては議論されていない。【００３３】
そこで、本無線通信システム、無線通信方法は、上述した問題点の少なくとも１つを解決するためになされたものであり、その目的は、ＣｏＭＰ伝送を可能にすることにある。
【課題を解決するための手段】
【００３４】
無線通信システムの一実施例は、
主たる基地局と、該主たる基地局とは異なる他の基地局とを含む複数の基地局と、移動局との間で協調通信を行う無線通信システムであって、
前記協調通信において送信側となる局と受信側となる局との組を確立する際に、前記協調通信の受信側となる局が、他局からの要求信号応じて前記送信側となる局からの既知信号であるパイロットを測定した結果に関する情報を、前記主たる基地局に送信する。
【発明の効果】
【００３５】
開示の実施例によれば、ＣｏＭＰ伝送を可能にすることができる。
【図面の簡単な説明】
【００３６】
【図１】無線通信システムの一実施例を示す図である。
【図２】無線通信システムの一実施例を示す図である。
【図３】ＣｏＭＰ伝送の一実施例を示す図である。
【図４】ＣｏＭＰ伝送の一実施例を示す図である。
【図５】ＣｏＭＰ伝送の一実施例を示す図である。
【図６】ＣｏＭＰ伝送の一実施例を示す図である。
【図７】ＣｏＭＰ伝送の一実施例を示す図である。
【図８】ＣｏＭＰ伝送の一実施例を示す図である。
【図９】ＣｏＭＰ伝送の一実施例を示す図である。
【図１０】基地局の一実施例を示す図である。
【図１１】ＣｏＭＰ伝送の一実施例を示す図である。
【図１２】ＣｏＭＰ伝送の一実施例を示す図である。
【図１３】ＣｏＭＰ伝送の一実施例を示す図である。
【図１４】ＣｏＭＰ伝送の一実施例を示す図である。
【図１５】ＣｏＭＰ伝送の一実施例を示す図である。
【図１６】ＣｏＭＰ伝送の一実施例を示す図である。
【図１７】ＣｏＭＰ伝送の一実施例を示す図である。
【図１８】ＣｏＭＰ伝送の一実施例を示す図である。
【図１９】ＣｏＭＰ伝送の一実施例を示す図である。
【図２０】ユーザ端末の一実施例を示す図である。
【図２１】無線通信システムの動作の一実施例を示す図である。
【図２２】基地局の動作の一実施例を示す図である。
【図２３】基地局の一実施例を示す図である。
【図２４】ユーザ端末の一実施例を示す図である。
【図２５】無線通信システムの動作の一実施例を示す図である。
【図２６】基地局の一実施例を示す図である。
【図２７】ユーザ端末の一実施例を示す図である。
【図２８】無線通信システムの動作の一実施例を示す図である。
【図２９】無線通信システムの動作の一実施例を示す図である。
【図３０】基地局の一実施例を示す図である。
【図３１】基地局の一実施例を示す図である。
【図３２】ユーザ端末の一実施例を示す図である。
【図３３】基地局の一実施例を示す図である。
【図３４】無線通信システムの動作の一実施例を示す図である。
【図３５】無線通信システムの動作の一実施例を示す図である。
【図３６】無線通信システムの動作の一実施例を示す図である。
【図３７】無線通信システムの動作の一実施例を示す図である。
【図３８】ユーザ端末の一実施例を示す図である。
【図３９】基地局の一実施例を示す図である。
【図４０】ユーザ端末の一実施例を示す図である。
【図４１】基地局の一実施例を示す図である。
【図４２】無線通信システムの動作の一実施例を示す図である。
【図４３】無線通信システムの動作の一実施例を示す図である。
【図４４】無線通信システムの動作の一実施例を示す図である。
【図４５】無線通信システムの動作の一実施例を示す図である。
【図４６】無線通信システムの動作の一実施例を示す図である。
【図４７】無線通信システムの動作の一実施例を示す図である。
【図４８】無線通信システムの動作の一実施例を示す図である。
【図４９】無線通信システムの動作の一実施例を示す図である。
【発明を実施するための最良の形態】
【００３７】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００３８】
無線通信システムの一実施例について説明する。【００３９】
無線通信システムは、主となる基地局ｅＮＢ１と、該主となる基地局ｅＮＢ１に従属する基地局ｅＮＢ２と、ユーザ端末（ＵＥ：  Ｕｓｅｒ  Ｅｑｕｉｐｍｅｎｔ）とを有する。【００４０】
無線通信システムでは、主となる基地局ｅＮＢ１、及び基地局ｅＮＢ２と、ユーザ端末との間で、ＣｏＭＰ伝送が行われる。【００４１】
主となる基地局ｅＮＢ１はサービング基地局とも呼ばれる。また、主となる基地局ｅＮＢ１に従属する基地局はノンサービング基地局とも呼ばれる。【００４２】
サービング基地局ｅＮＢ１は、ＣｏＭＰ伝送を実施する際に、該ＣｏＭＰ伝送を実施するための制御信号を送信する基地局であってもよい。また、ノンサービング基地局は、ＣｏＭＰ伝送を実施する際に、該ＣｏＭＰ伝送を実施するための制御信号を送信しない基地局であってもよい。【００４３】
サービング基地局ｅＮＢ１は、ＣｏＭＰ伝送を実施する際に、通信している又は接続している基地局であってもよい。また、ノンサービング基地局は、ＣｏＭＰ伝送を実施する際に、該ＣｏＭＰ伝送を実施するために追加された基地局であってもよい。【００４４】
また、サービング基地局は第１の基地局と呼ばれてもよい。また、ノンサービング基地局は第２の基地局と呼ばれてもよい。【００４５】
また、サービング基地局によりカバーされるエリアはサービングセルと呼ばれてもよい。また、ノンサービング基地局によりカバーされるエリアはノンサービングセルと呼ばれてもよい。このように呼ばれる場合、各基地局は、１つの無線通信帯域を有し、１つのサービスエリアを構成する。サービスエリアは、セルとも呼ばれる。サービングセル、ノンサービングセルは、３ＧＰＰにおけるセルの定義に相当するものであってもよい。【００４６】
また、サービング基地局によりカバーされるエリアはサービングセル又はサービングセクタと呼ばれてもよい。また、ノンサービング基地局によりカバーされるエリアはノンサービングセル又はノンサービングセクタと呼ばれてもよい。このように呼ばれる場合、各基地局は、１つの無線帯域を有し、複数のサービスエリアを構成する。サービスエリアは、セル又はセクタとも呼ばれる。また、このように呼ばれる場合、各基地局は、複数の無線帯域を有し、複数のサービスエリアを構成するようにしてもよい。また、ＣｏＭＰ伝送では、サービングセル及びサービングセクタのみ上位から伝送される。従って、サービングセルからノンサービングセルへ、サービングセクタからノンサービングセクタへ、データを転送しなければならない。【００４７】
サービング基地局は、ＣｏＭＰ伝送を制御する。ＣｏＭＰ伝送には、ユーザ端末から基地局への上りリンクの伝送と、基地局からユーザ端末への下りリンクの伝送とが含まれる。また、サービング基地局は、物理下りリンク制御チャネル(ＰＤＣＣＨ：  Ｐｈｙｓｉｃａｌ  Ｄｏｗｎｌｉｎｋ  Ｃｏｎｔｒｏｌ  ＣＨａｎｎｅｌ)を用いて、ユーザ端末へ、ＣｏＭＰ伝送に必要な制御信号を通知する。サービング基地局は、ユーザ端末へ、制御信号を送信する基地局である。サービング基地局は、無線通信システムとして決まるようにしてもよいし、ユーザ端末単位で決まるようにしてもよい。【００４８】
下りリンクのデータは、サービング基地局とノンサービング基地局の両方又はどちらか一方から、物理下りリンク共有チャネル（ＰＤＳＣＨ：  Ｐｈｙｓｉｃａｌ  Ｄｏｗｎｌｉｎｋ  Ｓｈａｒｅｄ  ＣＨａｎｎｅｌ）を用いて、ユーザ端末ＵＥへ、伝送される。【００４９】
上りリンクのデータは、物理上りリンク共有チャネル（ＰＵＳＣＨ：  Ｐｈｙｓｉｃａｌ  Ｕｐｌｉｎｋ  Ｓｈａｒｅｄ  ＣＨａｎｎｅｌ）を用いて、サービング基地局とノンサービング基地局の両方又はどちらか一方に伝送される。【００５０】
共有チャネルとは、共有チャネルの有する無線リソースを、ユーザ端末間で時間及び周波数の少なくとも一方で分割して使用するチャネルである。共通チャネルは、複数のユーザ端末へ、同じデータを送信するために使用されるチャネルであり、共有チャネルとは異なる。ＬＴＥに従って無線通信を行うシステム（以下、「ＬＴＥシステム」という）では、時間方向に６又は７シンボル、周波数方向に１２サブキャリアで構成されるリソースブロック（ＲＢ：  Ｒｅｓｏｕｒｃｅ  Ｂｌｏｃｋ）が定義される。ＬＴＥシステムでは、リソースブロックを最小単位として、各ユーザ端末に無線リソースを割り当てることで無線チャネルの共有を行う。【００５１】
ＣｏＭＰ伝送を開始するための手順について説明する。【００５２】
ユーザ端末ＵＥが、サービング基地局ｅＮＢ１によりカバーされるセルの端（以下、「セル端」という）に移動したとする。このとき、例えば、サービング基地局ｅＮＢ１から送信された電波は、該サービング基地局とユーザ端末との間を伝搬することにより減衰する。サービング基地局ｅＮＢ１から送信された電波を受信するユーザ端末では、必然的に、該電波の受信特性が劣化する。該電波の受信特性が劣化した結果、サービング基地局とユーザ端末との間の伝送特性(伝送速度)が劣化する。伝送特性の劣化により、回線が切れたり、所要伝送速度を満たせなくなったりするなどの障害が発生する場合がある。【００５３】
伝送特性の劣化を改善する方法として、以下の方法が考えられる。【００５４】
ユーザ端末は、サービング基地局以外の他のノンサービング基地局ｅＮＢ２−ｅＮＢｍ（ｍは、ｍ＞１の整数）からの電波の受信電力を測定する。該ユーザ端末は、接続中のサービング基地局ｅＮＢ１からの電波の受信電力と、ノンサービング基地局ｅＮＢ２−ｅＮＢｍからの電波の受信電力とを比較し、最も大きい受信電力である基地局ｅＮＢｎ（ｎは、０＜ｎ＜ｍ＋１の整数）へハンドオーバを実施する。【００５５】
受信電力を測定する際、ユーザ端末ＵＥは、各基地局ｅＮＢ１−ｅＮＢｍから送信されるパイロット信号を受信し、該パイロット信号の受信信号の電力（受信電力）を測定する。ＬＴＥシステムでは、パイロット信号として、参照信号（ＲＳ：  Ｒｅｆｅｒｅｎｃｅ  Ｓｉｇｎａｌ）が利用される。ユーザ端末ＵＥは、参照信号の受信電力を測定するようにしてもよい。ユーザ端末は、サービング基地局へ、受信電力の測定結果を通知する。サービング基地局は、ユーザ端末により通知された受信電力の測定結果に基づいて、該ユーザ端末をハンドオーバさせるか否かを判断する。さらに、サービング基地局は、ユーザ端末をハンドオーバさせると判断した場合、どの基地局へハンドオーバさせるのかを判断する。サービング基地局は、ハンドオーバさせると判断した場合、ハンドオーバ先の基地局と、ユーザ端末に対してハンドオーバを実施することを通知する。サービング基地局により、ハンドオーバ先の基地局と、ユーザ端末へ、ハンドオーバが実施されることが通知されることにより、ハンドオーバが実行される。【００５６】
しかし、ハンドオーバが実行されても、ハンドオーバ先の基地局からの電波の受信電力と、ハンドオーバされる前の基地局からの電波の受信電力との差が小さい場合がある。すなわち、基地局ｅＮＢ１によりカバーされるセルのセル端は、基地局ｅＮＢｎによりカバーされるセルのセル端である可能性が高いためである。受信電力の差が小さいと、ハンドオーバしても伝送特性の改善は小さい。伝搬特性の改善が小さい結果として、ハンドオーバの効果が小さい。すなわち、ハンドオーバを実施しても伝送特性の改善に至らない可能性がある。【００５７】
ＣｏＭＰ伝送を行うことにより、セル端に位置するユーザ端末の伝送特性を改善することができる。【００５８】
ＣｏＭＰ伝送が実行される際には、ユーザ端末は、ハンドオーバの際の処理と同様に、各基地局からの電波の受信電力を測定し、サービング基地局へ、該受信電力の測定結果を通知する。該受信電力の測定結果を受信したサービング基地局ｅＮＢ１は、各基地局からの受信電力に基づいて、ＣｏＭＰを実施する基地局を選択する。ここでは、ＣｏＭＰを実施する基地局として、基地局ｅＮＢｎが選択されたとする。ＣｏＭＰを実施する基地局が選択されることにより、サービング基地局ｅＮＢ１とノンサービング基地局ｅＮＢｎが設定される。【００５９】
ＣｏＭＰを実施する基地局として、接続中の基地局以外の基地局からの受信電力の内、最大の受信電力である基地局を選択してもよい。また、ＣｏＭＰを実施する基地局として、接続中の基地局からの受信電力と他の基地局からの受信電力との受信電力差を算出し、受信電力差が受信電力差閾値以下となる基地局を選択してもよい。【００６０】
無線通信システムの一実施例では、ＣｏＭＰの送信方法が選択され、ＣｏＭＰ伝送が実施される。ＣｏＭＰの送信方法には、ＪＰ、ＣＳ及びＣＢが含まれる。ＪＰには、ＪＴ、Ｄｙｎａｍｉｃ  Ｃｅｌｌ  Ｓｅｌｅｃｔｉｏｎが含まれる。【００６１】
さらに、送信データに付加すべきＣＰが設定される。具体的には、予め設定されたＣＰ長を有するＣＰが設定されてもよい。Ｎｏｒｍａｌ  ＣＰであってもよいし、Ｅｘｔｅｎｄｅｄ  ＣＰであってもよい。また、Ｎｏｒｍａｌ  ＣＰ、Ｅｘｔｅｎｄｅｄ  ＣＰ以外の長さを有するＣＰであってもよい。該ＣＰは、無線通信毎に設定されてもよい。該ＣＰは、無線通信におけるサービス毎に設定されてもよい。該ＣＰは、無線通信システムを提供する事業者毎に設定されてもよい。該ＣＰは、セル毎に設定されてもよい。該ＣＰは、国や地域毎に設定されてもよい。【００６２】
図１は、無線通信システムの一実施例を示す。【００６３】
図１には、無線通信システムの一実施例として、ＪＰが示される。上述したように、ＪＰでは、ユーザ端末ＵＥへ、複数の基地局ＴＰ（Ｔｒａｎｓｍｉｓｓｉｏｎ  ｐｏｉｎｔｓ）からデータが伝送される。図１では、２つのＴＰから、ユーザ端末へ、データが送信される例が示される。２つのＴＰのうちの一方は、サービングセルである。【００６４】
図２は、無線通信システムの一実施例を示す。【００６５】
図２には、無線通信システムの一実施例として、ＣＳ／ＣＢが示される。上述したように、あるセルをカバーする第１の基地局ＴＰ１と、該第１の基地局ＴＰ１によりカバーされるセルに隣接するセルをカバーする第２の基地局ＴＰ２との間で、セル端に位置するユーザ端末ＵＥ１−ＵＥ３に対する送信のためのスケジューリングが協調して行われる。第２の基地局ＴＰ２は、第１の基地局ＴＰ１によりカバーされるセルに重なるセルをカバーするものであってもよい。協調してスケジューリングが行われることにより干渉を低減したり、協調してビームが作成されることにより干渉を低減したりすることができる。【００６６】
受信電力の代わりに、ＣＰＩＣＨ（Ｃｏｍｍｏｎ  Ｐｉｌｏｔ  Ｉｎｄｉｃａｔｏｒ  ＣＨａｎｎｅｌ）  ＲＳＣＰ（Ｒｅｃｅｉｖｅｄ  Ｓｉｇｎａｌ  Ｃｏｄｅ  Ｐｏｗｅｒ）、ＣＰＩＣＨ  ＥＣ／Ｎ０、及びＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を用いて、サービング基地局、ノンサービング基地局が選択されてもよい。受信電力やＲＳＣＰ、ＲＳＲＰ等をまとめて無線回線品質（Ｃｈａｎｎｅｌ  Ｑｕａｌｉｔｙ）としてもよい。また、受信電力やＲＳＣＰ、ＲＳＲＰ等を離散化し無線回線品質情報とし、無線回線品質と同様に扱ってもよい。【００６７】
ここで、Ｗ−ＣＤＭＡシステムと同様に、ＣＰＩＣＨは、基地局がユーザ端末へ送信するパイロット信号を伝送するチャネルであってもよい。ＲＳＣＰは、ＣＰＩＣＨの拡散コードのコード当たりの信号電力であってもよい。また、ＥＣ／Ｎ０とは拡散された信号１ｃｈｉｐ当たりのエネルギーと１Ｈｚ当たりの雑音電力密度の比であり、端的にはＳＮＲと解釈されてもよい。【００６８】
また、ＬＴＥシステムと同様に、ＲＳＲＰは、Ｒｅｆｅｒｅｎｃｅ  Ｓｉｇｎａｌ（一般的には、パイロット信号)の受信電力あってもよく、ＣＰＩＣＨ  ＲＳＣＰ相当と考えてよい。さらに、ＲＳＲＱは、ＣＰＩＣＨ  ＥＣ/Ｎ０相当と考えてよい。【００６９】
無線通信システムでは、受信電力等の無線回線品質を用いて、ＣｏＭＰ伝送を実施するサービング基地局とノンサービング基地局が選択され、ＣｏＭＰ伝送ができるか否かが判断される。【００７０】
例えば、ＣｏＭＰ伝送の１つの方法であるＪＴでは、複数の基地局で構成される送信側で協調又は一緒に、送信信号の処理が実施される。さらに、ＪＴは、基地局間送信ダイバーシチとして実施される場合と、所謂ネットワークＭＩＭＯとして実施される場合とが検討されている。基地局間送信ダイバーシチは、送信サイトダイバーシチ、送信マクロダイバーシチと呼ばれることもある。ネットワークＭＩＭＯは、セクタ間ＭＩＭＯ、基地局間ＭＩＭＯ等と呼ばれることもある。基地局間ＭＩＭＯは、セル間ＭＩＭＯと呼ばれることもある。ここでは、ネットワークＭＩＭＯを一例として説明する。【００７１】
複数の基地局からＭＩＭＯ送信する場合、ユーザ端末において各基地局からの受信タイミングが一致していないとＭＩＭＯ受信を実施することができない。同時に受信することを前提として、ストリームに重み付けと無線チャネル推定により各ストリームの分離を可能にしている。換言すれば、ストリームは、送信データ列である。ここで、ストリームとは、一般的に（特に有線通信サービスの分野)使われるストリームとは異なり、無線伝送、特に空間多重伝送に特化して使用される用語である。例えば送信ダイバーシチのように、同じデータを伝送するのであればストリームが同じであり、ＭＩＭＯ伝送のように異なるデータ列を伝送する場合は、データ列毎に複数のストリームが設定されている。【００７２】
複数の基地局からの信号を同時に受信できない場合、各ストリームを分離できなくなり、伝送特性が劣化する。【００７３】
また、ＬＴＥシステムや地上波ディジタル放送のようにＯＦＤＭＡを用いた多元接続方式では、マルチパス干渉やフェージング対策として信号の前にガードインターバル（ＧＩ：  Ｇｕａｒｄ  Ｉｎｔｅｒｖａｌ）又はサイクリックプリフィックス（ＣＰ：  Ｃｙｃｌｉｃ  Ｐｒｅｆｉｘ）が挿入される。【００７４】
該ＣＰ長以内の受信時間差であれば、受信信号を合成することが可能である。従って、ＣＰ長を超える受信時間差がある受信信号は合成できない。さらに、ＣＰ長を超える受信時間差がある受信信号は、ＣＰ長以下の受信信号に対して干渉となる。従って、ＣＰ長を超える受信時間差がある受信信号は、伝送特性を劣化させる。よって、基地局間の受信時間差がＣＰ長以上となった場合、ＣｏＭＰ伝送ができない。【００７５】
基地局間の受信時間差を考慮してノンサービング基地局が選択されないことにより、ＣｏＭＰ伝送が実施される際に伝送特性が劣化することや、ＣｏＭＰ伝送を実施しない場合と比較して、伝送特性が改善しないなどの問題が生じる虞がある。さらに、このような問題が生じていてもＣｏＭＰ伝送が実施される虞がある。【００７６】
基地局の受信時間差は、以下のような理由で生じると考えられる。
１）基地局ｅＮＢ１と、ユーザ端末ＵＥとの間の距離と、基地局ｅＮＢｎと該ユーザ端末との間の距離の違い。【００７７】
仮に、各基地局が構成するセルのセル半径が同じであったとしても、ユーザ端末ＵＥが、各基地局から等距離の位置にいるとは限らない。ユーザ端末ＵＥが各基地局から等距離の位置にいない結果、ユーザ端末と、各基地局との間の距離が異なる。従って、同一タイミングで、各基地局から送信されたとしても、距離が異なれば伝搬遅延が異なる。伝搬遅延が異なる結果、受信時間差が生じる。
２）基地局ｅＮＢ１とユーザ端末ＵＥとの間の伝搬距離と、基地局ｅＮＢｎとユーザ端末との間の伝搬距離の違い。【００７８】
仮に、ユーザ端末ＵＥが各基地局から等距離に位置し、同一タイミングで各基地局から送信されたとしても、伝搬経路が異なれば伝搬距離が異なる。伝搬距離が異なれば伝搬遅延も異なる。伝搬遅延が異なる結果、受信時間差が生じる。
３）基地局ｅＮＢ１と基地局ｅＮＢｎが同期していない。【００７９】
仮に、各基地局からユーザ端末ＵＥまでの伝搬距離が同じであったとしても、各基地局が非同期で、異なるタイミングで送信されれば、受信時間差が生じる。【００８０】
ＣｏＭＰ伝送では、基地局間同期が前提となると考えられるが、該同期の精度については規定されておらず、実質的には非同期と同じ状態であると考えられる。【００８１】
基地局間の受信時間差の測定により得られた受信時間差をＣｏＭＰ伝送の制御に用いるようにしてもよい。基地局間の受信時間差の測定は、３ＧＰＰ  ＬＴＥ仕様にする方向で合意されているためである。【００８２】
さらに、Ｗ−ＣＤＭＡシステムやＬＴＥシステムでは一定の受信時間差以下となる精度で、基地局間同期がなされている。例えば、下りリンクの送信タイミングは略同一である。特に、ＬＴＥシステムではＭＢＳＦＮが導入されるため、基地局間で下りリンクの送信が同期していなければならない。【００８３】
ＣｏＭＰ伝送の制御に、基地局間の受信時間差の測定により得られた受信時間差を用いる具体的方法について説明する。【００８４】
例えば、ユーザ端末における下りリンクの受信時間差に基づいて、ＣｏＭＰ伝送を制御するようにしてもよい。また、複数の基地局間での上りリンク伝送の受信時間差に基づいて、ＣｏＭＰ伝送を制御するようにしてもよい。【００８５】
＜下りリンク伝送の受信時間差に基づいて、ＣｏＭＰ伝送を制御する場合＞
図３は、下りリンク伝送の受信時間差に基づいて、ＣｏＭＰ伝送を制御する無線通信システムの一実施例を示す。【００８６】
無線通信システムは、基地局２００ｎ（ｎは、ｎ＞１の整数）と、ユーザ端末１００とを有する。図３には、ｎ＝２の例について示される。ｎ＞２の場合についても同様である。図３において、基地局２００１とユーザ端末１００との間の距離は距離Ｒ１により表され、基地局２００２とユーザ端末１００との間の距離は距離Ｒ２により表される。ユーザ端末１００は、基地局２００１からのＰＤＳＣＨ、ＰＤＣＣＨを受信し、該基地局２００１へ、ＰＵＣＣＨを送信する。基地局２００２は、ユーザ端末１００へ、ＰＤＳＣＨを送信する。【００８７】
接続中の基地局２００１（ｅＮＢ１）と通信中のユーザ端末１００は、例えば下りリンクの伝送品質が低下したことにより、伝送速度が低下したことを検出したとき、ＣｏＭＰ伝送が必要と判断する。ＣｏＭＰ伝送が必要と判断したユーザ端末１００は、基地局２００１へ、ＣｏＭＰ伝送を要求する。ここで、基地局２００１が伝送品質や伝送速度の低下を検出したときに、ＣｏＭＰ伝送が必要と判断してもよい。【００８８】
ＣｏＭＰ伝送の要求を受信した基地局２００１は、ユーザ端末１００に、接続中の基地局２００１と、該基地局２００１以外の他の基地局２００２からの電波の受信電力及び受信時間差を測定し、基地局２００１へ報告するよう要求する。受信電力及び受信時間差を測定し、報告することを要求するための信号を測定報告要求という。具体的には、ユーザ端末１００が各基地局から送信されるべきパイロット信号を受信し、受信電力及び受信時間差を測定するようにしてもよい。該パイロット信号には、共通パイロット信号及び個別パイロット信号の少なくとも一方が含まれる。【００８９】
測定報告要求を受信したユーザ端末１００は、接続中の基地局２００１と他の基地局２００２からの電波の受信電力を測定し、該受信電力の測定結果を基地局２００１へ報告する。【００９０】
さらに、ユーザ端末１００は、接続中の基地局２００１と、他の基地局２００２との受信時間差を測定し、算出する。ユーザ端末１００は、該測定し、算出した受信時間差を、接続中の基地局２００１へ通知する。【００９１】
受信電力測定結果と、受信時間差の通知を受けた接続中の基地局２００１は、受信時間差と、ＣｏＭＰ伝送が可能な受信時間差(以後、受信時間差閾値という)と比較する。【００９２】
図４は、ユーザ端末１００における受信時間差の一例（その１）を示す。基地局２００１及び２００２がシンボルレベル単位で、同期している場合、基地局２００１及び２００２の下りリンクの信号の送信タイミングが略同一である。従って、ユーザ端末１００が、基地局２００１と、基地局２００２と等距離に位置する場合には、伝搬距離が同じになるため、ユーザ端末１００は、基地局２００１からの下りリンクの信号の受信タイミングと、基地局２００２からの下りリンクの信号の受信タイミングは略同一である。従って、受信時間差は、零となる。【００９３】
図５、図６は、ユーザ端末１００における受信時間差の一例（その２）を示す。基地局２００１及び２００２がシンボルレベル単位で、同期している場合、基地局２００１及び２００２の下りリンクの信号の送信タイミングが略同一である。従って、ユーザ端末１００と基地局２００１との間の距離より、ユーザ端末１００と基地局２００２との間の距離が長い場合には、伝搬距離が異なる。伝搬距離が異なるため、ユーザ端末１００は、基地局２００１からの下りリンクの信号と、基地局２００２からの下りリンクの信号とを異なるタイミングで受信する。従って、受信時間差は、零とはならない。【００９４】
基地局２００１は、受信時間差が受信時間差閾値以下であり、受信電力測定結果を用いて算出した受信電力差が受信電力差閾値以下である基地局を抽出する。図５、図６には、基地局２００１からの下りリンクの信号の受信タイミングをＴｅｎｂ１、基地局２００２からの下りリンクの信号の受信タイミングをＴｅｎｂ２、受信電力差閾値をＴｔｈとした場合について示される。【００９５】
図５は、受信タイミングの差Ｔｅｎｂ２−Ｔｅｎｂ１が、受信時間差閾値Ｔｔｈ以下である場合である。この場合、Ｎｅｔｗｏｒｋ  ＭＩＭＯ、ＪＴ、ＤＣＳ、ＣＳ／ＣＢが可能であると判断される。【００９６】
図６は、受信タイミングの差Ｔｅｎｂ２−Ｔｅｎｂ１が、受信時間差閾値Ｔｔｈを超える場合である。この場合、Ｎｅｔｗｏｒｋ  ＭＩＭＯは行わないと判断され、ＤＣＳ、ＣＳ／ＣＢが可能であると判断される。ユーザ端末１００は、同時に、基地局２００１からのＰＤＣＣＨと、基地局２００２からのＰＤＳＣＨとを受信することはできないためである。同時に、基地局２００１からのＰＤＣＣＨと、基地局２００２からのＰＤＳＣＨとを受信するようにするため、ユーザ端末１００は、アナログデジタル変換（ＡＤＣ）以降のベースバンド処理（復調、復号処理など）を行う２系統の処理系を有するようにしてもよい。【００９７】
基地局２００１は、受信時間差が受信時間差閾値以下であっても、受信電力測定結果を用いて算出した受信電力差が受信電力差閾値以下である基地局がない場合、ＣｏＭＰ伝送は行わないと判断する。【００９８】
また、基地局２００１は、受信時間差が受信時間差閾値以下であり、受信電力測定結果を用いて算出した受信電力差が受信電力差閾値以下である基地局が複数ある場合、最も受信時間差が小さい基地局、及び最も受信電力差が小さい基地局の少なくとも一方を満たす基地局を選択する。基地局２００１は、受信時間差が受信時間差閾値以下であり、受信電力測定結果を用いて算出した受信電力差が受信電力差閾値以下である基地局が複数ある場合、最も伝送速度が高くなる基地局を選択するようにしてもよい。【００９９】
受信時間差閾値は、ＣｏＭＰ伝送の方法に応じて変更するようにしてもよい。例えば、ＪＴの場合には受信時間差閾値を小さくし、ＣＳ／ＣＢの場合には相対的に受信時間差閾値を大きくする。すなわち、干渉対策を目的としてＣｏＭＰ伝送を実施するのか、所要伝送速度を改善するためにＣｏＭＰ伝送を実施するのかなどに応じて、ＣｏＭＰ伝送の方法を選択する。【０１００】
基地局２００１は、選択した基地局２００２をノンサービング基地局とする。基地局２００１は、該ノンサービング基地局２００２へ、ＣｏＭＰ伝送の実施を通知する。さらに、基地局２００１は、ユーザ端末へ、上りリンク伝送及び下りリンク伝送のうちの少なくとも一方についてのＣｏＭＰ伝送の実施を通知する。ＣｏＭＰ伝送の実施の通知には、ＣｏＭＰ伝送タイミングを表す情報が含まれてもよい。ＣｏＭＰ伝送タイミングは、ＣｏＭＰ伝送における送受信タイミングを表す情報が含まれてもよい。具体的には、無線フレームの番号（ＳＦＮ：  Ｓｅｑｕｅｎｃｅ  Ｆｒａｍｅ  Ｎｕｍｂｅｒ）、無線フレームを構成するスロット番号やサブフレーム番号の何れか、又は絶対時間または相対時間を用いて伝送タイミングを通知する。【０１０１】
サービング基地局２００１は、ユーザ端末１００及びノンサービング基地局２００２へ、送受信タイミング、変調方式、符号化率、ＣｏＭＰ伝送方式及びＣｏＭＰ伝送に応じた制御情報を通知する。該制御情報には、例えば、ＪＴにおける重み付け係数やプリコーディング行列やプリコーディング行列を示す情報（ＰＭＩ：  Ｐｒｅｃｏｄｉｎｇ  Ｍａｔｒｉｘ  Ｉｎｄｉｃａｔｏｒ）等が含まれる。以下、変調方式、符号化率、ＣｏＭＰ伝送方式及びＣｏＭＰ伝送に応じた制御情報をまとめて送信制御情報という。送信制御情報に含まれる情報は、上りリンク送信及び下りリンク送信の両者又はどちらか一方に対するものである。【０１０２】
また、サービング基地局２００１は、選択した送信タイミングに合わせ、ノンサービング基地局２００２へ、該ノンサービング基地局２００２からユーザ端末１００に下りリンクの信号を送信するためのデータを転送する。該下りリンクの信号を送信するためのデータは、上位装置から、ノンサービング基地局２００２へ伝送されておらず、サービング基地局２００１へ伝送されている。【０１０３】
サービング基地局２００１は、信号処理を行わずに、該下りリンクの信号を送信するためのデータを転送するようにしてもよい。また、サービング基地局２００１は、該下りリンクの信号を送信するためのデータを符号化し、符号化された下りリンクの信号を送信するためのデータに、選択したＣｏＭＰ伝送方式に従った処理を施したデータを転送するようにしてもよい。また、サービング基地局２００１は、該下りリンクの信号を送信するためのデータを符号化し、変調したデータを転送するようにしてもよい。【０１０４】
サービング基地局２００１は、下りリンクの送信タイミングと、下りリンクの制御情報に従って、下りリンクのデータを符号化し、変調し、選択したＣｏＭＰ伝送方式に従った処理を施し、無線周波数に変換し、ユーザ端末１００へ送信する。【０１０５】
送信タイミング及び下りリンクの制御情報の通知を受けたノンサービング基地局２００２は、送信タイミングと、下りリンクの制御情報に従って、サービング基地局２００１から伝送されたデータを符号化し、変調し、ＣｏＭＰ伝送のための処理を実施する。該ノンサービング基地局２００２は、ＣｏＭＰ伝送のための処理が実施されたデータを無線信号に変換し、ユーザ端末１００へ送信する。つまり、ノンサービング基地局は、上位装置から直接伝送されたデータを送信するのではなく、サービング基地局２００１から伝送されたデータを送信する。【０１０６】
ユーザ端末１００は、サービング基地局２００１から通知されたＣｏＭＰ送受信タイミングや制御情報に基づいて、ＣｏＭＰ伝送方式に従って処理された信号を受信する。例えば、ユーザ端末１００は、無線周波数からベースバンドに、受信信号を周波数変換し、ＣｏＭＰ伝送方式に従って処理された信号を受信するための処理を実施する。ユーザ端末１００は、ＣｏＭＰ伝送方式に従って処理された信号を復調し、復号する。【０１０７】
上りリンクの伝送について説明する。【０１０８】
図７は、基地局における上りリンクの受信時間差に基づいて、ＣｏＭＰ伝送を制御する無線通信システムの一実施例を示す。【０１０９】
無線通信システムの構成は、図３と略同一である。図７において、基地局２００１とユーザ端末１００との間の距離は距離Ｒ１により表され、基地局２００２とユーザ端末１００との間の距離は距離Ｒ２により表される。ユーザ端末１００は、基地局２００１からのＰＤＣＣＨを受信し、該基地局２００１へ、ＰＵＳＣＨ、ＰＵＣＣＨを送信する。ユーザ端末１００は、基地局２００２へ、ＰＵＳＣＨを送信する。【０１１０】
サービング基地局２００１から通知された、上りリンクの送信タイミングと上りリンクの制御情報に従って、ユーザ端末１００は、上りリンクのデータを符号化し、変調する。該ユーザ端末１００は、上りリンクのデータに、選択したＣｏＭＰ伝送方式に従った処理を施す。該ユーザ端末１００は、無線周波数に、ＣｏＭＰ伝送方式に従った処理を施した上りリンクのデータを変換し、基地局２００１及び基地局２００ｎへ送信する。【０１１１】
サービング基地局２００１及びノンサービング基地局２００２は、サービング基地局２００１により選択された上りリンクの送信タイミング及び上りリンクの制御情報に基づいて、ＣｏＭＰ伝送方式に従って処理された信号の受信を行う。例えば、サービング基地局２００１及びノンサービング基地局２００２は、無線周波数からベースバンドに、上りリンクのデータを周波数変換し、復調する。サービング基地局２００１及びノンサービング基地局２００２は、復調した上りリンクの信号に、ＣｏＭＰ伝送方式に従って処理された信号を受信するための処理を実施し、復号する。【０１１２】
ノンサービング基地局２００２により復調された上りリンクのデータがサービング基地局２００１へ伝送され、サービング基地局２００１により、ＣｏＭＰ伝送方式に従って処理された信号を受信するための処理が実施されてもよい。【０１１３】
なお、新たに選択した基地局２００２をサービング基地局として、接続中の基地局２００１をノンサービング基地局としてもよい。この場合、ユーザ端末１００は、基地局２００１から基地局２００２へハンドオーバを実施してもよい。【０１１４】
＜上りリンク伝送の受信時間差に基づいて、ＣｏＭＰ伝送を制御する場合＞
ユーザ端末１００と通信中の基地局２００１は、例えば上りリンクの伝送品質が低下したことにより伝送速度が低下したことを検出したとき、ＣｏＭＰ伝送が必要と判断する。ＣｏＭＰ伝送が必要と判断した基地局２００１は、基地局２００１に隣接する基地局又は基地局２００１の周辺の基地局に対して、ユーザ端末１００からの受信電力及び受信時間を測定・算出し、基地局２００１に報告するよう要求する。ユーザ端末１００が伝送品質や伝送速度の低下を検出し、ＣｏＭＰ伝送が必要か否かを判断してもよい。【０１１５】
さらに、基地局２００２も同様に、ユーザ端末１００からの受信電力及び受信時間を測定するよう設定する。さらに、ユーザ端末１００にパイロット信号の送信を要求する。【０１１６】
パイロット信号の送信要求を受信したユーザ端末１００は、接続中の基地局及び該接続中の基地局の周辺の基地局へ、パイロット信号を送信する。ユーザ端末１００は、共通パイロット信号を送信してもよいし、個別パイロット信号を送信してもよい。【０１１７】
パイロット信号を受信した基地局２００１及び基地局２００２−２００ｍは、ユーザ端末１００からの受信電力を測定する。基地局２００２−２００ｍは、基地局２００１へ、受信電力の測定結果を通知する。【０１１８】
さらに、基地局２００１及び基地局２００２−２００ｍは、ユーザ端末１００からの受信時間を測定し、算出する。基地局２００１及び基地局２００２−２００ｍは、ユーザ端末１００からのパイロット信号に基づいて、受信時間を測定し、算出するようにしてもよい。基地局２００２−２００ｍは、基地局２００１へ、受信時間を通知する。【０１１９】
受信時間の通知を受信した基地局２００１は、受信時間に基づいて、各基地局間の受信時間差を算出する。例えば、基地局２００１は、基地局２００１と基地局２００２との間の受信時間差を算出する。【０１２０】
基地局２００１は、受信時間差を算出すると、該受信時間差と、ＣｏＭＰ伝送が可能な受信時間差（以下、受信時間差閾値という）とを比較する。【０１２１】
図８、図９は、基地局２００１および、基地局２００２における受信時間差の一例を示す。基地局２００１及び２００２がシンボルレベル単位で同期している場合、基地局２００１及び２００２の上りリンクの信号の受信タイミングは略同一である。従って、ユーザ端末１００と基地局２００１との間の距離より、ユーザ端末１００と基地局２００２との間の距離が長い場合には、伝搬距離が異なるため、基地局２００１がユーザ端末１００から上りリンクの信号を受信するタイミングと、基地局２００２がユーザ端末１００から上りリンクの信号を受信するタイミングとは異なる。従って、受信時間差は、零とはならない。【０１２２】
基地局２００１は、受信時間差が受信時間差閾値以下であり、受信電力測定結果を用いて算出した受信電力差が受信電力差閾値以下である基地局を抽出する。図８、図９には、基地局２００１からの下りリンクの信号の受信タイミングをＴｅｎｂ１、基地局２００２からの下りリンクの信号の受信タイミングをＴｅｎｂ２、受信電力差閾値をＴｔｈとした場合について示される。【０１２３】
図８は、受信タイミングの差Ｔｅｎｂ２−Ｔｅｎｂ１が、受信時間差閾値Ｔｔｈ以下である場合である。この場合、Ｎｅｔｗｏｒｋ  ＭＩＭＯ、ＪＴ、ＤＣＳ、ＣＳ／ＣＢが可能であると判断される。【０１２４】
図９は、受信タイミングの差Ｔｅｎｂ２−Ｔｅｎｂ１が、受信時間差閾値Ｔｔｈを超える場合である。この場合、Ｎｅｔｗｏｒｋ  ＭＩＭＯは行わないと判断され、ＤＣＳ、ＣＳ／ＣＢが可能であると判断される。ユーザ端末１００は、同時に、基地局２００１からのＰＤＣＣＨと、基地局２００２からのＰＤＳＣＨとを受信することはできないためである。同時に、基地局２００１からのＰＤＣＣＨと、基地局２００２からのＰＤＳＣＨとを受信するようにするため、ユーザ端末１００は、ＡＤＣ以降のベースバンド処理（復調、復号など）を行う２系統の処理系を有するようにしてもよい。【０１２５】
基地局２００１は、受信時間差が受信時間差閾値以下であり、受信電力測定結果を用いて算出した受信電力差が受信電力差閾値以下である基地局がない場合、ＣｏＭＰ伝送は行わないと判断する。【０１２６】
基地局２００１は、受信時間差が受信時間差閾値以下であり、受信電力測定結果を用いて算出した受信電力差が受信電力差閾値以下である基地局が複数ある場合、最も時間差が小さい基地局及び最も受信電力差が小さい基地局の少なくとも一方を満たす基地局２００ｎを選択する。基地局２００１は、受信時間差が受信時間差閾値以下であり、受信電力測定結果を用いて算出した受信電力差が受信電力差閾値以下である基地局が複数ある場合、最も伝送速度が高くなる基地局２００ｎを選択するようにしてもよい。【０１２７】
受信時間差閾値は、ＣｏＭＰ伝送の方法に応じて変更するようにしてもよい。例えば、ＪＴの場合には受信時間差閾値を小さくし、ＣＳ／ＣＢの場合には相対的に受信時間差閾値を大きくする。すなわち、干渉対策を目的としてＣｏＭＰ伝送を実施するのか、所要伝送速度を改善するためにＣｏＭＰ伝送を実施するのかなどに応じて、ＣｏＭＰ伝送の方法を選択する。【０１２８】
基地局２００１は、選択した基地局２００ｎをノンサービング基地局とする。基地局２００１は、該ノンサービング基地局２００ｎへ、ＣｏＭＰ伝送の実施を通知する。さらに、基地局２００１は、ユーザ端末へ、上りリンク及び下りリンクのうちの少なくとも一方についてのＣｏＭＰ伝送の実施を通知する。ＣｏＭＰ伝送の実施の通知には、ＣｏＭＰ伝送のタイミングを表す情報が含まれてもよい。ＣｏＭＰ伝送のタイミングは、ＣｏＭＰ伝送における送受信タイミングを表す情報が含まれてもよい。具体的には、無線フレームの番号（ＳＦＮ）、無線フレームを構成するスロット番号やサブフレーム番号の何れか、又は絶対時間又は相対時間を用いて、ＣｏＭＰ伝送のタイミングを通知する。【０１２９】
サービング基地局２００１は、ユーザ端末１００及びノンサービング基地局２００ｎへ、送受信タイミング、変調方式、符号化率、ＣｏＭＰ伝送方式及びＣｏＭＰ伝送に応じた制御情報を通知する。該制御情報には、例えば、ＪＴにおける重み付け係数やプリコーディング行列やプリコーディング行列を示す情報）（ＰＭＩ）等が含まれる。以下、変調方式、符号化率、ＣｏＭＰ伝送方式及びＣｏＭＰ伝送に応じた制御情報をまとめて送信制御情報という。送信制御情報は、上りリンク送信と下りリンク送信の両者またはどちらか一方に対するものである。【０１３０】
以下、具体的に説明する。【０１３１】
＜実施例１＞
＜基地局によりＣｏＭＰ伝送を行うか否かが判断される場合＞
＜下りリンクにおけるＣｏＭＰ伝送を制御する場合＞
＜基地局２００ｎ＞
図１０は、基地局２００ｎの一実施例を示す。【０１３２】
基地局２００ｎは、受信無線部２０２と、ＣｏＭＰ受信処理部２０４と、復調部２０６と、復号部２０８と、無線回線品質情報抽出部２１０と、スケジューラ２１２と、ＣｏＭＰ通信制御部２１４と、無線回線品質測定算出部２１６と、送信データバッファ２１８と、下りＰｉｌｏｔ作成部２２０と、上りＰｉｌｏｔ送信要求作成部２２２と、ＣｏＭＰ伝送実施通知作成部２２４と、無線回線品質測定要求作成部２２６と、制御信号作成部２２８と、符号化部２３０と、変調部２３２と、ＣｏＭＰ送信処理部２３４と、送信無線部２３６と、ＣＰ制御部２４８とを有する。【０１３３】
受信無線部２０２は、アンテナと接続される。受信無線部２０２は、ユーザ端末１００からの上りリンクの信号を受信する。上りリンクの信号には、無線回線品質情報が含まれる。受信無線部２０２は、上りリンクの信号をベースバンド信号に周波数変換する。受信無線部２０２は、ＣｏＭＰ受信処理部２０４に、周波数変換した上りリンクの信号を入力する。【０１３４】
ＣｏＭＰ受信処理部２０４は、受信無線部２０２と接続される。ＣｏＭＰ受信処理部２０４は、スケジューラ２１２による制御に従って、ＣｏＭＰ伝送方式、該ＣｏＭＰ伝送方式に応じた設定を行う。ＣｏＭＰ受信処理部２０４は、ＣｏＭＰ伝送方式、該ＣｏＭＰ伝送方式に応じた設定に従って、受信無線部２０２により入力された上りリンクの信号を処理する。ＣｏＭＰ受信処理部２０４は、復調部２０６に、ＣｏＭＰ伝送方式、該ＣｏＭＰ伝送方式に応じた設定に従って処理された上りリンクの信号を入力する。【０１３５】
復調部２０６は、ＣｏＭＰ受信処理部２０４と接続される。復調部２０６は、ＣｏＭＰ受信処理部２０４からの入力信号を復調する。復調の際、ＣＰ制御部２４８により制御に従って、ＣＰ長に応じた処理が行われる。復調部２０６は、復号部２０８に、復調した信号を入力する。【０１３６】
復号部２０８は、復調部２０６と接続される。復号部２０８は、復調部２０６により入力される復調信号を復号することにより受信信号を再生する。復号部２０８は、無線回線品質情報抽出部２１０、及び無線回線品質測定算出部２１６に、再生された受信信号（以下、受信データという）を入力する。また、復号部２０８は、受信データを出力する。【０１３７】
無線回線品質情報抽出部２１０は、復号部２０８と接続される。無線回線品質情報抽出部２１０は、復号部２０８により入力された受信データから無線回線品質情報を抽出する。無線回線品質情報抽出部２１０は、ＣｏＭＰ通信制御部２１４、及びスケジューラ２１２に、無線回線品質情報を通知する。【０１３８】
スケジューラ２１２は、無線回線品質情報抽出部２１０、受信無線部２０２、ＣｏＭＰ受信処理部２０４、復調部２０６、復号部２０８、符号化部２３０、変調部２３２、ＣｏＭＰ送信処理部２３４、送信無線部２３６、ＣＰ制御部２４８と接続される。スケジューラ２１２は、無線回線品質情報抽出部２１０からの無線回線品質に基づいて、下りリンクの伝送品質や下りリンクの伝送速度が低下したか否かを判定する。スケジューラ２１２は、下りリンクの伝送品質や下りリンクの伝送速度が低下したと判定した場合、ＣｏＭＰ通信制御部２１４に、下りリンクの伝送品質や下りリンクの伝送速度が低下したことを通知する。【０１３９】
スケジューラ２１２は、ＣｏＭＰ通信制御部２１４によりＣｏＭＰ伝送が実施されると判断された場合に、以下の処理を行う。スケジューラ２１２には、ＣｏＭＰ通信制御部２１４から、下りリンクにおいてＣｏＭＰ伝送が実施されることを表す情報、下りリンクにおけるＣｏＭＰ伝送方式を表す情報が入力される。スケジューラ２１２は、下りリンクにおけるＣｏＭＰ伝送を実施する際に使用する無線リソース及び送信タイミングを選択し、設定する。スケジューラ２１２は、符号化部２３０に設定してもよい。スケジューラ２１２は、下りリンクにおけるＣｏＭＰ伝送で使用する変調方式、符号化率を選択し、設定する。スケジューラ２１２は、符号化部２３０、変調部２３２に設定してもよい。また、スケジューラ２１２は、選択した下りリンクにおけるＣｏＭＰ伝送方式に応じた制御情報を選択し、設定する。スケジューラ２１２は、ＣｏＭＰ送信処理部２３４に設定してもよい。例えば、スケジューラ２１２は、ＪＴのＭＩＭＯ伝送を選択した場合、重み付け係数やプリコーディング行列等を選択する。スケジューラ２１２は、制御信号作成部２２８に、選択した情報を入力する。【０１４０】
さらに、スケジューラ２１２には、ＣｏＭＰ通信制御部２１４から、下りリンクにおいてＣｏＭＰ伝送が実施されることを表す情報、下りリンクにおけるＣｏＭＰ伝送方式を表す情報が入力される。スケジューラ２１２は、ＣＰ長を設定する。スケジューラ２１２は、制御信号作成部２２８、ＣＰ制御部２４８に、設定したＣＰ長を表す情報を入力する。【０１４１】
また、スケジューラ２１２は、選択した情報を、基地局内におけるセクタ間インターフェース（図示なし）や基地局間インターフェース（図示なし）や上位装置（図示なし）等を介してノンサービング基地局へ通知する。選択した情報には、下りリンクにおけるＣｏＭＰ伝送を実施する際に使用する無線リソース及び送信タイミング、下りリンクにおけるＣｏＭＰ伝送で使用する変調方式、符号化率下りリンクにおけるＣｏＭＰ伝送方式に応じた制御情報、ＣＰ長が含まれてもよい。【０１４２】
また、スケジューラ２１２は、ノンサービング基地局へ、該ノンサービング基地局から送信するデータを送信するための制御を行う。上述したように、ノンサービング基地局には送信データがないため、サービング基地局から基地局内におけるセクタ間インターフェースや基地局間インターフェースや上位装置等を介してノンサービング基地局へ、送信データが送信される。スケジューラ２１２は、送信データバッファ２１８に対して、ノンサービング基地局へ、送信データを転送するように命令する。【０１４３】
スケジューラ２１２は、ＣｏＭＰ伝送方式、及びＣｏＭＰ伝送方式に関する設定、無線リソース、符号化率、変調方式等が設定される。スケジューラ２１２は、該設定に基づいて算出される送信データ量に従って、送信データバッファ２１８から送信データを取り出し、符号化部２３０に入力する。該送信データは、符号化部２３０により設定された符号化率に従って符号化され、変調部２３２により設定された変調方式に従って変調される。該送信データは、ＣｏＭＰ送信処理部２３４により設定されたＣｏＭＰ伝送方式及び該ＣｏＭＰ伝送方式に従った設定に応じた処理が行われ、送信無線部２３６により周波数変換される。該送信データは、設定された送信タイミングに従ってアンテナを介してユーザ端末１００へ送信される。【０１４４】
このとき、例えば、ＬＴＥシステムと同様に、物理下りリンク共有チャネル（ＰＤＳＣＨ）を用いて送信を行うようにしてもよい。また、ＬＴＥシステムと同様に、符号化部２３０により符号化された送信データに対し、セルＩＤやスロット番号及びユーザ端末番号に基づいて作成された初期値を使ったスクランブリングコードでスクランブリングを実施するようにしてもよい。【０１４５】
送信データバッファ２１８は、スケジューラ２１２、ＣｏＭＰ通信制御部２１４、符号化部２３０と接続される。送信データバッファ２１８は、スケジューラ２１２によるスケジューリングに従って、符号化部２３０に送信データを入力する。また、送信データバッファ２１８は、ＣｏＭＰ伝送が実施される際に、スケジューラ２１２によるノンサービング基地局に送信データを転送する命令に従って、送信データをノンサービング基地局に転送する。【０１４６】
送信データバッファ２１８からノンサービング基地局へ、送信データが伝送される際に、該送信データがそのまま伝送されてもよいし、信号処理された送信データが伝送されてもよい。伝送量の観点からは、信号処理された送信データが伝送される場合には、伝送量が増加するため、送信データがそのまま伝送される方が好ましい。信号処理される場合には、例えば、ノンサービング基地局へ、ＣｏＭＰ伝送に従った送信信号処理された送信データが伝送される。具体的には、符号化部２３０は、選択された符号化率に従って、送信データを符号化する。変調部２３２は、選択された変調方式に従って、変調する。ＣｏＭＰ送信処理部２３４は、選択されたＣｏＭＰ伝送方式に従って、変調部２３２により変調された送信データに、ＣｏＭＰ送信処理を行う。ＣｏＭＰ送信処理部２３４によりＣｏＭＰ送信処理された送信データは基地局内におけるセクタ間インターフェースや基地局間インターフェースや上位装置等を介してノンサービング基地局へ送信される。【０１４７】
ノンサービング基地局へ伝送される送信データは、該ノンサービング基地局のスケジューラ２１２によるスケジューリングに従って送信可能なデータ量に基づいて、送信データバッファ２１８から取り出される。送信可能なデータ量は、使用されるＣｏＭＰ伝送方式、使用される無線リソース、符号化率、変調方式等によって設定される。【０１４８】
制御信号作成部２２８は、スケジューラ２１２と、符号化部２３０と接続される。制御信号作成部２２８は、スケジューラ２１２からの情報に基づいて、制御情報を作成する。制御信号作成部２２８は、符号化部２３０に、制御信号を入力する。
さらに、制御信号作成部２２８は、ＣｏＭＰ伝送で使用するＣＰ長を示す情報を含む制御信号を作成してもよい。ＣＰ長を示す情報を含む制御信号を作成する際に、明示的にＣｏＭＰ伝送で使用するＣＰ長を表す情報を作成してもよい。また、ＣＰ長を示す情報を作成する際に、使用するＣＰ長を表す情報をユーザ端末１００のメモリに予め記憶しておくようにしてもよい。この場合、ユーザ端末１００は、ＣｏＭＰ伝送で使用するＣＰ長を表す情報を受信した場合、メモリから使用すべきＣＰ長を読み出す。また、ＣｏＭＰ伝送には、Ｅｘｔｅｎｄｅｄ  ＣＰ又はＮｏｒｍａｌ  ＣＰのどちらか一方使用するようにしてもよい。また、Ｅｘｔｅｎｄｅｄ  ＣＰ及びＮｏｒｍａｌ  ＣＰとは異なるＣＰ長を有するＣＰが使用されてもよい。【０１４９】
特に、ＣｏＭＰ伝送は、ユーザ端末１００が隣接セルとの境界付近やセル端に位置する場合に実施される可能性が高いと考えられる。すなわち、基地局とユーザ端末１００との間の伝搬距離が長く、遅延時間が長い場合に実施される可能性が高いと考えられる。従って、ＣｏＭＰ伝送が実施される場合、Ｅｘｔｅｎｄｅｄ  ＣＰを使用する方が有利であると考えられる。Ｎｏｒｍａｌ  ＣＰ又はＥｘｔｅｎｄｅｄ  ＣＰ以外のＣＰを設定し、ＣｏＭＰ伝送に使用してもよい。【０１５０】
制御信号は、符号化部２３０、変調部２３２、ＣｏＭＰ送信処理部２３４、送信無線部２３６を介して、ユーザ端末１００へ送信される。該制御情報は、下りリンクの信号の送信に先だって送信されてもよい。例えば、同じ無線フレームの先頭部分で制御信号を送信し、後半で下りリンクの信号を送信するようにしてもよい。つまり、該制御情報は、下りリンクの送信データを送信する無線フレームよりも時間的に前の送信無線フレームで送信されてもよい。【０１５１】
ＣｏＭＰ通信制御部２１４は、無線回線品質情報抽出部２１０と、スケジューラ２１２と、無線回線品質測定算出部２１６と接続される。ＣｏＭＰ通信制御部２１４は、スケジューラ２１２から下りリンクの伝送品質や下りリンクの伝送速度が低下したことが通知された際、無線回線品質情報抽出部２１０により入力される無線回線品質情報に基づいて、下りリンクにおけるＣｏＭＰ伝送が必要か否かを判定する。ＣｏＭＰ通信制御部２１４は、下りリンクにおけるＣｏＭＰ伝送が必要であると判定した場合、無線回線品質測定要求作成部２２４に、ユーザ端末１００への無線回線品質測定要求信号を作成するよう通知する。【０１５２】
また、ＣｏＭＰ通信制御部２１４は、無線回線品質情報に基づいて、ノンサービング基地局を選択する。具体的には、ＣｏＭＰ通信制御部２１４は、サービング基地局の無線回線品質と、該サービング基地局以外の他の基地局の無線回線品質との差分を算出することにより無線回線品質差を求める。ＣｏＭＰ伝送方式通信制御部２１４は、無線回線品質差が無線回線品質差閾値以下となる基地局があるか否かを確認する。ＣｏＭＰ伝送方式通信制御部２１４は、無線回線品質差が無線回線品質差閾値以下となる基地局があると判断した場合、下りリンクにおけるＣｏＭＰ伝送が可能であると判断する。ＣｏＭＰ伝送方式通信制御部２１４は、下りリンクにおけるＣｏＭＰ伝送が可能と判断した場合、ノンサービング基地局を選択する。例えば、ＣｏＭＰ伝送方式通信制御部２１４は、最も無線回線品質差が小さい基地局をノンサービング基地局として選択するようにしてもよい。ここでは、ノンサービング基地局として、基地局２００ｎが選択されたとする。さらに、ＣｏＭＰ伝送方式通信制御部２１４は、ＪＰ、ＣＳ／ＣＢ等のＣｏＭＰ伝送方式から、使用する下りリンクのＣｏＭＰ伝送方式を選択する。さらに、ＪＰが選択される場合、ＪＴ、ＤＣＳから、下りリンクのＣｏＭＰ伝送方式が選択されてもよい。【０１５３】
ＣｏＭＰ通信制御部２１４は、無線回線品質差が無線回線品質差閾値以下となる基地局がないと判断した場合、下りリンクにおけるＣｏＭＰ伝送は行わないと判断する。下りリンクにおけるＣｏＭＰ伝送は行わないと判断した場合、これまでの伝送方式による通信を継続するように制御するようにしてもよい。【０１５４】
また、ＣｏＭＰ通信制御部２１４は、無線回線品質がよいか否かに応じて、ＣｏＭＰ伝送が可能か否かを判断するようにしてもよい。無線回線品質がよいか否かに応じてＣｏＭＰ伝送が可能か否かを判定する際に、無線回線品質が最良の基地局をノンサービング基地局として選択してもよい。無線回線品質が最良の基地局をノンサービング基地局として選択する際に、無線回線品質が最良の基地局が接続中の基地局２００１でない場合、無線回線品質が最良の基地局をサービング基地局とし、かつ接続中の基地局２００１から無線回線品質が最良の基地局へ、ユーザ端末１００をハンドオーバさせるようにしてもよい。【０１５５】
また、ＣｏＭＰ通信制御部２１４は、伝送するデータのＱｏＳ（Ｑｕａｌｉｔｙ  ｏｆ  Ｓｅｒｖｉｃｅ）クラス等で規定されている所要伝送速度に基づいて、ノンサービング基地局を選択するようにしてもよい。【０１５６】
また、ＣｏＭＰ通信制御部２１４は、下りリンクにおけるＣｏＭＰ伝送が可能であると判断した場合、下りリンクのＣｏＭＰ伝送が実施されることをＣｏＭＰ伝送実施通知作成部２２４に通知する。また、ＣｏＭＰ通信制御部２１４は、下りリンクにおけるＣｏＭＰ伝送を行わないと判断した場合、下りリンクのＣｏＭＰ伝送を行わないことをＣｏＭＰ伝送実施通知作成部２２４に通知するようにしてもよい。また、ＣｏＭＰ通信制御部２１４は、下りリンクのＣｏＭＰ伝送が可能であるか否かを表す情報をＣｏＭＰ伝送実施通知作成部２２４に通知するようにしてもよい。【０１５７】
また、ＣｏＭＰ通信制御部２１４は、ノンサービング基地局へ、基地局内におけるセクタ間インターフェースや基地局間インターフェースや上位装置等を介して、ＣｏＭＰ伝送が実施されることを表す情報を通知する。基地局間インターフェースには、例えば、ＬＴＥシステムにおけるＸ２が含まれる。ＣｏＭＰ伝送が実施されることを表す情報には、ＣｏＭＰ伝送が実施されることを表す情報が含まれてもよいし、ＣｏＭＰ伝送のタイミングを表す情報が含まれてもよい。【０１５８】
また、ＣｏＭＰ通信制御部２１４は、スケジューラ２１２に、下りリンクにおいて、ＣｏＭＰ伝送が実施されることを表す情報と、選択した下りリンクのＣｏＭＰ伝送方式を表す情報とを通知する。【０１５９】
無線回線品質測定要求作成部２２６は、ＣｏＭＰ通信制御部２１４と、符号化部２３０と接続される。無線回線品質測定要求作成部２２６は、ＣｏＭＰ通信制御部２１４からの無線回線品質測定要求信号を作成する要求に従って、無線回線品質測定要求信号を制御信号として作成する。無線回線品質測定要求作成部２２６は、符号化部２３０へ、該制御信号を入力する。【０１６０】
下りＰｉｌｏｔ作成部２２０は、スケジューラ２１２、符号化部２３０と接続される。下りＰｉｌｏｔ作成部２２０は、スケジューラ２１２による制御に従って、パイロット信号を作成する。下りＰｉｌｏｔ作成部２２０は、符号化部２３０へ、パイロット信号を入力する。【０１６１】
符号化部２３０は、送信データバッファ２１８、下りＰｉｌｏｔ作成部２２０、上りＰｉｌｏｔ送信要求作成部２２２、ＣｏＭＰ伝送実施通知作成部２２４、無線回線品質測定要求作成部２２６、制御信号作成部２２８と接続される。符号化部２３０は、ＣｏＭＰ伝送実施通知作成部２２４、無線回線品質測定要求作成部２２６、及び制御信号作成部２２８からの制御信号を符号化する。例えば、符号化部２３０は、ターボ符号、畳み込み符号、リードミューラー符号などを用いて送信情報にパリティビットを追加するようにしてもよい。符号化率は、送信情報数／（送信情報数＋パリティビット数）により表される。符号化率は、ターボ符号化のように方式のみで決まる場合もあれば、符号化後に繰り返し（ｒｅｐｅｔｉｔｉｏｎ）や間引き（ｐｕｎｃｔｕｒｅ）を実施することで決まる場合もある。符号化部２３０は、変調部２３２へ、符号化された制御信号を入力する。【０１６２】
変調部２３２は、符号化部２３０と接続される。変調部２３２は、符号化部２３０からの符号化された制御信号を変調する。変調部２３２は、無線チャネルに応じた変調方式が利用されてもよい。該変調方式には、例えば、ＱＰＳＫ、１６ＱＡＭ、６４ＱＡＭ、２５６ＱＡＭ、８ＰＳＫ等の位相変調や直角位相振幅変調等が含まれてもよい。変調部２３２は、ＣｏＭＰ送信処理部２３４へ、変調した制御信号を入力する。【０１６３】
また、ＯＦＤＭ及びＯＦＤＭＡ等の多元接続方式を用いる場合、変調部２３２は、データをシリアル／パラレル変換し、それぞれのサブキャリアで直交変調し、ＩＦＦＴを実施し、ＩＦＦＴの結果の和をとるようにしてもよい。さらに、ＣＰを付加するようにしてもよい。【０１６４】
ＣｏＭＰ送信処理部２３４は、変調部２３２と接続される。ＣｏＭＰ送信処理部２３４は、ＣｏＭＰ伝送が実施される場合に、スケジューラ２１２による制御に従って、ＣｏＭＰ伝送方式と、該ＣｏＭＰ伝送方式に応じた設定を行う。ＣｏＭＰ送信処理部２３４は、ＣｏＭＰ伝送が実施される場合に、設定されたＣｏＭＰ伝送方式に従って、変調部２３２により変調されたデータに、ＣｏＭＰ送信処理を行う。ＣｏＭＰ伝送が実施されていない場合には、ＣｏＭＰ送信処理部２３４は、ＣｏＭＰ送信処理は行わない。また、ＬＴＥシステムと同様に、制御信号を送信する際には、ＣｏＭＰ伝送を実施しないようにしてもよい。また、制御信号はサービング基地局からのみ送信されるようにしてもよい。【０１６５】
変調部２３２により変調された後に、ＣｏＭＰ送信処理部２３４によりＣｏＭＰ送信処理が行われる。これは、データをＩＱマッピングすることを変調として扱っているためである。ＩＱマッピングとは、変調方式に従ってデータをＩＱ平面に割り当てることである。【０１６６】
また、ＩＱ信号を直交変調することを変調とすることも可能である。例えば、ＰＤＣシステムにおける直交変調器などでは、ＩＱ信号を直交変調することが変調とされる。ＩＱ信号を直交変調する場合、ＣｏＭＰ処理は、変調の前に実施される。つまり、変調部２３２と、ＣｏＭＰ送信処理部２３４とが入れ替わり、符号化部２３０の出力信号がＣｏＭＰ送信処理部２３４に入力され、ＣｏＭＰ送信処理部２３４の出力信号が変調部２３２に入力され、変調部２３２の出力信号が送信無線部２３６に入力される。【０１６７】
変調部２３２により変調された後に、ＣｏＭＰ送信処理部２３４によりＣｏＭＰ送信処理が行われるようにしてもよいし、ＣｏＭＰ送信処理部２３４によりＣｏＭＰ送信処理が行われた後に、変調部２３２により変調されてもよい。【０１６８】
復調についても同様に、ＣｏＭＰ処理の前に復調される。つまり、復調部２０６と、ＣｏＭＰ受信処理部２０４とが入れ替わり、受信無線部２０２の出力信号が復調部２０６に入力され、復調部２０６の出力信号がＣｏＭＰ受信処理部２０４に入力され、ＣｏＭＰ受信処理部２０４の出力信号が復号部２０８に入力される。ＣｏＭＰ送信処理部２３４は、必要に応じてＣｏＭＰ送信処理が行われた送信データを送信無線部２３６に入力する。【０１６９】
復調部２０６により復調された後に、ＣｏＭＰ受信処理部２０４によりＣｏＭＰ受信処理が行われるようにしてもよいし、ＣｏＭＰ受信処理部２０４によりＣｏＭＰ受信処理が行われた後に、復調部２０６により復調されてもよい。【０１７０】
送信無線部２３６は、ＣｏＭＰ送信処理部２３４と接続される。送信無線部２３６は、無線周波数に、ＣｏＭＰ送信処理部２３４からの送信データを変換する。送信無線部２３６は、無線周波数に変換された送信データを、アンテナを介して、ユーザ端末１００へ送信する。制御信号は、下り制御チャネル、例えばＬＴＥシステムにおけるＰＤＣＣＨや、下りデータチャネル、例えばＬＴＥシステムにおけるＰＤＳＣＨを使用して送信されてもよい。制御信号には、ＣｏＭＰ伝送実施通知信号、無線回線品質測定要求信号が含まれてもよい。【０１７１】
ＣｏＭＰ伝送実施通知作成部２２４は、スケジューラ２１２、ＣｏＭＰ通信制御部２１４と、符号化部２３０と接続される。ＣｏＭＰ伝送実施通知作成部２２４は、ＣｏＭＰ通信制御部２１４により下りリンクのＣｏＭＰ伝送が実施されることが通知された場合、ＣｏＭＰ伝送実施通知信号を作成する。ＣｏＭＰ伝送実施通知作成部２２４は、符号化部２３０に、ＣｏＭＰ伝送実施通知信号を入力する。ＣｏＭＰ伝送実施通知信号は、制御信号として扱われてもよい。該ＣｏＭＰ伝送実施通知信号は、符号化部２３０、変調部２３２、ＣｏＭＰ送信処理部２３４、送信無線部２３６を介して、ユーザ端末１００へ送信される。【０１７２】
また、ＣｏＭＰ伝送実施通知作成部２２４は、ＣｏＭＰ通信制御部２１４により下りリンクのＣｏＭＰ伝送を行わないことが通知された場合、ＣｏＭＰ伝送不可能通知信号を作成する。ＣｏＭＰ伝送実施通知作成部２２４は、符号化部２３０に、ＣｏＭＰ伝送不可能通知信号を入力する。該ＣｏＭＰ伝送実施通知信号は、符号化部２３０、変調部２３２、ＣｏＭＰ送信処理部２３４、送信無線部２３６を介して、ユーザ端末１００へ送信される。【０１７３】
また、ＣｏＭＰ伝送実施通知作成部２２４は、ＣｏＭＰ通信制御部２１４により下りリンクのＣｏＭＰ伝送が可能であるか否かを表す情報が通知された場合、下りリンクのＣｏＭＰ伝送が可能であるか否かを表す情報を含むＣｏＭＰ伝送通知信号を作成するようにしてもよい。ＣｏＭＰ伝送通知信号は、ユーザ端末１００へ送信される。【０１７４】
ＣＰ制御部２４８は、復調部１０６、変調部２３２と接続される。ＣＰ制御部２４８は、スケジューラ２１２からのＣＰ長を表す情報に基づいて、復調部１０６における復調の際、変調部２３２における変調処理の際に、ＣＰ長を制御する。【０１７５】
ノンサービング基地局には、サービング基地局から、使用する無線リソース、ＣｏＭＰ伝送タイミング、ＣｏＭＰ伝送方式及びＣｏＭＰ伝送に関する設定、変調方式、符号化率等の制御情報が通知される。さらに、ＣＰ長を表す情報が通知されてもよい。ＣＰ長を表す情報も制御情報として扱われてもよい。【０１７６】
ノンサービング基地局は、該制御情報に含まれるＣｏＭＰ伝送タイミングに従って、サービング基地局から伝送された送信データをユーザ端末１００へ送信する。【０１７７】
具体的には、サービング基地局から伝送された送信データの形式により、受信後の信号処理が異なる。送信データの形式には、送信データそのもの、符号化された送信データ、符号化され変調された送信データ、符号化され変調されＣｏＭＰ伝送に応じた信号処理が施された送信データが含まれる。【０１７８】
ここでは、一例として、ノンサービング基地局に、信号処理が施されていない送信データが伝送された場合を説明する。該送信データには、ノンサービング基地局により、信号処理が実施される。該送信データとは異なる送信データについても、ノンサービング基地局により適切な処理が実施される。【０１７９】
サービング基地局から基地局間インターフェース等を介して伝送された送信データは、ノンサービング基地局の送信データバッファ２１８に格納される。サービング基地局からのＣｏＭＰ伝送タイミング、ＣｏＭＰ伝送方式及びＣｏＭＰ伝送に関する設定、変調方式、符号化率等は、ノンサービング基地局のスケジューラ２１２に入力される。さらに、サービング基地局から通知されたＣＰ長を表す情報は、スケジューラ２１２に入力される。【０１８０】
ノンサービング基地局のスケジューラ２１２は、ＣｏＭＰ伝送タイミングに従って、ＣｏＭＰ伝送に関する設定、使用する無線リソース、符号化率、変調方式等に基づいて送信データ量を算出する。ノンサービング基地局のスケジューラ２１２は、送信データ量に従って、送信データバッファ２１８から送信データを取り出し、符号化部２３０に入力する。該送信データは、符号化部２３０により設定された符号化率に従って符号化される。該送信データは、変調部２３２により設定された変調方式に従って変調され、さらにスケジューラ２１２により設定されたＣＰが付加される。該送信データは、ＣｏＭＰ送信処理部２３４により設定されたＣｏＭＰ伝送方式及びＣｏＭＰ伝送設定に従って処理され、送信無線部２３６により周波数変換される。該送信データは、設定された送信タイミングに従ってアンテナを介してユーザ端末１００へ送信される。ここで、例えばＬＴＥシステムと同様に、物理下りリンク共有チャネル（ＰＤＳＣＨ）を用いて送信を行うようにしてもよい。このとき、サービング基地局により送信に使用される無線リソースと、ノンサービング基地局により送信に使用される無線リソースは同一であり、使用する無線チャネルも同一である。【０１８１】
上述した実施例において、無線伝送速度に基づいて、ＣｏＭＰ伝送を行うか否かを判断するようにしてもよい。例えば、Ｗ−ＣＤＭＡシステムやＬＴＥシステムでは、ユーザ端末１００がサービング基地局へ、下りリンクのデータ伝送においてデータが誤りなく伝送できたか、できなかったかを示すＡＣＫ／ＮＡＣＫを通知する。すなわち、受信側でデータが誤りなく伝送できているかできていないかを判定する。誤りなく伝送できた場合にはＡＣＫを、そうでない場合、つまり、誤りを含んで伝送された場合や、受信できなかった場合などはＮＡＣＫを送信元に対して通知する。【０１８２】
サービング基地局は、ＡＣＫ／ＮＡＣＫに基づいて、実際のデータ伝送速度を測定することができる。サービング基地局は送信したデータ量を記憶しており、またＡＣＫ／ＮＡＣＫが返送されるタイミングは一定であるため、基地局からデータを送信してからＡＣＫ／ＮＡＣＫが返送されるまでの時間間隔は固定となる。よって、サービング基地局は、伝送速度を算出することができる。サービング基地局は、伝送速度と、ＱｏＳ等で規定される所要伝送速度とを比較することにより、ＣｏＭＰ伝送を行うか否かを判断するようにしてもよい。つまり、サービング基地局は、伝送速度が所要伝送速度以下となった場合は、所要伝送速度を満たすために、ＣｏＭＰ伝送を実施すると判断するようにしてもよい。【０１８３】
また、上述した実施例では、基地局が一つのセルをカバーすることを前提として、サービング基地局とノンサービング基地局について説明した。基地局が複数のセル又はセクタを構成するようにしてもよい。例えば、３つのセル（またはセクタ）を有し、各セルが例えば中心角が１２０度の扇形のエリアを構成するようにしてもよい。このとき、同じ基地局により構成される隣り合うセル(またはセクタ）間で、ＣＯＭＰ伝送が実施されてもよい。【０１８４】
図１１は、同じ基地局により構成される隣り合うセル間で実施されるＣｏＭＰ伝送を表す模式図である。図１１において、ＰＤＣＣＨと、ＰＵＣＣＨは省略される。図１１によれば、ユーザ端末１００へ、サービングセルからのＰＤＳＣＨと、ノンサービングセルからのＰＤＳＣＨが送信される。【０１８５】
さらに、サービング基地局及びノンサービング基地局のどちらか一方または両方をリレーノード（Ｒｅｌａｙ  Ｎｏｄｅ）としてもよい。ここで、リレーノードとは、例えば、３ＧＰＰのＬＴＥ−Ａｄｖａｎｃｅｄ（ＬＴＥ  Ｒｅｌｅａｓｅ  １０以降）で検討されている中継装置である。リレーノードは、基地局とユーザ端末との間の無線伝送を中継する。すなわち、リレーノードは、基地局から送信された送信波を受信し、復調復号し、復号により伝送誤りを訂正し、再び符号化し、変調し、ユーザ端末へ送信する。また、リレーノードは、ユーザ端末からの送信波を受信し、復号により伝送誤りを訂正し、再び符号化し、変調し、基地局へ送信する。リレーノードにより基地局とユーザ端末との間の中継が行われることにより、サービスエリア範囲（セル又はセクタ）の拡大やサービスエリア（セル又はセクタ）内に生じる通信不可能エリアへの対策が可能となる。通信不可能エリアは、不感エリア、デッドスポットと呼ばれてもよい。【０１８６】
リレーノードと基地局との間や、リレーノード間で、ＣｏＭＰ伝送を実施するようにしてもよい。【０１８７】
図１２は、基地局とリレーノードとの間で実施されるＣｏＭＰ伝送の一実施例（その１）を示す。【０１８８】
図１２に示される例では、リレーノードは、サービング基地局の配下にある。リレーノードは、サービング基地局からの送信データを送信する。【０１８９】
図１３は、基地局とリレーノードとの間で実施されるＣｏＭＰ伝送の一実施例（その２）を示す。【０１９０】
図１３に示される例では、リレーノードは、サービング基地局とは異なる他の基地局の配下にある。リレーノードは、他の基地局からの送信データを送信する。【０１９１】
図１４は、リレーノード間で実施されるＣｏＭＰ伝送の一実施例（その１）を示す。【０１９２】
図１４に示される例では、各リレーノードは、それぞれサービング基地局とは異なる他の基地局の配下にある。各リレーノードは、それぞれ他の基地局からの送信データを送信する。【０１９３】
図１５は、リレーノード間で実施されるＣｏＭＰ伝送の一実施例（その２）を示す。【０１９４】
図１５に示される例では、各リレーノードは、サービング基地局とは異なる他の基地局の配下にある。各リレーノードは、他の基地局からの送信データを送信する。【０１９５】
また、少なくとも一方の基地局の代わりに張出基地局（ＲＲＨ：  Ｒｅｍｏｔｅ  Ｒａｄｉｏ  Ｈｅａｄｅｒ）を用いてＣｏＭＰ伝送を実施するようにしてもよい。張出基地局は、光などの有線を使うことで基地局から無線部とアンテナまたはアンテナを切り離したものである。張出基地局は、基地局本体から離れた場所に、無線部とアンテナまたはアンテナを設置する。【０１９６】
図１６は、基地局と、張出基地局との間で実施されるＣｏＭＰ伝送の一実施例（その１）を示す。【０１９７】
図１６に示される例では、張出基地局は、サービング基地局の配下にある。張出基地局は、サービング基地局からの送信データを送信する。【０１９８】
図１７は、基地局と、張出基地局との間で実施されるＣｏＭＰ伝送の一実施例（その２）を示す。【０１９９】
図１７に示される例では、張出基地局は、サービング基地局とは異なる他の基地局の配下にある。張出基地局は、他の基地局からの送信データを送信する。つまり、張出基地局は、サービング基地局と通信を行わない。【０２００】
図１８は、張出基地局間で実施されるＣｏＭＰ伝送の一実施例（その３）を示す。【０２０１】
図１８に示される例では、各張出基地局は、それぞれサービング基地局とは異なる他の基地局の配下にある。張出基地局は、それぞれ他の基地局からの送信データを送信する。【０２０２】
図１９は、張出基地局間で実施されるＣｏＭＰ伝送の一実施例（その４）を示す。【０２０３】
図１９に示される例では、各張出基地局は、サービング基地局とは異なる他の基地局の配下にある。張出基地局は、他の基地局からの送信データを送信する。【０２０４】
基地局、張出基地局、リレーノードを組み合わせて、ＣｏＭＰ伝送を実施するようにしてもよい。【０２０５】
上述したリレーノード、張出基地局を利用してＣｏＭＰ伝送を実施する際に使用されるプロトコルは、サービング基地局とノンサービング基地局を利用してＣｏＭＰ伝送を実施する場合と略同一である。リレーノードを用いた場合のリレーノード間通信と、張出基地局を用いた場合の基地局と、張出基地局との間の通信が追加される点が異なる。【０２０６】
＜ユーザ端末１００＞
図２０は、ユーザ端末１００の一実施例を示す。【０２０７】
ユーザ端末１００は、受信無線部１０２と、ＣｏＭＰ受信処理部１０４と、復調部１０６と、復号部１０８と、無線回線品質測定要求抽出部１１０と、無線回線品質測定算出部１１２と、送受信制御信号抽出部１１４と、上りＰｉｌｏｔ送信要求抽出部１１６と、ＣｏＭＰ伝送実施通知抽出部１１８と、送受信制御部１２０と、ＣｏＭＰ通信制御部１２２と、送信データバッファ１２４と、無線回線品質情報作成部１２６と、Ｐｉｌｏｔ作成部１２８と、符号化部１３０と、変調部１３２と、ＣｏＭＰ送信処理部１３４と、送信無線部１３６と、ＣＰ制御部１５０とを有する。【０２０８】
受信無線部１０２は、アンテナと接続される。受信無線部１０２は、ベースバンド信号に、サービング基地局２００１からの下りリンクの信号を周波数変換する。下りリンクの信号には、測定報告要求信号が含まれる。無線受信部１０２は、ＣｏＭＰ受信処理部１０４へ、周波数変換された下りリンクの信号を入力する。【０２０９】
ＣｏＭＰ受信処理部１０４は、受信無線部１０２と接続される。ＣｏＭＰ受信処理部１０４は、送受信制御部１２０による制御に従って、下りリンクの送信制御信号により指定されたＣｏＭＰ伝送方式とＣｏＭＰ伝送方式に関する設定を行う。ＣｏＭＰ受信処理部１０４は、受信無線部１０２により入力された信号に、必要に応じて、ＣｏＭＰ伝送方式とＣｏＭＰ伝送方式に関する設定に従って処理する。【０２１０】
復調部１０６は、ＣｏＭＰ受信処理部１０４と接続される。復調部１０６は、ＣｏＭＰ受信処理部１０４により入力された信号を復調する。復調部１０６は、復調した信号を復号部１０８に入力する。【０２１１】
復号部１０８は、復調部１０６と接続される。復号部１０８は、復調部１０６からの復調信号を復号することにより受信信号を再生する。復号部１０８は、無線回線品質測定要求抽出部１１０、無線回線品質測定算出部１１２、送受信制御信号抽出部１１４、上りＰｉｌｏｔ送信要求抽出部１１６、ＣｏＭＰ伝送実施通知抽出部１１８へ、受信信号を入力する。また、復号部１０８は、受信信号を出力する。【０２１２】
無線回線品質測定要求抽出部１１０は、復号部１０８と接続される。無線回線品質測定要求抽出部１１０は、復号部１０８により入力された受信信号から無線回線品質測定要求を抽出する。無線回線品質測定要求抽出部１１０は、無線回線品質測定算出部１１２に、無線回線品質測定要求を入力する。【０２１３】
無線回線品質測定算出部１１２は、復号部１０８と、無線回線品質測定要求抽出部１１０と接続される。無線回線品質測定算出部１１２は、無線回線品質測定要求抽出部１１０からの無線回線品質測定要求信号に従って、接続中の基地局２００１と、他の基地局２００２−２００ｍからの無線回線品質（Ｃｈａｎｎｅｌ  Ｑｕａｌｉｔｙ）を測定する。無線回線品質測定算出部１１２は、無線回線品質情報作成部１２６に、無線回線品質の測定結果を通知する。ここで、無線回線品質には、受信電力、受信電界強度、ＳＮＲ、ＣＮＲ、及びＷ−ＣＤＭＡシステムやＬＴＥシステムにおけるＣＱＩ等の無線回線品質指標等が含まれる。また、無線回線品質には、ＣＰＩＣＨ  ＲＳＣＰ、ＣＰＩＣＨ  Ｅｃ／Ｎ０、及びＲＳＲＰやＲＳＲＱ等が含まれてもよい。これらをまとめて無線回線品質と総称されてもよい。無線回線品質を測定する際に、各基地局からのパイロット信号等を受信できるように、ユーザ端末１００が設定されてもよい。例えばパイロット信号の受信電力等を測定し、算出できるように、ユーザ端末１００が設定される。【０２１４】
無線回線品質情報作成部１２６は、無線回線品質測定算出部１１２と接続される。無線回線品質情報作成部１２６は、無線回線品質測定算出部１１２により入力された無線回線品質の測定結果に基づいて、無線回線品質情報を作成する。無線回線品質情報作成部１２６は、符号化部１３０へ、無線回線品質情報を入力する。【０２１５】
符号化部１３０は、送信データバッファ１２４と、無線回線品質情報作成部１２６と、Ｐｉｌｏｔ作成部１２８と接続される。符号化部１３０は、送信データバッファ１２４、無線回線品質情報作成部１２６、Ｐｉｌｏｔ作成部１２８からの入力データを符号化する。符号化部１３０は、変調部１３２に、符号化されたデータを入力する。該入力データでは、パイロット信号、無線回線品質情報、送信データが含まれる。【０２１６】
変調部１３２は、符号化部１３０と接続される。変調部１３２は、符号化部１３０からの符号化されたデータを変調する。変調部１３２は、無線チャネルに応じた変調方式が利用されてもよい。該変調方式には、例えば、ＱＰＳＫ、１６ＱＡＭ、６４ＱＡＭ、２５６ＱＡＭ、８ＰＳＫ等の位相変調や直角位相振幅変調等が含まれてもよい。さらに、変調部１３２は、ＣＰ制御部１５０による制御に従ってＣＰを付加するようにしてもよい。変調部１３２は、ＣｏＭＰ送信処理部１３４へ、符号化されたデータが変調された変調信号を入力する。【０２１７】
ＣｏＭＰ送信処理部１３４は、変調部１３２と接続される。ＣｏＭＰ送信処理部１３４は、ＣｏＭＰ伝送が実施される場合に、送受信制御部１２０による制御に従って、ＣｏＭＰ伝送方式と、該ＣｏＭＰ伝送方式に関する設定を行う。ＣｏＭＰ送信処理部１３４は、ＣｏＭＰ伝送が実施される場合に、設定されたＣｏＭＰ伝送方式に従って、変調部１３２からの変調信号に、ＣｏＭＰ送信処理を行う。【０２１８】
送信無線部１３６は、ＣｏＭＰ送信処理部１３４と接続される。送信無線部１３６は、無線周波数に、ＣｏＭＰ送信処理部１３４からの送信データを変換する。送信無線部１３６は、無線周波数に変換された送信データを上りリンクの信号として、アンテナを介して、基地局へ送信する。【０２１９】
ユーザ端末１００は、上りリンク制御チャネルを使用して無線回線品質情報を報告するようにしてもよい。上りリンク制御チャネルには、例えば、ＬＴＥシステムにおけるＰＵＣＣＨが含まれる。さらに、ユーザ端末１００は、無線回線品質情報に、どの基地局からの無線回線品質であるかを識別するための情報を含めてもよい。【０２２０】
また、ユーザ端末１００は、基地局２００１に、基地局２００２−２００ｍからの無線回線品質を送信するようにしてもよい。また、例えば、ユーザ端末１００は、基地局２００１へ、基地局２００２−２００ｍからの無線回線品質のうち、無線回線品質の上位３つの無線回線品質と、該無線回線品質に対応する基地局を識別する情報を送信するようにしてもよい。ここで、３は一例であり、２であってもよいし、４以上であってもよい。このようにすることにより、無線回線品質情報により報告される情報を制限できる。【０２２１】
また、ユーザ端末１００は、基地局２００１へ、無線回線品質情報を一括して送信してもよいし、個別に順次送信してもよい。【０２２２】
また、ユーザ端末１００へ、サービング基地局２００１からＣｏＭＰ伝送実施通知信号が送信された場合、該ＣｏＭＰ伝送実施通知信号は、受信無線部１０２、ＣｏＭＰ受信処理部１０４、復調部１０６、復号部１０８により処理され、再生される。【０２２３】
ＣｏＭＰ伝送実施通知抽出部１１８は、復号部１０８と接続される。ＣｏＭＰ伝送実施通知抽出部１１８は、復号部１０８により再生された信号から、ＣｏＭＰ伝送実施通知信号を抽出する。ＣｏＭＰ伝送実施通知抽出部１１８は、ＣｏＭＰ通信制御部１２２へ、抽出されたＣｏＭＰ伝送実施通知信号を入力する。【０２２４】
ＣｏＭＰ通信制御部１２２は、ＣｏＭＰ伝送実施通知抽出部１１８と接続される。ＣｏＭＰ通信制御部１２２は、ＣｏＭＰ伝送実施通知抽出部１１８からのＣｏＭＰ伝送実施通知信号に基づいて、送受信制御部１２０へ、ＣｏＭＰ伝送が実施されることを通知する。【０２２５】
また、サービング基地局２００１から送信された制御信号は、受信無線部１０２、ＣｏＭＰ受信処理部１０４、復調部１０６、復号部１０８により処理され、再生される。【０２２６】
送受信制御信号抽出部１１４は、復号部１０８と接続される。送受信制御信号抽出部１１４は、復号部１０８により再生された信号から、下りリンク送信制御信号（受信制御信号）を抽出する。送受信制御信号抽出部１１４は、送受信制御部１２０へ、抽出された下りリンク送信制御信号を入力する。【０２２７】
送受信制御部１２０は、ＣｏＭＰ通信制御部１２２と、送受信制御信号抽出部１１４と、受信無線部１０２、ＣｏＭＰ受信処理部１０４、復調部１０６、復号部１０８、無線回線品質測定要求抽出部１１０、Ｐｉｌｏｔ作成部１２８、符号化部１３０、変調部１３２、ＣｏＭＰ送信処理部１３４、送信無線部１３６、送信データバッファ１２４と接続される。【０２２８】
送受信制御部１２０は、送受信制御信号抽出部１１４により入力された下りリンク送信制御信号に従って、復号部１０８に符号化率を設定し、復調部１０６に変調方式を設定し、ＣｏＭＰ受信処理部１０４にＣｏＭＰ伝送方式とＣｏＭＰ伝送方式に関する設定を行う。【０２２９】
ユーザ端末１００は、サービング基地局２００１から通知されたＣｏＭＰ伝送タイミング、ＣｏＭＰ伝送方式及びＣｏＭＰ伝送設定、変調方式、符号化率等の制御情報に従って、サービング基地局２００１とノンサービング基地局２００ｎから送信されたデータを受信する。具体的には、受信無線部１０２は、受信信号をベースバンドに周波数変換する。ＣｏＭＰ受信処理部１０４は、ＣｏＭＰ伝送方式及びＣｏＭＰ伝送設定に関する設定に従った処理を行う。復調部１０６は、ＣｏＭＰ受信処理部１０４により処理されたデータを復調する。復号部１０８は、送信データを再生する。また、ユーザ端末１００は、サービング基地局２００１から通知されたＣＰ長を表す情報等の制御情報に従って、サービング基地局２００１とノンサービング基地局２００ｎから送信されたデータを受信する。具体的には、復調部１０６は、復調する際に、ＣＰ長制御部１５０により制御されるＣＰ長に従って復調を行う。【０２３０】
ＣＰ制御部１５０は、送受信制御部１２０、復調部１０６、変調部１３２と接続される。ＣＰ制御部１５０は、送受信制御部１２０により通知されるＣＰ長に従って、復調部１０６により復調が行われる際、変調部１３２により変調が行われる際に、ＣＰ長を制御する。【０２３１】
＜無線通信システムの動作＞
図２１は、無線通信システムの動作の一実施例を示すシーケンス図である。図２１には、一例として、２つの基地局がサービング基地局の候補とされる場合について説明する。１つの基地局がサービングの候補とされてもよいし、３以上の基地局がサービングの候補とされてもよい。【０２３２】
サービング基地局２００１は、ＣｏＭＰ伝送を要求するか否かを判定する（ステップＳ２１０２）。つまり、ＣｏＭＰ送信制御部２１４は、ＣｏＭＰ伝送を行うか否かを判定する。ここでは、ＣｏＭＰ伝送を要求すると判定される。【０２３３】
サービング基地局２００１は、ユーザ端末１００へ、無線回線品質測定要求を送信する（ステップＳ２１０４）。つまり、無線回線品質測定要求作成部２２６は、ユーザ端末１００へ送信する無線回線品質測定要求を作成する。ここで、「信号」としないのは、コマンドやメッセージ及びコンテキストの形式で通知されることがあるためである。以下、同様である。該無線回線品質測定要求信号は、ユーザ端末１００へ送信される。【０２３４】
サービング基地局２００１、基地局２００２、基地局２００３から、パイロットが送信される（ステップＳ２１０６）。つまり、スケジューラ２１２による制御に従って、下りＰｉｌｏｔ作成部２２０は、パイロットを作成する。該パイロットは、符号化部２３０、変調部２３２、送信無線部２３６を介して、ユーザ端末１００に送信される。【０２３５】
ユーザ端末１００は、サービング基地局２００１、基地局２００２、基地局２００３からのパイロットの無線回線品質を測定する（ステップＳ２１０８）。つまり、無線回線品質測定算出部１１２は、サービング基地局２００１、基地局２００２、基地局２００３からのパイロットの無線回線品質を測定する。例えば、ＣＱＩやＲＳＲＰやＲＳＲＱ等が求められる。【０２３６】
ユーザ端末１００は、サービング基地局２００１へ、無線回線品質結果通知を送信する（ステップＳ２１１０）。つまり、無線回線品質情報作成部１２６は、無線回線品質測定算出部１１２からの無線回線品質に基づいて、無線回線品質結果通知を作成する。【０２３７】
サービング基地局２００１は、ＣｏＭＰ伝送が可能か否かを判定する。さらに、サービング基地局２００１は、ＣｏＭＰ伝送が可能であると判定した場合には、ノンサービング基地局を選択する（ステップＳ２１１２）。さらに、サービング基地局２００１は、ＣｏＭＰ伝送が可能であると判定した場合に、ＣＰ長を設定してもよい。つまり、ＣｏＭＰ通信制御部２１４は、ユーザ端末１００からの無線回線品質結果通知に含まれる無線回線品質に基づいて、ＣｏＭＰ伝送が可能か否かを判定する。ＣｏＭＰ通信制御部２１４は、ＣｏＭＰ伝送が可能であると判定した場合、ノンサービング基地局を選択する。さらに、ＣｏＭＰ通信制御部２１４は、ＣＰ長を設定する。ここでは、ＣｏＭＰ伝送が可能であると判定され、ノンサービング基地局として、基地局２００２が選択される。【０２３８】
サービング基地局２００１は、ノンサービング基地局として選択した基地局２００２へ、ＣｏＭＰ伝送実施通知を送信する（ステップＳ２１１４）。つまり、スケジューラ２１２は、ノンサービング基地局へ、ＣｏＭＰ伝送実施通知信号を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、ノンサービング基地局に送信される。符号化部２３０、変調部２３２、送信無線部２３６を介して、ノンサービング基地局へ送信されてもよい。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０２３９】
サービング基地局２００１は、ユーザ端末１００へ、ＣｏＭＰ伝送実施通知を送信する（ステップＳ２１１６）。つまり、スケジューラ２１２は、ユーザ端末１００へ、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、符号化部２３０、変調部２３２、送信無線部２３６を介して、ユーザ端末１００へ送信される。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０２４０】
ユーザ端末１００と、サービング基地局２００１，及びノンサービング基地局２００２との間で、ＣｏＭＰ伝送が実施される（ステップＳ２１１８）。【０２４１】
＜サービング基地局の動作＞
図２２は、サービング基地局の動作の一実施例を示す。図２２には、主に、ＣｏＭＰ伝送が可能か否かを判定する際の処理が示される。【０２４２】
サービング基地局２００１は、ＣｏＭＰ伝送が可能か否かを判定するためのＣｏＭＰ伝送可否判定閾値ＣＱＩｔｈを設定する（ステップＳ２２０２）。つまり、ＣｏＭＰ通信制御部２１４に、ＣｏＭＰ伝送可否判定閾値ＣＱＩｔｈが設定される。【０２４３】
サービング基地局２００１は、ユーザ端末１００へ、基地局２００２−２００ｍとの間の無線回線品質の測定を要求する（ステップＳ２２０４）。つまり、無線回線品質測定要求作成部２２６により、無線回線品質の測定を要求するための無線回線品質測定要求が作成され、ユーザ端末１００へ送信される。【０２４４】
サービング基地局２００１は、ユーザ端末１００から、該ユーザ端末１００と基地局２００２−２００ｍとの間の無線回線品質の測定結果を受信する（ステップＳ２２０６）。つまり、無線回線品質情報抽出部２１０は、ユーザ端末１００からの無線回線品質の測定結果を抽出する。無線回線品質情報抽出部２１０により抽出された無線回線品質の測定結果は、ＣｏＭＰ通信制御部２１４に入力される。【０２４５】
サービング基地局２００１は、ＣＱＩの最大値ＣＱＩｍａｘを０に設定し、ｋを０に設定し、ｎを０に設定する（ステップＳ２２０８）。つまり、ＣｏＭＰ通信制御部２１４は、ＣＱＩｍａｘ＝０、ｋ＝１、ｎ＝０に設定することにより初期化する。【０２４６】
サービング基地局２００１は、ｋ＜ｍ＋１であるか否かを判定する（ステップＳ２２１０）。つまり、ＣｏＭＰ通信制御部２１４は、ｋ＜ｍ＋１であるか否かを判定する。【０２４７】
ｋ＜ｍ＋１である場合（ステップＳ２２１０：ＹＥＳ）、サービング基地局２００１は、ＣＱＩｋ＞ＣＱＩｍａｘであるか否かを判定する（ステップＳ２２１２）。【０２４８】
ＣＱＩｋ＞ＣＱＩｍａｘである場合（ステップＳ２２１２：ＹＥＳ）、サービング基地局２００１は、ＣＱＩｋ＞ＣＱＩｍａｘであるか否かを判定する（ステップＳ２２１２）。【０２４９】
ＣＱＩｋ＞ＣＱＩｍａｘである場合（ステップＳ２２１２：ＹＥＳ）、サービング基地局２００１は、ＣＱＩｋをＣＱＩｍａｘに設定し、ｎをｋに設定する（ステップＳ２２１４）。【０２５０】
ステップＳ２２１４により設定された後、又はステップＳ２２１２によりＣＱＩｋ＞ＣＱＩｍａｘでない場合、ｋ＋１をｋに設定し、ステップＳ２２１０に戻る。【０２５１】
ステップＳ２２１０によりｋ＜ｍ＋１でないと判定された場合（ステップＳ２２１０：ＮＯ）、サービング基地局２００１は、ＣＱＩｍａｘ＞ＣＱＩｔｈであるか否かを判定する（ステップＳ２２１８）。【０２５２】
ＣＱＩｍａｘ＞ＣＱＩｔｈである場合（ステップＳ２２１８：ＹＥＳ）、サービング基地局２００１は、ＣｏＭＰ伝送が可能であると判定する（ステップＳ２２２０）。サービング基地局は、ノンサービング基地局とともに、ＣｏＭＰ伝送を実施する。【０２５３】
ＣＱＩｍａｘ＞ＣＱＩｔｈでない場合（ステップＳ２２１８：ＮＯ）、サービング基地局２００１は、ＣｏＭＰ伝送を行わないと判定する（ステップＳ２２２２）。この場合、通常の伝送が実施される。これまでの伝送が継続されてもよい。【０２５４】
＜上りリンクにおけるＣｏＭＰ伝送を制御する場合＞
＜基地局２００ｎ＞
基地局２００ｎの一実施例は、図１０に示される基地局と略同一である。【０２５５】
接続中のユーザ端末１００と通信中の基地局２００１のスケジューラ２１２は、無線回線品質情報抽出部２１０により抽出されるべき無線回線品質情報に基づいて、上りリンクの伝送品質を監視する。該スケジューラ２１２は、上りリンクの伝送品質が低下することにより、伝送速度が低下したことを検出した場合、ＣｏＭＰ通信制御部２１４に、伝送速度が低下したことを通知する。【０２５６】
ＣｏＭＰ通信制御部２１４は、スケジューラ２１２により伝送速度が低下したことが通知された場合、ＣｏＭＰ伝送を行うか否かを判断する。ＣｏＭＰ通信制御部２１４は、ＣｏＭＰ伝送を行うと判断した場合、当該基地局２００１の近傍の基地局２００２−２００ｍへ、上りリンクの無線回線品質の測定を要求するための上りリンク無線回線測定要求情報を送信する。【０２５７】
上りリンク無線回線測定要求情報は、基地局２００２−２００ｍへ、基地局内におけるセクタ間インターフェースや基地局間インターフェースや上位装置等を介して通知される。【０２５８】
スケジューラ２１２は、無線回線品質測定算出部２１６に、無線回線品質の測定を要求する。無線回線品質測定算出部２１６は、スケジューラ２１２と、復号部２０８と接続される。無線回線品質測定算出部２１６は、スケジューラ２１２により要求された無線回線品質の測定に従って、無線回線品質を測定する。無線回線品質測定算出部２１６は、スケジューラ２１２へ、無線回線品質を入力する。【０２５９】
スケジューラ２１２は、上りＰｉｌｏｔ送信要求作成部２２２に、ユーザ端末１００に上りリンクのパイロット信号を送信させるための上りリンクパイロット送信要求信号の作成を要求する。【０２６０】
上りＰｉｌｏｔ送信要求作成部２２２は、スケジューラ２１２と、符号化部２３０と接続される。上りＰｉｌｏｔ送信要求作成部２２２は、スケジューラ２１２により要求された上りリンクパイロット送信要求信号を作成し、符号化部２３０に入力する。上りリンクパイロット送信要求信号は、符号化部２３０により符号化され、変調部２３２により変調される。上りリンクパイロット送信要求信号は、ＣｏＭＰ送信処理部２３４を介して、送信無線部２３６により無線周波数に変換され、アンテナを介して、ユーザ端末１００へ送信される。ユーザ端末１００に、上りリンクパイロット送信要求信号が送信される際に、上りリンクパイロット送信要求信号の送信に必要な制御情報も送信されてもよい。該制御情報には、使用すべき無線リソース、送信タイミング等が含まれる。【０２６１】
ユーザ端末１００により上りリンクのパイロット信号が送信される。基地局２００２−２００ｍは、該上りリンクのパイロット信号に基づいて、無線回線品質を測定する。基地局２００２−２００ｍは、基地局２００１に、無線回線品質測定結果を通知する。【０２６２】
基地局２００２−２００ｍからの無線回線品質測定結果は、基地局２００１の無線回線品質情報抽出部２１０により抽出される。無線回線品質情報抽出部２１０は、ＣｏＭＰ通信制御部２１４に、基地局２００２−２００ｍからの無線回線品質測定結果を入力する。ＣｏＭＰ通信制御部２１４は、無線回線品質情報に基づいて、上りリンクにおけるＣｏＭＰ伝送が可能か否かを判断する。該ＣｏＭＰ通信制御部２１４は、ＣｏＭＰ伝送が可能であると判断した場合、ノンサービング基地局を選択する。ノンサービング基地局を選択する際、ＣｏＭＰ通信制御部２１４は、サービング基地局における無線回線品質と、各基地局の無線回線品質との間の差分を算出し、無線回線品質差が無線回線品質差閾値以下となる基地局があるか否かを判定するようにしてもよい。ＣｏＭＰ通信制御部２１４は、無線回線品質差が無線回線品質差閾値以下となる基地局があると判定した場合、上りリンクのＣｏＭＰ伝送が可能であると判断する。ＣｏＭＰ通信制御部２１４は、無線回線品質差が無線回線品質差閾値以下となる基地局がないと判定した場合、上りリンクのＣｏＭＰ伝送を行わないと判断する。【０２６３】
ＣｏＭＰ通信制御部２１４は、上りリンクのＣｏＭＰ伝送が可能であると判断した場合、最も無線回線品質差が小さい基地局をノンサービング基地局として選択する。ここでは、ノンサービング基地局として、基地局２００ｎが選択されたとする。【０２６４】
さらに、ＣｏＭＰ通信制御部２１４は、ＪＲ、ＣＳ等のＣｏＭＰ伝送方式から使用すべき上りリンクのＣｏＭＰ伝送方式を選択する。【０２６５】
ＣｏＭＰ通信制御部２１４は、上りリンクのＣｏＭＰ伝送が可能であると判断した場合、スケジューラ２１２に、上りリンクのＣｏＭＰ伝送が実施されることを表す情報と、上りリンクのＣｏＭＰ伝送方式を通知する。【０２６６】
スケジューラ２１２は、ＣｏＭＰ通信制御部２１４により上りリンクのＣｏＭＰ伝送が可能であると判断された場合、ＣｏＭＰ伝送実施通知作成部２２４に、上りリンクのＣｏＭＰ伝送が実施されることを通知する。【０２６７】
ＣｏＭＰ伝送実施通知作成部２２４は、スケジューラ２１２と、符号化部２３０と接続される。ＣｏＭＰ伝送実施通知作成部２２４は、スケジューラ２１２により上りリンクのＣｏＭＰ伝送が実施されることが通知された場合、ＣｏＭＰ伝送実施通知信号を作成する。該ＣｏＭＰ伝送実施通知信号は、ユーザ端末１００に送信される。【０２６８】
ＣｏＭＰ通信制御部２１４は、上りリンクのＣｏＭＰ伝送で使用すべきＣＰのＣＰ長を設定する。ＣｏＭＰ通信制御部２１４は、スケジューラ２１２に、ＣＰ長を表す情報を入力する。【０２６９】
スケジューラ２１２は、上りリンクのＣｏＭＰ伝送の際に使用する無線リソース及び送信タイミングを設定する。また、スケジューラ２１２は、上りリンクのＣｏＭＰ伝送で使用すべき変調方式、符号化率を設定し、設定した上りリンクのＣｏＭＰ伝送方式に応じた制御情報を設定する。例えば、制御情報として、ＣｏＭＰ伝送方式としてＪＲが設定された場合には、重み付け係数やプリコーディング行列が設定される。【０２７０】
スケジューラ２１２は、制御信号作成部２２８へ、上りリンクのＣｏＭＰ伝送方式に応じた制御情報を入力する。スケジューラ２１２は、制御信号作成部２２８に、ＣＰ長を表す情報を入力するようにしてもよい。制御信号作成部２２８は、上りリンクの制御信号を作成し、符号化部２３０に入力する。該制御信号には、ＣＰ長を表す情報が含まれてもよい。該上りリンクの制御信号は、ユーザ端末１００へ送信される。【０２７１】
サービング基地局２００１は、ノンサービング基地局へ、基地局内におけるセクタ間インターフェース（図示なし）や基地局間インターフェース（図示なし）や上位装置（図示なし）等を介して、ＣｏＭＰ伝送が実施されることを表す情報を通知する。該基地局間インターフェースは、ＬＴＥシステムにおけるＸ２に相当するものであってもよい。ＣｏＭＰ伝送の実施を表す情報には、ＣｏＭＰ伝送を実施することを示す情報が含まれてもよいし、ＣｏＭＰ伝送のタイミングを表す情報が含まれてもよい。【０２７２】
サービング基地局２００１は、ノンサービング基地局へ、基地局インターフェース等を介して、上りリンクの制御信号を通知する。ノンサービング基地局のスケジューラ２１２は、該上りリンクの制御信号に従って、当該ノンサービング基地局の受信無線部２０２、ＣｏＭＰ受信処理部２０４、復調部２０６、及び符号化部２０８等を制御する。【０２７３】
サービング基地局２００１のスケジューラ２１２は、当該サービング基地局２００１の受信無線部２０２、ＣｏＭＰ受信処理部２０４、復調部２０６、及び復号部２０８等を制御する。【０２７４】
ノンサービング基地局は、ユーザ端末１００から、送信データを受信する。具体的には、ノンサービング基地局の受信無線部２０２により受信信号がベースバンド信号に変換される。ノンサービング基地局のＣｏＭＰ受信処理部２０４によりサービング基地局２００１から通知された制御信号に従って、ＣｏＭＰ伝送方式に従ったＣｏＭＰ受信処理が実施される。ノンサービング基地局の復調部２０６によりサービング基地局２００１から通知された制御信号に従って復調される。該制御信号には、例えば変調方式が含まれる。ノンサービング基地局の復号部２０８によりサービング基地局２００１から通知された制御信号に従って復号される。該制御信号には、例えば符号化率が含まれる。以上の処理により、受信データが再生される。【０２７５】
復号されたデータは、例えば基地局間インターフェースを介してサービング基地局２００１へ送信される。復調、復号されたデータがサービング基地局２００１へ伝送されてもよい。また、例えば、復調、復号されたデータがベースバンドに周波数変換され、サービング基地局２００１へ伝送されてもよい。サービング基地局２００１は、ノンサービング基地局からの受信信号を、当該サービング基地局２００１の受信信号と共に、ＣｏＭＰ伝送された信号を受信する処理を実施する。以降、全サービング基地局２００１により受信する処理が実施されてもよい。また、ノンサービング基地局は、ＣｏＭＰ伝送された信号を受信する処理を実施することにより受信信号をサービング基地局２００１へ伝送してもよい。【０２７６】
ノンサービング基地局と同様に、サービング基地局２００１は、ユーザ端末１００から送信されたデータを受信する。なお、ノンサービング基地局からベースバンド信号に変換されたデータが伝送される場合は、サービング基地局２００１は受信した信号をベースバンド信号に変換し、該ベースバンド信号と合わせて、信号処理を実施する。【０２７７】
サービング基地局２００１に集められたユーザ端末１００からの送信データは、上位のパケットにまとめられ上位装置（図示なし）に伝送される。ＬＴＥシステムやＷ−ＣＤＭＡシステム等の無線通信システムでは、無線チャネルで伝送されるデータの単位は、ＭＡＣ（Ｍｅｄｉｕｍ  Ａｃｃｅｓｓ  Ｃｏｎｔｒｏｌ）層のパケットである。ＭＡＣ層のパケットは、ＭＡＣ  ＰＤＵ（Ｐｒｏｔｏｃｏｌ  Ｄａｔａ  Ｕｎｉｔ）と呼ばれる。また、ＭＡＣの上位層であるＲＬＣ（Ｒａｄｉｏ  Ｌｉｎｋ  Ｃｏｎｔｒｏｌ）層のＲＬＣ  ＰＤＵは、ＭＡＣ  ＰＤＵで構成される。ＲＬＣの上位のＰＤＣＰ（Ｐａｃｋｅｔ  Ｄａｔａ  Ｃｏｎｖｅｒｇｅｎｃｅ  Ｐｒｏｔｏｃｏｌ）層のＰＤＣＰ  ＰＤＵは、ＲＬＣ  ＰＤＵで構成される。例えば、ＬＴＥシステムと同様に、サービング基地局２００１においてＰＤＣＰ  ＰＤＵにまとめられ、上位装置であるサービングゲートウェイ（Ｓｅｒｖｉｎｇ  Ｇａｔｅ  Ｗａｙ：  Ｓ−ＧＷ）へ送信されてもよい。サービングゲートウェイへ送信されたＰＤＣＰ  ＰＤＵは、コアネットワーク（Ｃｏｒｅ  Ｎｅｔｗｏｒｋ）を介して、通信の相手先であるユーザ端末に伝送されてもよい。
＜ユーザ端末＞
ユーザ端末１００の一実施例は、図２０に示されるユーザ端末と同様である。【０２７８】
上りリンクの制御信号を受信したユーザ端末１００では、受信無線部１０２により、該上りリンクの制御信号がベースバンド信号に変換される。ベースバンド信号に変換された上りリンクの制御信号は、復調部１０６により復調され、復号部１０８により復号されることにより再生される。【０２７９】
送受信制御信号抽出部１１４は、再生された信号から上りリンクの制御信号を抽出する。送受信制御信号抽出部１１４は、送受信制御部１２０に、上りリンクの制御信号を入力する。【０２８０】
送受信制御部１２０は、上りリンクの制御信号に従って、上りリンクの送信のために、符号化部１３０、変調部１３２、ＣｏＭＰ送信処理部１３４、及び送信無線部１３６等を制御する。該上りリンクの制御信号には、上りリンクの送信タイミングと、使用すべき無線リソース等が含まれる。【０２８１】
また、上りリンクのパイロット送信要求信号を受信したユーザ端末１００では、受信無線部１０２により、該上りリンクのパイロット送信要求信号がベースバンド信号に変換される。復調部１０６により受信信号が復調される。復号部１０８により、復調された信号が復号されることにより受信信号が再生される。【０２８２】
上りＰｉｌｏｔ送信要求抽出部１１６は、復号部１０８により再生された信号から上りリンクのパイロット送信要求信号を抽出する。上りパイロット送信要求抽出部１１６は、送受信制御部１２０に、上りリンクのパイロット送信要求信号を入力する。【０２８３】
送受信制御部１２０は、上りパイロット送信要求抽出部１１６から上りリンクのパイロット送信要求信号が入力されると、該上りリンクのパイロット送信要求信号に含まれる制御信号に従って、パイロット信号を送信するための制御を行う。例えば、上りリンクのパイロット送信要求信号に含まれる制御信号には、送信タイミングやパイロット送信に使用する無線リソース等を表す情報が含まれる。送受信制御部１２０は、Ｐｉｌｏｔ作成部１２８に、パイロット信号の作成を依頼する。【０２８４】
パイロット作成部１２８は、送受信制御部１２０による制御に従ってパイロット信号を作成する。パイロット作成部１２８により作成されたパイロット信号は、変調部１３２、送信無線部１３６、アンテナを介して基地局２００１−２００ｍへ送信される。パイロット信号は、符号化部１３０により符号化されてもよい。【０２８５】
パイロット信号は、例えばＬＴＥシステムと同様に、物理上りリンク制御チャネル（ＰＵＣＣＨ）や、物理上りリンク共有チャネル（ＰＵＳＣＨ）を使用して送信されてもよい。パイロット信号は、ＬＴＥシステムと同様に、参照信号（ＲＳ：  Ｒｅｆｅｒｅｎｃｅ  Ｓｉｇｎａｌ）と呼ばれてもよい。【０２８６】
また、ＬＴＥシステムでは、上りリンクのデータ送信に使用する無線リソースを選択するために、システム帯域内で基地局から指定されたリソースブロックでサウンディングリファレンスシグナル（ＳＲＳ：  Ｓｏｕｎｄｉｎｇ  Ｒｅｆｅｒｅｎｃｅ  Ｓｉｇｎａｌ）が送信される。サウンディングとは、伝搬環境を測定するとの意味合いである。該サウンディングリファレンスシグナルを基地局が受信し、無線回線品質を測定し、算出することによって、上りリンクの伝送で使用する無線リソースを選択するようにしてもよい。ＬＴＥシステムと同様に、サブキャリア数と時間方向のシンボル数で規定されたリソースブロックを単位とする無線リソースで管理されてもよい。【０２８７】
ＰＵＣＣＨは、ユーザ端末に個別の制御チャネルである。また、ＰＵＳＣＨは、ユーザ端末間で共有して使用されるチャネルである。共有チャネルでは、無線リソースが複数のユーザ端末で分け合うことにより使用される。一方、共通チャネルでは、同じ情報が同じ無線リソースで複数のユーザ端末で使用されるものである。従って、共有チャネルと共通チャネルとは異なる。【０２８８】
基地局２００１−２００ｍは、ユーザ端末１００から送信されたパイロット信号を受信する。無線回線品質測定算出部２１６は、パイロット信号に基づいて、受信電力等の無線回線品質を測定し、算出する。基地局２００１の無線回線品質測定算出部２１６は、スケジューラ２１２、ＣｏＭＰ通信制御部２１４に、測定算出結果を入力する。基地局２００２−２００ｍの無線回線品質測定算出部２１６は、スケジューラ２１２による制御により、基地局内におけるセクタ間インターフェース（図示なし）や基地局間インターフェース（図示なし）や上位装置（図示なし）等を介して基地局２００１に測定算出結果を転送する。該測定算出結果は、基地局２００１のＣｏＭＰ通信制御部２１４に入力される。【０２８９】
ユーザ端末１００は、上りリンクの信号の送信を行う。具体的には、送受信制御部１２０は、使用無線リソース、変調方式及び符号化率から送信可能な送信データ量を算出する。送受信制御部１２０は、送信データバッファ１２４から送信データを読み出す。読み出されたデータは、符号化部１３０に入力される。符号化部１３０は、制御信号で指定された符号化方式に従って、該データを符号化する。変調部１３２は、制御信号で指定された変調方式に従って、符号化部１３０により符号化されたデータを符号化する。さらに、変調部１３２は、ＣＰ制御部１５０による制御に従ってＣＰを付加する。ＣｏＭＰ送信処理部１３４は、指定されたＣｏＭＰ伝送方式及びＣｏＭＰ伝送に必要な信号処理を施す。送信無線部１３６は、無線周波数に変換する。無線周波数に変換された信号は、アンテナを介して、基地局２００１及び基地局２００ｎへ送信される。【０２９０】
＜無線通信システムの動作＞
図２１は、無線通信システムの動作の一実施例は、図２１を参照して説明した動作と略同一である。【０２９１】
＜サービング基地局の動作＞
サービング基地局の動作の一実施例は、図２２を参照して説明した動作と略同一である。
＜実施例２＞
＜ユーザ端末によりＣｏＭＰ伝送を行うか否かが判断される場合＞
＜下りリンクにおけるＣｏＭＰ伝送を制御する場合＞
＜基地局２００ｎ＞
図２３は、基地局２００ｎの一実施例を示す。【０２９２】
基地局２００ｎは、受信無線部２０２と、ＣｏＭＰ受信処理部２０４と、復調部２０６と、復号部２０８と、無線回線品質情報抽出部２１０と、スケジューラ２１２と、ＣｏＭＰ通信制御部２１４と、無線回線品質測定算出部２１６と、送信データバッファ２１８と、下りＰｉｌｏｔ作成部２２０と、上りＰｉｌｏｔ送信要求作成部２２２と、ＣｏＭＰ伝送実施通知作成部２２４と、無線回線品質測定要求作成部２２６と、制御信号作成部２２８と、符号化部２３０と、変調部２３２と、ＣｏＭＰ送信処理部２３４と、送信無線部２３６と、ＣｏＭＰ伝送要求信号抽出部２３８と、ＣＰ制御部２４８とを有する。【０２９３】
図１０を参照して説明した基地局と、ＣｏＭＰ伝送要求信号抽出部２３８を有する点で異なる。ＣｏＭＰ伝送要求信号抽出部２３８は、復号部１０８、ＣｏＭＰ通信制御部２１４と接続される。【０２９４】
基地局２００１は、ユーザ端末１００からＣｏＭＰ伝送要求信号を受信する。【０２９５】
受信無線部２０２は、ベースバンド信号に、ＣｏＭＰ伝送要求信号を周波数変換する。復調部２０６は、ベースバンド信号に変換されたＣｏＭＰ伝送要求信号を復調する。復号部２０８は、復調されたＣｏＭＰ伝送要求信号を復号する。【０２９６】
ＣｏＭＰ伝送要求信号抽出部２３８は、復号されたＣｏＭＰ伝送要求信号を抽出する。ＣｏＭＰ伝送要求信号抽出部２３８は、ＣｏＭＰ通信制御部２１４へ、ＣｏＭＰ伝送要求信号を入力する。【０２９７】
ＣｏＭＰ通信制御部２１４には、ＣｏＭＰ伝送要求信号抽出部２３８からＣｏＭＰ伝送要求信号が入力される。ＣｏＭＰ通信制御部２１４は、無線回線品質測定要求作成部２２６へ、ユーザ端末１００に無線回線品質の測定を要求するための無線回線品質測定要求信号を作成するように命令する。【０２９８】
無線回線品質測定要求作成部２２６は、ＣｏＭＰ通信制御部２１４による命令に従って、無線回線品質測定要求信号を制御信号として作成する。無線回線品質測定要求作成部２２６は、符号化部２３０に、無線回線品質測定要求信号を入力する。【０２９９】
無線回線品質測定要求信号は、符号化部２３０により符号化され、変調部２３２により変調され、送信無線部２３６により無線周波数に変換され、アンテナを介してユーザ端末１００へ送信される。【０３００】
ＣｏＭＰ伝送要求信号抽出部２３８以外の動作は、上述した基地局と略同一である。【０３０１】
＜ユーザ端末１００＞
図２４は、ユーザ端末１００の一実施例を示す。【０３０２】
ユーザ端末１００は、受信無線部１０２と、ＣｏＭＰ受信処理部１０４と、復調部１０６と、復号部１０８と、無線回線品質測定要求抽出部１１０と、無線回線品質測定算出部１１２と、送受信制御信号抽出部１１４と、上りＰｉｌｏｔ送信要求抽出部１１６と、ＣｏＭＰ伝送実施通知抽出部１１８と、送受信制御部１２０と、ＣｏＭＰ通信制御部１２２と、送信データバッファ１２４と、無線回線品質情報作成部１２６と、Ｐｉｌｏｔ作成部１２８と、符号化部１３０と、変調部１３２と、ＣｏＭＰ送信処理部１３４と、送信無線部１３６と、伝送速度算出部１３８と、ＣｏＭＰ伝送要求信号作成部１４０と、ＣＰ制御部１５０とを有する。【０３０３】
図２０を参照して説明したユーザ端末と、伝送速度算出部１３８と、ＣｏＭＰ伝送要求信号作成部１４０を有する点で異なる。伝送速度算出部１３８は、復号部１０８と、送受信制御部１２０と、ＣｏＭＰ通信制御部１２２と、送信データバッファ１２４と接続される。ＣｏＭＰ伝送要求信号作成部１４０は、ＣｏＭＰ通信制御部１２２と、符号化部１３０と接続される。【０３０４】
無線回線品質測定算出部１１２は、当該ユーザ端末１００と通信中の基地局２００からの下りリンクの信号に基づいて、無線回線品質を測定し、算出する。無線回線品質測定算出部１１２は、ＣｏＭＰ通信制御部１４０に、無線回線品質の測定結果を入力する。【０３０５】
また、伝送速度算出部１３８は、当該ユーザ端末１００と通信中の基地局２００からの下りリンクの信号に基づいて、下りリンクの伝送速度を算出する。伝送速度算出部１３８は、ＣｏＭＰ通信制御部１２２に、下りリンクの伝送速度を入力する。ここで、下りリンクの伝送速度は、一定期間において誤りなく受信できたデータ量から算出されてもよい。【０３０６】
ＣｏＭＰ通信制御部１２２は、無線回線品質測定算出部１１２により入力された無線回線品質の測定結果と、伝送速度算出部１３８により入力された下りリンクの伝送速度とに基づいて、ＣｏＭＰ伝送が必要か否か判断する。【０３０７】
ＣｏＭＰ通信制御部１２２は、ＣｏＭＰ伝送が必要であると判断した場合、ＣｏＭＰ伝送要求信号作成部１４０に、ＣｏＭＰ伝送要求信号の作成を要求する。【０３０８】
ＣｏＭＰ伝送要求信号作成部１４０は、ＣｏＭＰ通信制御部１２２によりＣｏＭＰ伝送要求信号の作成が依頼された場合に、ＣｏＭＰ伝送要求信号を作成する。ＣｏＭＰ伝送要求信号作成部１４０は、符号化部１３０に、ＣｏＭＰ伝送要求信号を入力する。ＣｏＭＰ伝送要求信号は、符号化部１３０により符号化され、変調部１３２により変調され、送信無線部１３６により無線周波数に変換され、アンテナを介して基地局２００１へ送信される。【０３０９】
＜無線通信システムの動作＞
図２５は、無線通信システムの動作の一実施例を示すシーケンス図である。図２５には、一例として、２つの基地局がサービング基地局の候補とされる場合について説明する。１つの基地局がサービングの候補とされてもよいし、３以上の基地局がサービングの候補とされてもよい。【０３１０】
ユーザ端末１００は、ＣｏＭＰ伝送を要求するか否かを判定する（ステップＳ２５０２）。つまり、ＣｏＭＰ送信制御部１２２は、ＣｏＭＰ伝送を行うか否かを判定する。ここでは、ＣｏＭＰ伝送を要求すると判定される。【０３１１】
ユーザ端末１００は、サービング基地局２００１へ、ＣｏＭＰ伝送要求を送信する（ステップＳ２５０４）。つまり、ＣｏＭＰ伝送要求信号作成部１４０により作成されたＣｏＭＰ伝送要求は、サービング基地局２００１へ送信される。【０３１２】
サービング基地局２００１は、無線回線品質測定要求を送信する（ステップＳ２５０６）。つまり、無線回線品質測定要求作成部２２６は、ユーザ端末１００へ送信する無線回線品質測定要求を作成する。該無線回線品質測定要求は、ユーザ端末１００へ送信される。【０３１３】
サービング基地局２００１、基地局２００２、基地局２００３から、パイロットが送信される（ステップＳ２５０８）。つまり、スケジューラ２１２による制御に従って、下りＰｉｌｏｔ作成部２２０は、パイロットを作成する。該パイロットは、符号化部２３０、変調部２３２、送信無線部２３６を介して、ユーザ端末１００へ送信される。【０３１４】
ユーザ端末１００は、サービング基地局２００１、基地局２００２、基地局２００３からのパイロットの無線回線品質を測定する（ステップＳ２５１０）。つまり、無線回線品質測定算出部１１２は、サービング基地局２００１、基地局２００２、基地局２００３からのパイロットの無線回線品質を測定する。例えば、ＣＱＩやＲＳＲＰやＲＳＲＱ等が求められる。【０３１５】
ユーザ端末１００は、サービング基地局２００１へ、無線回線品質結果通知を送信する（ステップＳ２５１２）。つまり、無線回線品質情報作成部１２６は、無線回線品質測定算出部１１２からの無線回線品質に基づいて、無線回線品質結果通知を作成する。【０３１６】
サービング基地局２００１は、ＣｏＭＰ伝送が可能か否かを判定する。さらに、サービング基地局２００１は、ＣｏＭＰ伝送が可能であると判定した場合には、ノンサービング基地局を選択する（ステップＳ２５１４）。さらに、サービング基地局２００１は、ＣｏＭＰ伝送が可能であると判定した場合に、ＣＰ長を設定してもよい。つまり、ＣｏＭＰ通信制御部２１４は、ユーザ端末１００からの無線回線品質結果通知に含まれる無線回線品質に基づいて、ＣｏＭＰ伝送が可能か否かを判定する。ＣｏＭＰ通信制御部２１４は、ＣｏＭＰ伝送が可能であると判定した場合、ノンサービング基地局を選択する。さらに、ＣｏＭＰ通信制御部２１４は、ＣＰ長を設定する。ここでは、ＣｏＭＰ伝送が可能であると判定され、ノンサービング基地局として、基地局２００２が選択される。【０３１７】
サービング基地局２００１は、ノンサービング基地局として選択した基地局２００２へ、ＣｏＭＰ伝送実施通知を送信する（ステップＳ２５１６）。つまり、スケジューラ２１２は、ノンサービング基地局へ、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、ノンサービング基地局へ送信される。符号化部２３０、変調部２３２、送信無線部２３６を介して、ノンサービング基地局へ送信されてもよい。さらに、ＣｏＭＰ伝送用のＣＰ長を表す情報を含むＣｏＭＰ伝送実施通知信号が通知されてもよい。【０３１８】
サービング基地局２００１は、ユーザ端末１００へ、ＣｏＭＰ伝送実施通知を送信する（ステップＳ２５１８）。つまり、スケジューラ２１２は、ユーザ端末１００へ、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、符号化部２３０、変調部２３２、送信無線部２３６を介して、ユーザ端末１００へ送信される。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０３１９】
ユーザ端末１００と、サービング基地局２００１，及びノンサービング基地局２００２との間で、ＣｏＭＰ伝送が実施される（ステップＳ２５２０）。
＜上りリンクにおけるＣｏＭＰ伝送を制御する場合＞
＜基地局２００ｎ＞
基地局２００ｎの一実施例は、図２３に示される基地局と同様である。【０３２０】
基地局２００１は、ＣｏＭＰ伝送要求信号を受信する。【０３２１】
受信無線部２０２は、ＣｏＭＰ伝送要求信号をベースバンド信号に周波数変換する。復調部２０６は、ベースバンド信号に変換されたＣｏＭＰ伝送要求信号を復調する。復号部２０８は、復調されたＣｏＭＰ伝送要求信号を復号する。【０３２２】
ＣｏＭＰ伝送要求信号抽出部２３８は、ＣｏＭＰ伝送要求信号を抽出する。ＣｏＭＰ伝送要求信号抽出部２３８は、ＣｏＭＰ通信制御部２１４に、ＣｏＭＰ伝送要求信号を入力する。【０３２３】
ＣｏＭＰ通信制御部２１４は、ＣｏＭＰ伝送要求信号抽出部２３８からＣｏＭＰ伝送要求信号が入力されると、無線回線品質測定要求作成部２２６に、ユーザ端末１００へ無線回線品質の測定を要求するための無線回線品質測定要求信号を作成するように命令する。【０３２４】
無線回線品質測定要求作成部２２６は、ＣｏＭＰ通信制御部２１４からの無線回線品質測定要求信号を作成する命令に従って、無線回線品質測定要求信号を制御信号として作成する。無線回線品質測定要求信号は、符号化部２３０により符号化され、変調部２３２により変調され、送信無線部２３６により無線周波数に変換され、アンテナを介してユーザ端末１００へ送信される。【０３２５】
以下、基地局によりＣｏＭＰ伝送が可能か否かを判断する場合と同様に動作する。【０３２６】
＜ユーザ端末１００＞
ユーザ端末１００の一実施例は、図２４に示されるユーザ端末と同様である。【０３２７】
基地局２００１と通信中のユーザ端末１００は、基地局２００１からＡＣＫ又はＮＡＣＫを受信する。【０３２８】
伝送速度算出部１３８は、基地局２００１からのＡＣＫ又はＮＡＣＫに基づいて、上りリンクの伝送速度を算出する。伝送速度算出部１３８は、ＣｏＭＰ通信制御部１２２に、上りリンクの伝送速度を入力する。【０３２９】
ＣｏＭＰ通信制御部１２２は、伝送速度算出部１３８からの上りリンクの伝送速度と、無線品質測定算出部１１２からの無線品質測定結果に基づいて、ＣｏＭＰ伝送が必要か否かを判断する。ＣｏＭＰ通信制御部１２２は、ＣｏＭＰ伝送が必要であると判断した場合、ＣｏＭＰ伝送要求信号作成部１４０へ、ＣｏＭＰ伝送要求信号の作成を要求する。【０３３０】
ＣｏＭＰ伝送要求信号作成部１４０は、ＣｏＭＰ通信制御部１２２による要求に応じて、ＣｏＭＰ伝送要求信号を作成する。ＣｏＭＰ伝送要求信号は、符号化部１３０により符号化され、変調部１３２により変調され、送信無線部１３６により無線周波数に変換され、アンテナを介して基地局２００１へ送信される。
＜無線通信システムの動作＞
無線通信システムの動作は、図２５を参照して説明した動作と略同一である。【０３３１】
＜変形例（その１）＞
上述した無線通信システムにおいて、受信時間差Ｔｄｉｆｆに基づいて、ＣｏＭＰ伝送が可能か否か判断されてもよい。【０３３２】
受信時間差Ｔｄｉｆｆに基づいてＣｏＭＰ伝送が可能か否か判断される際に、無線回線品質を含めて、ＣｏＭＰ伝送が可能か否か判断されてもよい。
＜基地局２００１＞
図２６は、基地局２００１の一実施例を示す。【０３３３】
基地局２００１は、図１０を参照して説明した基地局と、受信時間差情報抽出部２４０と、受信時間差測定要求作成部２４２を有する点で異なる。受信時間差情報抽出部２４０は、復号部２０８と、ＣｏＭＰ通信制御部２１４と接続される。受信時間差測定要求作成部２４２は、スケジューラ２１２と、符号化部２３０と接続される。【０３３４】
基地局２００１が、接続中のユーザ端末１００と通信中である場合について説明する。【０３３５】
スケジューラ２１２は、下りリンクの伝送品質や下りリンクの伝送速度が低下したと判断した場合、ＣｏＭＰ通信制御部２１４へ、下りリンクの伝送品質や下りリンクの伝送速度が低下したことを通知する。【０３３６】
ＣｏＭＰ通信制御部２１４は、スケジューラ２１２から下りリンクの伝送品質や下りリンクの伝送速度が低下したことが通知されると、ＣｏＭＰ伝送が必要か否かを判断する。ＣｏＭＰ通信制御部２１４は、ＣｏＭＰ伝送が必要と判断した場合、無線回線品質測定要求作成部２２６へ、ユーザ端末１００への無線回線品質測定要求信号を作成するよう依頼する。【０３３７】
無線回線品質測定要求作成部２２６は、ＣｏＭＰ通信制御部２１４からの無線回線品質測定要求信号を作成する依頼に応じて、無線回線品質測定要求信号を制御信号として作成する。該無線品質測定要求信号は、符号化部２３０により符号化され、変調部２３２により変調され、送信無線部２３６により無線周波数に変換され、アンテナを介してユーザ端末１００へ送信される。ここで、無線回線品質は、通信中の基地局２００１と、該基地局２００１の周辺の基地局２００２−２００ｍからの信号の無線回線品質を示す。【０３３８】
ＣｏＭＰ通信制御部２１４によりＣｏＭＰ伝送が必要と判断された場合、通信中の基地局２００１からの送信波の受信タイミングと、他の基地局２００２−２００ｍの送信波の受信タイミングとに基づいて、受信時間差Ｔｄｉｆｆを測定し、算出することをユーザ端末１００に要求する。具体的には、ＣｏＭＰ通信制御部２１４は、受信時間差測定要求作成部２４２へ、受信時間差測定要求信号を作成するよう要求する。受信時間差測定要求作成部２４２は、受信時間差測定要求信号を作成する。受信時間差測定要求作成部２４２により作成された受信時間差測定要求信号は、符号化部２３０により符号化され、変調部２３２により変調され、送信無線部２３６により無線周波数に変換され、アンテナを介してユーザ端末１００へ送信される。【０３３９】
基地局２００１は、ユーザ端末１００から受信時間差情報を受信する。【０３４０】
受信時間差情報抽出部２３８は、受信時間差情報を抽出する。受信時間差情報抽出部２３８は、ＣｏＭＰ通信制御部２１４に、受信時間差情報を入力する。【０３４１】
ＣｏＭＰ通信制御部２１４は、無線回線品質情報と受信時間差情報に基づいて、ＣｏＭＰ伝送が可能か否かを判断する。ＣｏＭＰ通信制御部２１４は、ＣｏＭＰ伝送が可能であると判断した場合、ノンサービング基地局を選択する。また、ＣｏＭＰ通信制御部２１４は、受信時間差情報に基づいて、ＣＰ長を設定するようにしてもよい。具体的には、予め記憶されたＣＰ長から使用すべきＣＰ長が設定される。予め記憶されるＣＰ長には、Ｎｏｒｍａｌ  ＣＰのＣＰ長、Ｅｘｔｅｎｄｅｄ  ＣＰのＣＰ長が含まれてもよい。さらに、予め記憶されるＣＰ長には、Ｎｏｒｍａｌ  ＣＰ及びＥｘｔｅｎｄｅｄ  ＣＰ以外のＣＰ長が含まれてもよい。【０３４２】
ＣｏＭＰ通信制御部２１４は、受信時間差閾値Ｔｔｈに基づいて、ＣＰ長を設定してもよい。該受信時間差閾値Ｔｔｈは、Ｅｘｔｅｎｄｅｄ  ＣＰの長さ（１６．６７μｓｅｃ)未満であるのが好ましい。受信時間差が受信時間差閾値Ｔｔｈを超える場合に、Ｅｘｔｅｎｄｅｄ  ＣＰのＣＰ長に設定するようにしてもよい。該受信時間差閾値Ｔｔｈは、適宜変更可能である。具体的には、Ｅｘｔｅｎｄｅｄ  ＣＰの長さに基づいて、Ｅｘｔｅｎｄｅｄ  ＣＰの長さの半分である８．８９μｓｅｃとしてもよい。該受信時間差閾値ＴｔｈをＮｏｒｍａｌ  ＣＰの長さに基づいて設定してもよい。【０３４３】
＜ユーザ端末＞
図２７は、ユーザ端末１００の一実施例を示す。【０３４４】
ユーザ端末１００の一実施例は、図２０を参照して説明したユーザ端末と、受信時間差測定要求抽出部１４２と、受信時間差測定算出部１４４と、受信時間差情報作成部１４６とを有する点で異なる。【０３４５】
受信時間差測定要求抽出部１４２は、復号部１０８と、送受信制御部１２０と接続される。受信時間差測定算出部１４４は、復号部１０８と、受信時間差測定要求抽出部１４２と接続される。受信時間差情報作成部１４６は、受信時間差測定算出部１４４と、符号化部１３０と接続される。【０３４６】
ユーザ端末１００に無線回線品質測定要求信号が受信される。【０３４７】
無線回線品質測定算出部１１２は、無線回線品質を測定する。【０３４８】
ユーザ端末１００に受信時間差測定要求信号が受信される。【０３４９】
受信時間差測定要求抽出部１４２は、受信時間差測定要求信号を抽出する。受信時間差測定要求抽出部１４２は、受信時間差測定算出部１４４に、受信時間差Ｔｄｉｆｆの測定・算出を要求する。【０３５０】
受信時間差測定算出部１４４は、受信時間差測定要求抽出部１４２からの受信時間差測定要求信号に従って、受信時間差Ｔｄｉｆｆを測定し、算出する。例えば、受信時間差測定算出部１４４は、基地局２００１からの無線回線品質を測定する際に利用した信号の受信タイミングＴｅｎｂ１を測定する。また、受信時間差測定算出部１４４は、基地局２００２からの無線回線品質を測定する際に利用した信号の受信タイミングＴｅｎｂ２を測定する。受信時間差測定算出部１４４は、受信タイミングＴｅｎｂ１と受信タイミングＴｅｎｂ２との間の差分を１スロットの時間で除算し、余りを受信時間差Ｔｄｉｆｆ＿ｅｎｂ１−ｅｎｂ２として算出する。【０３５１】
受信品質は、基地局毎に例えばスロット単位で測定される。このため、実時間差には測定タイミング差も含まれる。従って、１スロットの時間で除算する。ＣｏＭＰ伝送のＪＴの場合には、複数の基地局からの送信波が同時に受信される。つまり、受信品質を測定する場合のように受信タイミングが異なることはない。 例えば、受信時間差Ｔｄｉｆｆが１スロット＋αである場合、αが受信時間差Ｔｄｉｆｆとなる。【０３５２】
受信時間差測定算出部１４４は、基地局２００１と、基地局２００３−２００ｍとの間の受信時間差Ｔｄｉｆｆ＿ｅｎｂ１−ｅｎｂ３−Ｔｄｉｆｆ＿ｅｎｂ１−ｅｎｂｍを測定算出する。受信時間差測定算出部１４４は、受信時間差情報作成部１４６に、受信時間差の算出結果を入力する。【０３５３】
受信時間差情報作成部１４６は、受信時間差測定算出部１４４により入力された受信時間差に基づいて、受信時間差情報を作成する。受信時間差情報は、変調部１３２により変調され、送信無線部１３６により無線周波数に変換され、基地局２００１へ送信される。受信時間差情報は、一括して基地局２００１へ送信されてもよいし、個別に順次送信されてもよい。【０３５４】
また、実施例１において説明した無線回線品質報告と同様に、全受信時間を基地局２００１に報告(送信)してもよいし、例えば、受信時間差Ｔｄｉｆｆが相対的に最も小さいものから３つを基地局２００１に報告(送信)してもよい。該３は一例であり、２でもよいし、４以上であってもよい。【０３５５】
本変形例によれば、無線回線品質に基づいてＣｏＭＰ伝送ができるか否かを判断する際に生じるＣｏＭＰ伝送の品質劣化を防止できる。該品質劣化は、受信時間差Ｔｄｉｆｆを用いないことによって生じるものが含まれる。特に、受信時間差Ｔｄｉｆｆに敏感であるＪＴを用いたＣｏＭＰ伝送ができるか否かの判断が可能となる。併せて伝送品質及び伝送速度の改善が可能となる。【０３５６】
＜無線通信システムの動作＞
図２８は、無線通信システムの動作の一実施例を示すシーケンス図（その１）である。図２８には、一例として、２つの基地局がサービング基地局の候補とされる場合について説明する。１つの基地局がサービングの候補とされてもよいし、３以上の基地局がサービングの候補とされてもよい。【０３５７】
サービング基地局２００１は、ＣｏＭＰ伝送を要求するか否かを判定する（ステップＳ２８０２）。つまり、ＣｏＭＰ送信制御部２１４は、ＣｏＭＰ伝送を行うか否かを判定する。ここでは、ＣｏＭＰ伝送を要求すると判定される。【０３５８】
サービング基地局２００１は、ユーザ端末１００へ、無線回線品質測定要求を送信する（ステップＳ２８０４）。つまり、無線回線品質測定要求作成部２２６は、ユーザ端末１００に送信する無線回線品質測定要求を作成する。該無線回線品質測定要求は、ユーザ端末１００へ送信される。【０３５９】
サービング基地局２００１、基地局２００２、基地局２００３から、パイロットが送信される（ステップＳ２８０６）。つまり、スケジューラ２１２による制御に従って、下りＰｉｌｏｔ作成部２２０は、パイロットを作成する。該パイロットは、符号化部２３０、変調部２３２、送信無線部２３６を介して、ユーザ端末１００へ送信される。【０３６０】
ユーザ端末１００は、サービング基地局２００１、基地局２００２、基地局２００３からのパイロットの無線回線品質を測定する（ステップＳ２８０８）。つまり、無線回線品質測定算出部１１２は、サービング基地局２００１、基地局２００２、基地局２００３からのパイロットの無線回線品質を測定する。例えば、ＣＱＩやＲＳＲＰやＲＳＲＱ等が求められる。【０３６１】
ユーザ端末１００は、サービング基地局２００１へ、無線回線品質結果通知を送信する（ステップＳ２８１０）。つまり、無線回線品質情報作成部１２６は、無線回線品質結果通知を作成する。【０３６２】
サービング基地局２００１は、ノンサービング基地局を選択する（ステップＳ２８１２）。つまり、ＣｏＭＰ通信制御部２１４は、無線回線品質測定結果に基づいて、サービング基地局を選択する。ここでは、基地局２００２がノンサービング基地局として選択される。【０３６３】
サービング基地局２００１は、ユーザ端末１００に、受信時間差測定算出要求を送信する（ステップＳ２８１４）。つまり、受信時間差測定要求作成部２４２により作成された受信時間差測定要求は、ユーザ端末１００へ送信される。【０３６４】
サービング基地局２００１、基地局２００２から、パイロットが送信される（ステップＳ２８１６）。つまり、スケジューラ２１２による制御に従って、下りＰｉｌｏｔ作成部２２０は、パイロットを作成する。該パイロットは、符号化部２３０、変調部２３２、送信無線部２３６を介して、ユーザ端末１００へ送信される。【０３６５】
ユーザ端末１００は、受信時間差を測定し、算出する（ステップＳ２８１８）。つまり、受信時間差測定算出部１４４は、受信時間差を測定し、算出する。【０３６６】
ユーザ端末１００は、サービング基地局２００１へ、受信時間差算出結果通知を送信する（ステップＳ２８２０）。つまり、受信時間差情報作成部１４６により作成された受信時間差情報は受信時間差算出結果通知として、サービング基地局２００１へ送信される。【０３６７】
サービング基地局２００１は、ＣｏＭＰ伝送が可能か否かを判定する（ステップＳ２８２２）。つまり、ＣｏＭＰ通信制御部２１４は、ユーザ端末１００からの受信時間差算出結果通知に基づいて、ＣｏＭＰ伝送が可能か否かを判定する。ＣｏＭＰ通信制御部２１４は、ＣｏＭＰ伝送が可能であると判定した場合、ノンサービング基地局を選択する。さらに、ＣｏＭＰ通信制御部２１４は、受信時間差算出結果通知に基づいて、ＣＰ長を設定する。ここでは、ノンサービング基地局として、基地局２００２が選択される。【０３６８】
サービング基地局２００１は、ノンサービング基地局として選択した基地局２００２に、ＣｏＭＰ伝送実施通知を送信する（ステップＳ２８２４）。つまり、スケジューラ２１２は、ノンサービング基地局に、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、ノンサービング基地局に送信される。符号化部２３０、変調部２３２、送信無線部２３６を介して、ノンサービング基地局に送信されてもよい。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０３６９】
サービング基地局２００１は、ユーザ端末１００に、ＣｏＭＰ伝送実施通知を送信する（ステップＳ２８２６）。つまり、スケジューラ２１２は、ユーザ端末１００に、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、符号化部２３０、変調部２３２、送信無線部２３６を介して、ユーザ端末１００へ送信される。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０３７０】
ユーザ端末１００と、サービング基地局２００１，及びノンサービング基地局２００２との間で、ＣｏＭＰ伝送が実施される（ステップＳ２８２８）。【０３７１】
図２９は、無線通信システムの動作の一実施例を示すシーケンス図（その２）である。図２９には、一例として、２つの基地局がサービング基地局の候補とされる場合について説明する。１つの基地局がサービングの候補とされてもよいし、３以上の基地局がサービングの候補とされてもよい。【０３７２】
サービング基地局２００１は、ＣｏＭＰ伝送を要求するか否かを判定する（ステップＳ２９０２）。つまり、ＣｏＭＰ送信制御部２１４は、ＣｏＭＰ伝送を行うか否かを判定する。ここでは、ＣｏＭＰ伝送を要求すると判定される。【０３７３】
サービング基地局２００１は、ユーザ端末１００に、無線回線品質測定要求を送信する（ステップＳ２９０４）。つまり、無線回線品質測定要求作成部２２６は、ユーザ端末１００へ送信する無線回線品質測定要求を作成する。該無線回線品質測定要求は、ユーザ端末１００へ送信される。【０３７４】
サービング基地局２００１は、ユーザ端末１００に、受信時間差算出要求を送信する（ステップＳ２９０６）。つまり、受信時間差測定要求作成部２４２により作成された受信時間差算出要求は、ユーザ端末１００へ送信される。【０３７５】
サービング基地局２００１、基地局２００２、基地局２００３から、パイロットが送信される（ステップＳ２９０８）。つまり、スケジューラ２１２による制御に従って、下りＰｉｌｏｔ作成部２２０は、パイロットを作成する。該パイロットは、符号化部２３０、変調部２３２、送信無線部２３６を介して、ユーザ端末１００へ送信される。【０３７６】
ユーザ端末１００は、サービング基地局２００１、基地局２００２、基地局２００３からのパイロットの無線回線品質を測定する（ステップＳ２９１０）。つまり、無線回線品質測定算出部１１２は、サービング基地局２００１、基地局２００２、基地局２００３からのパイロット信号の無線回線品質を測定する。例えば、ＣＱＩやＲＳＲＰやＲＳＲＱ等が求められる。【０３７７】
ユーザ端末１００は、受信時間差を測定し、算出する（ステップＳ２９１２）。つまり、受信時間差測定算出部１４４は、受信時間差を測定し、算出する。【０３７８】
ユーザ端末１００は、サービング基地局２００１へ、無線回線品質結果通知を送信する（ステップＳ２９１４）。つまり、無線回線品質情報作成部１２６は、無線回線品質結果通知を作成する。【０３７９】
ユーザ端末１００は、サービング基地局２００１へ、受信時間差算出結果通知を送信する（ステップＳ２９１６）。つまり、受信時間差情報作成部１４６により作成された受信時間差情報は受信時間差算出結果通知として、サービング基地局２００１へ送信される。【０３８０】
サービング基地局２００１は、ＣｏＭＰ伝送が可能か否かを判定する。さらに、サービング基地局２００１は、ＣｏＭＰ伝送が可能であると判定した場合には、ノンサービング基地局を選択する（ステップＳ２９１８）。つまり、ＣｏＭＰ通信制御部２１４は、ユーザ端末１００からの受信時間差算出結果通知に基づいて、ＣｏＭＰ伝送が可能か否かを判定する。ＣｏＭＰ通信制御部２１４は、ＣｏＭＰ伝送が可能であると判定した場合、無線回線頻出結果通知に基づいて、ノンサービング基地局を選択する。ここでは、ノンサービング基地局として、基地局２００２が選択される。さらに、ＣｏＭＰ通信制御部２１４は、ユーザ端末１００からの受信時間差算出結果通知信号に基づいて、ＣＰ長を設定する。【０３８１】
サービング基地局２００１は、ノンサービング基地局として選択された基地局２００２へ、ＣｏＭＰ伝送実施通知を送信する（ステップＳ２９２０）。つまり、スケジューラ２１２は、ノンサービング基地局へ、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、ノンサービング基地局へ送信される。符号化部２３０、変調部２３２、送信無線部２３６を介して、ノンサービング基地局へ送信されてもよい。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０３８２】
サービング基地局２００１は、ユーザ端末１００へ、ＣｏＭＰ伝送実施通知を送信する（ステップＳ２９２２）。つまり、スケジューラ２１２は、ユーザ端末１００へ、ＣｏＭＰ伝送実施通知を送信するように、ＣｏＭＰ伝送実施通知作成部２２４に依頼する。ＣｏＭＰ伝送実施通知作成部２２４は、スケジューラ２１２からの依頼に従って、ＣｏＭＰ伝送実施通知を作成する。該ＣｏＭＰ伝送実施通知は、符号化部２３０、変調部２３２、送信無線部２３６を介して、ユーザ端末１００へ送信される。さらに、ＣｏＭＰ伝送用のＣＰ長を表す情報を含むＣｏＭＰ伝送実施通知が通知されてもよい。また、ＣｏＭＰ伝送用のＣＰ長を表す情報は、ＣｏＭＰ伝送実施通知のタイミングとは異なるタイミングで送信されてもよい。【０３８３】
ユーザ端末１００と、サービング基地局２００１，及びノンサービング基地局２００２との間で、ＣｏＭＰ伝送が実施される（ステップＳ２９２４）。【０３８４】
＜上りリンクの受信時間差Ｔｄｉｆｆを用いてＣｏＭＰ伝送が可能か否か判断する場合＞
図３０は、基地局２００ｎの一実施例を示す。【０３８５】
基地局２００ｎの一実施例は、図１０を参照して説明した基地局と、受信時間差測定算出部２４４を有する点で異なる。受信時間差測定算出部２４４は、復号部１０８と、ＣｏＭＰ通信制御部２１４と接続される。【０３８６】
サービング基地局２００１の受信時間差測定算出部２４４は、ユーザ端末１００からの上りリンクの送信タイミングに対する受信タイミングを測定算出する。さらに、該受信時間差測定算出部２４４には、各基地局２００２−２００ｍにより測定算出されたユーザ端末１００からの上りリンクの信号の送信タイミングに対する受信タイミングが、基地局インターフェース等を介して転送される。【０３８７】
基地局２００１の受信時間差測定算出部２４４は、入力された情報に基づいて、受信時間差Ｔｄｉｆｆを算出する。受信時間差測定算出部２４４は、ＣｏＭＰ通信制御部２１４に、受信時間差Ｔｄｉｆｆの算出結果を通知する。【０３８８】
ＣｏＭＰ通信制御部２１４は、受信時間差Ｔｄｉｆｆに基づいて、ＣｏＭＰ伝送が可能か否かを判断する。ＣｏＭＰ通信制御部２１４は、ＣｏＭＰ伝送が可能であると判断した場合、ノンサービング基地局を選択する。さらに、ＣｏＭＰ通信制御部２１４は、受信時間差Ｔｄｉｆｆに基づいて、ＣＰ長を設定する。【０３８９】
下りリンクのＣｏＭＰ伝送が必要か否かをユーザ端末１００が判断するようにしてもよい。【０３９０】
図３１は、基地局２００ｎの一実施例を示す。【０３９１】
基地局２００ｎは、図２６を参照して説明した基地局と、ＣｏＭＰ伝送要求信号抽出部２３８を有する点で異なる。ＣｏＭＰ伝送要求信号抽出部２３８は、復号部２０８と、ＣｏＭＰ通信制御部２１４と接続される。【０３９２】
ＣｏＭＰ伝送要求信号抽出部２３８は、ユーザ端末１００により送信される上りリンクの信号からＣｏＭＰ伝送要求信号を抽出する。ＣｏＭＰ伝送要求信号抽出部２３８は、ＣｏＭＰ通信制御部２１４に、ＣｏＭＰ伝送要求信号を入力する。【０３９３】
図３２は、ユーザ端末１００の一実施例を示す。【０３９４】
ユーザ端末１００は、図２７を参照して説明した基地局と、ＣｏＭＰ伝送要求信号作成部１４０を有する点で異なる。ＣｏＭＰ伝送要求信号作成部１４０は、ＣｏＭＰ通信制御部１２２と、符号化部１３０と接続される。【０３９５】
ＣｏＭＰ伝送要求信号作成部１４０は、ＣｏＭＰ通信制御部１２２からＣｏＭＰ伝送要求信号の作成が依頼された場合に、ＣｏＭＰ伝送要求信号を作成し、符号化部１３０に入力する。【０３９６】
また、上りリンクのＣｏＭＰ伝送が必要か否かをユーザ端末が判断するようにしてもよい。【０３９７】
図３３は、基地局２００ｎの一実施例を示す。【０３９８】
基地局２００ｎは、図３０を参照して説明した基地局と、ＣｏＭＰ伝送要求信号抽出部２３８を有する点で異なる。ＣｏＭＰ伝送要求信号抽出部２３８は、復号部１０８と、ＣｏＭＰ通信制御部２１４と接続される。【０３９９】
ＣｏＭＰ伝送要求信号抽出部２３８は、ユーザ端末１００からの上りリンクの信号から、ＣｏＭＰ伝送要求信号を抽出する。ＣｏＭＰ伝送要求信号抽出部２３８は、ＣｏＭＰ通信制御部２１４に、ＣｏＭＰ伝送要求信号を入力する。
＜無線通信システムの動作＞
図３４は、無線通信システムの動作の一実施例を示す。【０４００】
図３４には、一例として、２つの基地局がサービング基地局の候補とされる場合について説明する。１つの基地局がサービングの候補とされてもよいし、３以上の基地局がサービングの候補とされてもよい。【０４０１】
サービング基地局２００１は、ＣｏＭＰ伝送を要求するか否かを判定する（ステップＳ３４０２）。つまり、ＣｏＭＰ送信制御部２１４は、ＣｏＭＰ伝送を行うか否かを判定する。ここでは、ＣｏＭＰ伝送を要求すると判定される。【０４０２】
サービング基地局２００１は、基地局２００２、２００３へ、無線回線品質測定要求を送信する（ステップＳ３４０４）。つまり、スケジューラ２１２から、基地局２００２、２００３に、無線回線品質測定要求が送信される。【０４０３】
サービング基地局２００１は、基地局２００２、２００３へ、受信時間差算出要求を送信する（ステップＳ３４０６）。つまり、スケジューラ２１２から、基地局２００２、２００３へ、受信時間差算出要求が送信される。【０４０４】
サービング基地局２００１は、ユーザ端末１００へ、パイロット信号送信要求を送信する（ステップＳ３４０４）。つまり、上りＰｉｌｏｔ送信要求作成部２２２により作成されたパイロット信号送信要求は、ユーザ端末１００へ、送信される。【０４０５】
ユーザ端末１００は、基地局２００１、２００３、２００３へ、パイロットを送信する（ステップＳ３４１０）。つまり、Ｐｉｌｏｔ作成部１２８により作成されたパイロットは、基地局２００１、２００３、２００３へ、送信される。基地局２００１、２００３、２００３に対して、異なる符号系列を含むパイロット信号が送信されてもよい。【０４０６】
サービング基地局２００１、基地局２００２、基地局２００３は、ユーザ端末１００からのパイロット信号に基づいて、無線回線品質を測定する（ステップＳ３４１２）。つまり、無線回線品質測定算出部２１６は、ユーザ端末１００からのパイロット信号に基づいて、無線回線品質を測定する。【０４０７】
サービング基地局２００１、基地局２００２、基地局２００３は、ユーザ端末１００からのパイロットに基づいて、受信時間を測定する（ステップＳ３４１４）。つまり、受信時間差測定算出部２４４は、ユーザ端末１００からのパイロット信号に基づいて、受信時間を測定する。【０４０８】
基地局２００２、基地局２００３は、サービング基地局２００１へ、無線回線品質結果通知を送信する。基地局２００２、基地局２００３の無線回線品質測定算出部２１６は、ユーザ端末１００からのパイロットに基づいて、無線回線品質を測定する。該無線回線品質測定算出部２１６は、サービング基地局２００１へ、無線回線品質結果通知を送信する。【０４０９】
基地局２００２、基地局２００３は、サービング基地局２００１に、受信時間差算出結果通知を送信する。基地局２００２、基地局２００３の受信時間差測定算出部２４４は、ユーザ端末１００からのパイロット信号に基づいて、受信時間を測定する。該受信時間差測定算出部２４４は、サービング基地局２００１へ、無線回線品質結果通知を送信する。【０４１０】
サービング基地局２００１は、当該サービング基地局２００１により測定された受信時間と、基地局２００２、基地局２００３からの受信時間に基づいて、受信時間差を算出する（ステップＳ３４２０）。つまり、受信時間差測定算出部２４４は、当該サービング基地局２００１により測定された受信時間と、基地局２００２、基地局２００３からの受信時間に基づいて、当該サービング基地局２００１と、基地局２００２、基地局２００３との間の受信時間差を算出する。【０４１１】
サービング基地局２００１は、ＣｏＭＰ伝送が可能か否かを判定する。さらに、サービング基地局２００１は、ＣｏＭＰ伝送が可能であると判定した場合には、ノンサービング基地局を選択する（ステップＳ３４２２）。つまり、ＣｏＭＰ通信制御部２１４は、受信時間差測定算出部２４４からの受信時間差と、無線回線品質測定算出部２１６からの無線回線品質とに基づいて、ＣｏＭＰ伝送が可能であるか否かを判断する。ここでは、ＣｏＭＰ伝送が可能であると判断される。ＣｏＭＰ通信制御部２１４は、ノンサービング基地局として、基地局２００２を選択する。さらに、ＣｏＭＰ通信制御部２１４は、受信時間差に基づいて、ＣｏＭＰ伝送用のＣＰ長を設定する。【０４１２】
サービング基地局２００１は、ノンサービング基地局として選択された基地局２００２へ、ＣｏＭＰ伝送実施通知を送信する（ステップＳ３４２４）。つまり、スケジューラ２１２は、ノンサービング基地局へ、ＣｏＭＰ伝送実施通知を送信する。さらに、ＣｏＭＰ伝送用のＣＰ長を表す情報が通知されてもよい。【０４１３】
サービング基地局２００１は、ユーザ端末１００に、ＣｏＭＰ伝送実施通知を送信する（ステップＳ３４２６）。つまり、ＣｏＭＰ伝送実施通知作成部２２４は、ＣｏＭＰ伝送実施通知を作成する。該ＣｏＭＰ伝送実施通知は、ユーザ端末１００へ送信される。さらに、ＣｏＭＰ伝送用のＣＰ長を表す情報が通知されてもよい。【０４１４】
ユーザ端末１００と、サービング基地局２００１，及びノンサービング基地局２００２との間で、ＣｏＭＰ伝送が実施される（ステップＳ３４２８）。【０４１５】
図３５は、無線通信システムの動作の一実施例を示す。【０４１６】
ユーザ端末１００は、ＣｏＭＰ伝送を要求するか否かを判定する（ステップＳ３５０２）。ここでは、ＣｏＭＰ伝送を要求すると判定される。つまり、ＣｏＭＰ通信制御部１２２は、ＣｏＭＰ伝送を要求するか否かを判断する。ここでは、ＣｏＭＰ伝送を要求すると判断される。【０４１７】
ユーザ端末１００は、サービング基地局２００１へ、ＣｏＭＰ伝送を要求するためのＣｏＭＰ伝送要求を送信する（ステップＳ３５０４）。ＣｏＭＰ伝送要求信号作成部１４０により作成されたＣｏＭＰ伝送要求がサービング基地局２００１に送信される。【０４１８】
ステップＳ３５０６−Ｓ３５３０は、図３４のステップＳ３４０４−Ｓ３４２８と同様である。【０４１９】
また、ユーザ端末１００が、ＣｏＭＰ伝送が必要か否かを判定し、ノンサービング基地局が選択された後に、受信時間差を測定するようにしてもよい。【０４２０】
図３６は、無線通信システムの動作の一実施例を示す。【０４２１】
ユーザ端末１００は、ＣｏＭＰ伝送を要求するか否かを判定する（ステップＳ３６０２）。ここでは、ＣｏＭＰ伝送を要求すると判定される。【０４２２】
ユーザ端末１００は、サービング基地局２００１へ、ＣｏＭＰ伝送を要求するためのＣｏＭＰ伝送要求を送信する（ステップＳ３６０４）。【０４２３】
ステップＳ３６０６−Ｓ３５３０は、図２８のステップＳ２８０４−Ｓ２８２８と同様である。【０４２４】
また、ユーザ端末１００が、ＣｏＭＰ伝送が必要か否かを判定し、無線回線品質と、受信時間差とが測定された後に、ＣｏＭＰ伝送が可能か否か判断されてもよい。【０４２５】
図３７は、無線通信システムの動作の一実施例を示す。【０４２６】
ユーザ端末１００は、ＣｏＭＰ伝送を要求するか否かを判定する（ステップＳ３７０２）。ここでは、ＣｏＭＰ伝送を要求すると判定される。【０４２７】
ユーザ端末１００は、サービング基地局２００１へ、ＣｏＭＰ伝送を要求するためのＣｏＭＰ伝送要求を送信する（ステップＳ３７０４）。【０４２８】
ステップＳ３７０６−Ｓ３７２６は、図２９のステップＳ２９０４−Ｓ２９２４と同様である。
＜変形例（その２）＞
下りリンクのＣｏＭＰ伝送が実施される場合に、ユーザ端末１００によりノンサービング基地局が選択される。【０４２９】
図３８は、ユーザ端末１００の一実施例を示す。【０４３０】
ユーザ端末１００は、図２７を参照して説明したユーザ端末と、ノンサービング基地局情報作成部１４８を有する点で異なる。ノンサービング基地局情報作成部１４８は、ＣｏＭＰ通信制御部１２２と、符号化部１３０と接続される。【０４３１】
無線回線品質測定算出部１１２は、各基地局２００２−２００ｍからの無線回線品質を測定する。無線回線品質測定算出部１１２は、ＣｏＭＰ通信制御部１２２に、無線回線品質の測定結果を入力する。【０４３２】
ＣｏＭＰ通信制御部１２２は、無線回線品質の測定結果に基づいて、接続中の基地局２００１からの無線回線品質との差が最小の無線回線品質を求める。ＣｏＭＰ通信制御部１２２は、該接続中の基地局２００１からの無線回線品質との差が最小の無線回線品質となる基地局をノンサービング基地局として選択する。ＣｏＭＰ通信制御部１２２は、ノンサービング基地局として選択された基地局を表す情報をノンサービング基地局情報作成部１４８へ通知する。【０４３３】
ノンサービング基地局情報作成部１４８は、ＣｏＭＰ通信制御部１２２からのノンサービング基地局として選択された基地局を表す情報に基づいて、ノンサービング基地局情報を作成する。該ノンサービング基地局情報は、符号化部１３０により符号化され、変調部１３２により変調され、送信無線部１３６により無線周波数に変換され、アンテナを介して基地局２００１へ送信される。【０４３４】
また、ユーザ端末１００は、基地局２００１に、ノンサービング基地局を選択する際に使用した無線回線品質情報を送信するようにしてもよい。【０４３５】
図３９は、基地局２００ｎの一実施例を示す。【０４３６】
基地局２００ｎは、図２６を参照して説明した基地局と、ノンサービング基地局情報抽出部２４６を有する点で異なる。ノンサービング基地局情報抽出部２４６は、復号部２０８と、ＣｏＭＰ通信制御部２１４と接続される。【０４３７】
ノンサービング基地局情報抽出部２４６は、ユーザ端末１００から通知されたノンサービング基地局情報を抽出する。ノンサービング基地局情報抽出部２４６は、ＣｏＭＰ通信制御部２１４へ、ノンサービング基地局情報を入力する。【０４３８】
無線回線品質情報抽出部２１０は、ユーザ端末から通知された無線回線品質情報を抽出する。無線回線品質情報抽出部２１０は、ＣｏＭＰ通信制御部２１４へ、無線回線品質情報を入力する。【０４３９】
ＣｏＭＰ通信制御部２１４は、ノンサービング基地局情報抽出部２４６からのノンサービング基地局情報と、無線回線品質情報抽出部２１０からの無線回線品質情報とに基づいて、ＣｏＭＰ伝送ができるか否かを判断する。ＣｏＭＰ通信制御部２１４は、ＣｏＭＰ伝送ができると判断した場合には、ノンサービング基地局として、ノンサービング基地局情報により指定される基地局を選択するようにしてもよい。また、ＣｏＭＰ通信制御部２１４は、ＣｏＭＰ伝送ができると判断した場合には、ノンサービング基地局情報に関係なくノンサービング基地局を選択するようにしてもよい。ノンサービング基地局情報に関係なくノンサービング基地局を選択する場合、ノンサービング基地局情報に含まれる基地局をノンサービング基地局の候補としてもよい。【０４４０】
ＣｏＭＰ伝送が必要であるか否かは、上述したように、基地局２００１によって判断されてもよいし、ユーザ端末１００によって判断されてもよい。【０４４１】
図４０は、ユーザ端末１００の一実施例を示す。【０４４２】
図４０に示されるユーザ端末１００は、図３８を参照して説明したユーザ端末と、ＣｏＭＰ伝送要求信号作成部１４０を有する点で異なる。ＣｏＭＰ伝送要求信号作成部１４０は、ＣｏＭＰ通信制御部１２２と、符号化部１３０と接続される。【０４４３】
図４１は、基地局２００ｎの一実施例を示す。【０４４４】
図４１に示される基地局２００ｎは、図３９を参照して説明した基地局と、ＣｏＭＰ伝送要求信号抽出部２３８を有する点で異なる。ＣｏＭＰ伝送要求信号抽出部２３８は、復号部２０８と、ＣｏＭＰ通信制御部２１４と接続される。【０４４５】
図４０に示されるユーザ端末１００と、図４１に示される基地局２００ｎとを含む無線通信システムでは、ユーザ端末１００によりＣｏＭＰ伝送が必要であるか否か判断される。【０４４６】
図４２は、無線通信システムの動作の一実施例を示す。【０４４７】
ステップＳ４２０２−Ｓ４２１６は、図２９のステップＳ２９０２−Ｓ２９１６と略同一である。図４２に示される例では、ユーザ端末１００によりＣｏＭＰ伝送が可能か否か判断される。さらに、ＣｏＭＰ伝送が可能であると判断された場合に、ユーザ端末１００によりノンサービング基地局が選択される。【０４４８】
ユーザ端末１００は、ＣｏＭＰ伝送が可能か否かを判断する。さらに、ＣｏＭＰ伝送が可能であると判断した場合、ノンサービング基地局を選択する（ステップＳ４２１８）。つまり、ＣｏＭＰ通信制御部２１４は、ＣｏＭＰ伝送が可能か否かを判定する。【０４４９】
ユーザ端末１００は、サービング基地局２００１へ、ＣｏＭＰ伝送が可能であるか否かの判断結果を表すＣｏＭＰ伝送可否判断結果通知を通知する（ステップＳ４２２０）。つまり、サービング基地局２００１に、ＣｏＭＰ伝送要求信号作成部１４０により作成されたＣｏＭＰ伝送可否判断結果通知が送信される。【０４５０】
ユーザ端末１００は、サービング基地局２００１へ、ノンサービング基地局として選択された基地局を表す情報を含むノンサービング基地局選択結果通知を通知する（ステップＳ４２２２）。つまり、サービング基地局２００１に、ノンサービング基地局情報作成部１４８により作成されたノンサービング基地局選択結果通知が送信される。【０４５１】
サービング基地局２００１は、ユーザ端末１００により通知された無線回線品質結果通知に基づいて、ＣｏＭＰ伝送が可能か否かを判定する。つまり、ＣｏＭＰ通信制御部２１４は、ユーザ端末１００により通知された無線回線品質結果通知に基づいて、ＣｏＭＰ伝送が可能か否かを判定する。ＣｏＭＰ伝送が可能であると判定した場合、ノンサービング基地局選択結果通知に基づいて、ノンサービング基地局を選択する。【０４５２】
ステップＳ４２２６−Ｓ４２３０は、図２９のステップＳ２９２０−Ｓ２９２４と略同一である。【０４５３】
図４３は、無線通信システムの動作の一実施例を示す。【０４５４】
ステップＳ４３０２−Ｓ４３１６は、図２９のステップＳ２９０２−Ｓ２９１６と略同一である。図４３に示される例では、ユーザ端末１００によりノンサービング基地局が選択される。【０４５５】
ユーザ端末１００は、ノンサービング基地局を選択する（ステップＳ４３１８）。【０４５６】
ユーザ端末１００は、サービング基地局２００１へ、ノンサービング基地局として選択された基地局を表す情報を含むノンサービング基地局選択結果通知を通知する（ステップＳ４３２０）。つまり、サービング基地局２００１へ、ノンサービング基地局情報作成部１４８により作成されたノンサービング基地局選択結果通知が送信される。【０４５７】
サービング基地局２００１は、ユーザ端末１００により通知された無線回線品質結果通知に基づいて、ＣｏＭＰ伝送が可能か否かを判定する。つまり、ＣｏＭＰ通信制御部２１４は、ユーザ端末１００により通知された無線回線品質結果通知に基づいて、ＣｏＭＰ伝送が可能か否かを判定する。ＣｏＭＰ伝送が可能であると判定した場合、ノンサービング基地局選択結果通知に基づいて、ノンサービング基地局を選択する（ステップＳ４３２２）。【０４５８】
ステップＳ４３２４−Ｓ４３２８は、図２９のステップＳ２９２０−Ｓ２９２４と略同一である。【０４５９】
図４４は、無線通信システムの動作の一実施例を示す。【０４６０】
図４４に示される例では、ユーザ端末１００によりノンサービング基地局が選択される。サービング基地局２００１は、ユーザ端末１００によりノンサービング基地局として選択された基地局をノンサービング基地局として選択する。【０４６１】
ステップＳ４４０２−Ｓ４４１４は、図２９のステップＳ２９０２−Ｓ２９１４と略同一である。【０４６２】
ユーザ端末１００は、ノンサービング基地局を選択する（ステップＳ４４１６）。つまり、ＣｏＭＰ通信制御部１２２は、ノンサービング基地局を選択する。【０４６３】
ユーザ端末１００は、サービング基地局２００１に、ノンサービング基地局として選択された基地局を表す情報を含むノンサービング基地局選択結果通知を通知する（ステップＳ４４１８）。つまり、サービング基地局２００１に、ノンサービング基地局情報作成部１４８により作成されたノンサービング基地局選択結果通知が送信される。【０４６４】
サービング基地局２００１は、ユーザ端末１００により通知された無線回線品質結果通知に基づいて、ＣｏＭＰ伝送が可能か否かを判定する（ステップＳ４４２０）。つまり、ＣｏＭＰ通信制御部２１４は、ユーザ端末１００により通知された無線回線品質結果通知に基づいて、ＣｏＭＰ伝送が可能か否かを判定する。ＣｏＭＰ伝送が可能であると判定した場合、ノンサービング基地局選択結果通知に含まれ基地局をノンサービング基地局に設定する。【０４６５】
ステップＳ４４２２−Ｓ４４２６は、図２９のステップＳ２９２０−Ｓ２９２４と略同一である。
＜変形例（その３）＞
上述した変形例において、ＣｏＭＰ伝送が可能か否かを判断する際に、受信時間差Ｔｄｉｆｆと受信時間差閾値Ｔｔｈとを比較するようにしてもよい。【０４６６】
具体的には、ＣｏＭＰ通信制御部２１４は、ＣｏＭＰ伝送が可能か否かを判断する際に、受信時間差Ｔｄｉｆｆと受信時間差閾値Ｔｔｈとを比較する。該ＣｏＭＰ通信制御部２１４は、受信時間差Ｔｄｉｆｆが受信時間差閾値Ｔｔｈ以下である場合に、ＣｏＭＰ伝送が可能であると判断するようにしてもよい。さらに、ＣｏＭＰ伝送が可能であると判断した場合、該ＣｏＭＰ通信制御部２１４は、無線回線品質差が小さくかつ受信時間差Ｔｄｉｆｆが受信時間差閾値Ｔｔｈより小さい基地局をノンサービング基地局として選択するようにしてもよい。【０４６７】
逆に、該ＣｏＭＰ通信制御部２１４は、受信時間差Ｔｄｉｆｆが受信時間差閾値Ｔｔｈを超える場合には、ＣｏＭＰ伝送を行わないと判断するようにしてもよい。【０４６８】
図４５は、ＣｏＭＰ伝送が可能か否かを判断する際の処理を示す。図４５には、主に、ＣｏＭＰ通信制御部２１４による処理が示される。【０４６９】
サービング基地局２００１は、基地局２００１（ｅＮＢ１）からの受信時間と、基地局２００２（ｅＮＢ２）からの受信時間の受信時間差Ｔｄｉｆｆを算出する（ステップＳ４５０２）。【０４７０】
サービング基地局２００１は、受信時間差Ｔｄｉｆｆが、受信時間差閾値Ｔｔｈ未満であるか否かを判定する（ステップＳ４５０４）。【０４７１】
受信時間差Ｔｄｉｆｆが、受信時間差閾値Ｔｔｈ未満である場合（ステップＳ４５０４：ＹＥＳ）、サービング基地局２００１は、ＣｏＭＰ伝送が可能であると判定する（ステップＳ４５０６）。この場合、ＣｏＭＰ伝送が実施される。【０４７２】
受信時間差Ｔｄｉｆｆが、受信時間差閾値Ｔｔｈ未満でない場合（ステップＳ４５０４：ＮＯ）、サービング基地局２００１は、ＣｏＭＰ伝送を行わないと判定する（ステップＳ４５０８）。この場合、これまでの通信が維持される。【０４７３】
図４５に示されるフローでは、基地局２００１からの受信時間と、基地局２００２からの受信時間との差が算出されたが、基地局２００１と、該基地局２００１とは異なる基地局との間で受信時間差が算出されてもよい。
＜変形例（その４）＞
ＣｏＭＰ伝送方式に応じて受信時間差閾値を設定するようにしてもよい。【０４７４】
例えば、ＣｏＭＰ伝送方式に含まれるＪＴは、所謂Ｎｅｔｗｏｒｋ  ＭＩＭＯと呼ばれる。ＪＴでは、複数の基地局を用いて下りＭＩＭＯ伝送が実施される。【０４７５】
ＭＩＭＯ伝送が実施される際には、受信側において、チャネル推定と、ストリームの分離が行われる。【０４７６】
プリコーディングを用いて下り２×２  ＭＩＭＯの場合を例にＭＩＭＯのストリームを説明する。【０４７７】
送信側で２のデータ列に分割された各データに対して、符号化・変調が施され、プリコーディングされた信号を１つのストリームと呼ぶ。２×２  ＭＩＭＯの場合には２ストリームとなる。ストリームとは、所謂ストリーミングなどのようにアプリケーションにおけるデータストリームの意味とは異なる。アンテナの数がストリームに対応するのではない点に注意が必要である。例えば、送信ダイバーシチは同じデータを２のアンテナから送信するとしても１ストリームであり、２ストリームとはならない。ストリームを分離するには、プリコーディングを再びかける。チャネル推定結果に基づいて補正を実施してもよい。【０４７８】
下りＭＩＭＯ伝送が実施される際に、ユーザ端末において基地局間の受信時間差Ｔｄｉｆｆが大きいと、ストリームの分離精度が劣化する。ストリームの分離精度が劣化することにより、伝送品質が劣化する。つまり、下り伝送速度が低下する。最悪の場合、分離ができなくなり、データ伝送ができない虞がある。従って、ＪＴを使用する場合の受信時間差閾値Ｔｊｔは、伝送品質の劣化がない値としなければならない。【０４７９】
図４６は、ＣｏＭＰ伝送方式としてＪＴが可能か否かを判断する際の処理を示す。図４６には、主に、サービング基地局のＣｏＭＰ通信制御部２１４による処理が示される。【０４８０】
サービング基地局２００１は、ユーザ端末から通知された基地局２００１（ｅＮＢ１）からの受信時間と、同様にユーザ端末から通知された基地局２００２（ｅＮＢ２）からの受信時間の受信時間差Ｔｄｉｆｆを算出する（ステップＳ４６０２）。【０４８１】
サービング基地局２００１は、受信時間差Ｔｄｉｆｆが、ＪＴの受信時間差閾値Ｔｊｔ未満であるか否かを判定する（ステップＳ４６０４）。【０４８２】
受信時間差Ｔｄｉｆｆが、受信時間差閾値Ｔｊｔ未満である場合（ステップＳ４６０４：ＹＥＳ）、サービング基地局２００１は、ＣｏＭＰ伝送方式としてＪＴが可能であると判定する（ステップＳ４６０６）。この場合、ＪＴが実施される。【０４８３】
受信時間差Ｔｄｉｆｆが、受信時間差閾値Ｔｊｔ未満でない場合（ステップＳ４６０４：ＮＯ）、サービング基地局２００１は、ＣｏＭＰ伝送を行わないと判定する（ステップＳ４６０８）。この場合、これまでの通信が維持される。【０４８４】
図４６に示されるフローでは、ユーザ端末における基地局２００１からの受信時間と、基地局２００２からの受信時間との差が算出されたが、基地局２００１と、該基地局２００１とは異なる基地局との間で受信時間差が算出されてもよい。【０４８５】
また、ＣｏＭＰ伝送方法に含まれるＣＳ／ＣＢは、例えば、第１のセルを構成する第１の基地局と、該第１のセルに隣接又は重なる第１のセルとは異なる第２のセルを構成する第２の基地局との間で、セル端に位置するユーザ端末に対する送信が協調して実施される。【０４８６】
協調してスケジューリングされることにより干渉が低減され、協調してビームが作成（ビームフォーミング）されることにより干渉が低減される。【０４８７】
協調してスケジューリングされることはＣＳと呼ばれ、協調してビームが作成されることはＣＢと呼ばれる。【０４８８】
ＣＳ／ＣＢでは、下りリンクのＣｏＭＰ伝送を実施するサービング基地局又はノンサービング基地局のどちらか一方から、ユーザ端末１００へデータ伝送が実施される。従って、ＪＴの場合と比較し、受信時間差閾値Ｔｃｓｃｂは厳しいものとはならない。【０４８９】
受信するビームの切換や基地局の切り換えのための時間が必要となるため、ＪＴの場合の受信時間差閾値Ｔｊｔよりも大きな時間差を設定するのが好ましい。【０４９０】
以上を踏まえて受信時間差閾値Ｔｔｈが設定される。受信時間差閾値Ｔｔｈに基づいて、ＣｏＭＰ伝送が可能か否か判断され、ＣｏＭＰ伝送が可能であると判断された場合に、ノンサービング基地局の選択が行われる。【０４９１】
図４７は、ＣｏＭＰ伝送が可能か否かを判断する際の処理を示す。図４５には、主に、ＣｏＭＰ通信制御部２１４による処理が示される。【０４９２】
サービング基地局２００１は、ユーザ端末から通知されたユーザ端末における基地局２００１（ｅＮＢ１）からの受信時間と、ユーザ端末から通知されたユーザ端末における基地局２００２（ｅＮＢ２）からの受信時間の受信時間差Ｔｄｉｆｆを算出する（ステップＳ４７０２）。【０４９３】
サービング基地局２００１は、受信時間差Ｔｄｉｆｆが、受信時間差閾値Ｔｊｔ未満であるか否かを判定する（ステップＳ４７０４）。【０４９４】
受信時間差Ｔｄｉｆｆが、受信時間差閾値Ｔｊｔ未満である場合（ステップＳ４７０４：ＹＥＳ）、サービング基地局２００１は、ＣｏＭＰ伝送が可能であると判定する（ステップＳ４７０６）。この場合、ＪＴでＣｏＭＰ伝送が実施される。【０４９５】
受信時間差Ｔｄｉｆｆが、受信時間差閾値Ｔｊｔ未満でない場合（ステップＳ４７０４：ＮＯ）、サービング基地局２００１は、ＣＳ／ＣＢでＣｏＭＰ伝送を行うと判定する（ステップＳ４７０８）。【０４９６】
図４７に示されるフローでは、ユーザ端末から通知されたユーザ端末における基地局２００１からの受信時間と、ユーザ端末における基地局２００２からの受信時間との差が算出されたが、基地局２００１と、該基地局２００１とは異なる基地局との間で受信時間差が算出されてもよい。【０４９７】
図４８は、ＣｏＭＰ伝送が可能か否かを判断する際の処理を示す。図４８には、主に、ＣｏＭＰ通信制御部２１４による処理が示される。【０４９８】
サービング基地局２００１は、ユーザ端末から通知されたユーザ端末における基地局２００１（ｅＮＢ１）からの受信時間と、ユーザ端末における基地局２００２（ｅＮＢ２）からの受信時間の受信時間差Ｔｄｉｆｆを算出する（ステップＳ４８０２）。【０４９９】
サービング基地局２００１は、受信時間差Ｔｄｉｆｆが、受信時間差閾値Ｔｃｓｃｂ未満であるか否かを判定する（ステップＳ４８０４）。【０５００】
受信時間差Ｔｄｉｆｆが、受信時間差閾値Ｔｃｓｃｂ未満である場合（ステップＳ４８０４：ＹＥＳ）、サービング基地局２００１は、ＣＳ／ＣＢでＣｏＭＰ伝送が可能であると判定する（ステップＳ４８０６）。この場合、Ｃｓ／ＣＢでＣｏＭＰ伝送が実施される。【０５０１】
受信時間差Ｔｄｉｆｆが、受信時間差閾値Ｔｃｓｃｂ未満でない場合（ステップＳ４８０４：ＮＯ）、サービング基地局２００１は、ＣｏＭＰ伝送を行わないと判定する（ステップＳ４８０８）。この場合、これまでの通信が維持される。【０５０２】
図４８に示されるフローでは、ユーザ端末から通知されたユーザ端末における基地局２００１からの受信時間と、ユーザ端末における基地局２００２からの受信時間との差が算出されたが、基地局２００１と、該基地局２００１とは異なる基地局との間で受信時間差が算出されてもよい。
＜変形例（その５）＞
受信時間差閾値に従って、ＣｏＭＰ伝送方法を切り換えるようにしてもよい。【０５０３】
一例として、ＣｏＭＰ伝送方式として、ＪＴとＣＳ／ＣＢのいずれか一方が使用される場合について説明する。【０５０４】
例えば、ユーザ端末から通知されたユーザ端末における基地局間の受信時間差閾値として、ＪＴを用いた場合に伝送品質劣化のない受信時間差閾値Ｔｊｔが設定される。【０５０５】
サービング基地局のＣｏＭＰ通信制御部２１４は、受信時間差閾値Ｔｊｔに基づいて、ＣｏＭＰ伝送方式を選択する。具体的には、ＣｏＭＰ通信制御部２１４は、受信時間差Ｔｄｉｆｆが受信時間差閾値Ｔｊｔ未満の場合はＪＴを選択し、受信時間差Ｔｄｉｆｆが受信時間差閾値Ｔｊｔ以上の場合はＣＳ／ＣＢを選択する。ＣｏＭＰ通信制御部２１４は、ＣｏＭＰ伝送が可能か否かを判断すると共にＣｏＭＰ伝送方式を選択してもよい。また、ＣｏＭＰ通信制御部２１４は、ＣｏＭＰ伝送が可能か否かを判断し、可能であると判断された場合に、ＣｏＭＰ伝送方式を選択してもよい。また、ＣｏＭＰ通信制御部２１４は、ＣｏＭＰ伝送方式を選択した後に、ＣｏＭＰ伝送が可能か否かを判断してもよい。【０５０６】
また、ＣｏＭＰ通信制御部２１４は、ＣｏＭＰ伝送方式を選択する際に、伝送されるデータのＱｏＳやＱｏＳのクラスに基づいて選択してもよい。例えば、ＱｏＳやＱｏＳのクラスの属性で規定された所要伝送速度や所要最大伝送遅延を満たすためにＪＴを実施しなければならない場合でも、受信時間差Ｔｄｉｆｆが閾値Ｔｊｔ以上である場合には、ＣｏＭＰ伝送を行わない。逆に、受信時間差Ｔｄｉｆｆが閾値Ｔｊｔ未満である場合にはＣｏＭＰ伝送が可能となる。【０５０７】
また、ＪＴ及びＤＣＳのいずれか一方、ＣＳ／ＣＢ及びＤＣＳのいずれか一方をＣｏＭＰ伝送方式として選択するようにしてもよい。【０５０８】
また、上りリンクのＣｏＭＰ伝送についても、ＪＴ及びＣＳのいずれか一方をＣｏＭＰ伝送方式として使用する場合も同様に、サービング基地局と他の基地局間における受信時間の差に対して受信時間差閾値Ｔｊｔが設定される。
＜変形例（その６）＞
ＣｏＭＰ伝送方式毎に受信時間差閾値が設定されてもよい。【０５０９】
一例として、ＪＴ及びＣＳ／ＣＢのいずれか一方をＣｏＭＰ伝送方式として使用する場合について説明する。【０５１０】
例えば、受信時間差閾値として、ＪＴを用いた場合に伝送品質劣化のない受信時間差閾値Ｔｊｔと、ＣＳ／ＣＢを用いた場合に伝送品質劣化のない受信時間差閾値Ｔｃｓｃｂが設定される。【０５１１】
サービング基地局のＣｏＭＰ通信制御部２１４は、受信時間閾値に基づいて、ＣｏＭＰ伝送方式を選択する。具体的には、ＣｏＭＰ通信制御部２１４は、ユーザ端末における受信時間差Ｔｄｉｆｆが受信時間閾値Ｔｊｔ未満の場合はＪＴを選択する。ＣｏＭＰ通信制御部２１４は、受信時間差Ｔｄｉｆｆが受信時間閾値Ｔｊｔ以上受信時間閾値Ｔｃｓｃｂ未満の場合はＣＳ／ＣＢを選択する。ＣｏＭＰ通信制御部２１４は、受信時間差Ｔｄｉｆｆが受信時間閾値Ｔｃｓｃｂ以上の場合、ＣｏＭＰ伝送を行わないと判断する。【０５１２】
図４９は、ＣｏＭＰ伝送が可能か否かを判断する際の処理を示す。図４９には、主に、ＣｏＭＰ通信制御部２１４による処理が示される。【０５１３】
サービング基地局２００１は、ユーザ端末から通知されたユーザ端末における基地局２００１（ｅＮＢ１）からの受信時間と、同じくユーザ端末から通知されたユーザ端末における基地局２００２（ｅＮＢ２）からの受信時間の受信時間差Ｔｄｉｆｆを算出する（ステップＳ４９０２）。【０５１４】
サービング基地局２００１は、ユーザ端末における受信時間差Ｔｄｉｆｆが、受信時間差閾値Ｔｊｔ未満であるか否かを判定する（ステップＳ４９０４）。【０５１５】
ユーザ端末における受信時間差Ｔｄｉｆｆが、受信時間差閾値Ｔｊｔ未満である場合（ステップＳ４９０４：ＹＥＳ）、サービング基地局２００１は、ＪＴでＣｏＭＰ伝送を実施すると判定する（ステップＳ４９０６）。【０５１６】
ユーザ端末における受信時間差Ｔｄｉｆｆが、受信時間差閾値Ｔｊｔ未満でない場合（ステップＳ４９０４：ＮＯ）、サービング基地局２００１は、ユーザ端末における受信時間差Ｔｄｉｆｆが、受信時間差閾値Ｔｃｓｃｂ未満であるか否かを判定する（ステップＳ４９０８）。【０５１７】
ユーザ端末における受信時間差Ｔｄｉｆｆが、受信時間差閾値Ｔｃｓｃｂ未満である場合（ステップＳ４９０８：ＹＥＳ）、サービング基地局２００１は、ＣＳ／ＣＢでＣｏＭＰ伝送を実施すると判定する（ステップＳ４９１０）。【０５１８】
ユーザ端末における受信時間差Ｔｄｉｆｆが、受信時間差閾値Ｔｃｓｃｂ未満でない場合（ステップＳ４９０８：ＮＯ）、サービング基地局２００１は、ＣｏＭＰ伝送を行わないと判定する（ステップＳ４９１２）。この場合、これまでの通信が維持される。【０５１９】
図４９に示されるフローでは、ユーザ端末から通知されたユーザ端末における基地局２００１からの受信時間と、同じくユーザ端末から通知されたユーザ端末における基地局２００２からの受信時間との差が算出されたが、ユーザ端末から通知されたユーザ端末における基地局２００１と、ユーザ端末から通知されたユーザ端末における該基地局２００１とは異なる基地局との間で受信時間差が算出されてもよい。【０５２０】
また、ＪＴ及びＤＣＳのいずれか一方を使用する場合にも、受信時間差閾値を設定するようにしてもよい。また、ＪＴ、ＤＳＣ、及びＣＳ／ＣＢのいずれか１つでＣｏＭＰ伝送方式を使用する場合にも同様に、それぞれの受信時間差閾値を設定するようにしてもよい。【０５２１】
さらに、上りリンクのＣｏＭＰ伝送についても、ＪＲ及びＣＳのいずれか一方でＣｏＭＰ伝送を実施する場合にもサービング基地局と他の基地局間における受信時間の差に対して受信時間差閾値Ｔｊｔを設定するようにしてもよい。このようにすることにより、下りリンクと同様に上りリンクについても、ＣｏＭＰ伝送方式を選択できる。【０５２２】
上述した実施例、変形例によれば、主たる基地局と、該主たる基地局とは異なる他の基地局とを含む複数の基地局と、移動局との間で協調通信を行う無線通信システムは示される。該無線通信システムは、協調通信において送信側となる局と受信側となる局との組を確立する際に、協調通信の受信側となる局が、他局からの要求信号応じて送信側となる局からの既知信号であるパイロットを測定した結果に関する情報を、主たる基地局に送信する。【０５２３】
上り方向の協調通信の場合に、主たる基地局から協調通信の開始要求が移動局に送信される。上り方向の協調通信の場合には、送信側となる局は移動局であり、受信側となる局は基地局及び他の基地局となる。つまり、この場合には、「協調通信の受信側となる局」に「他の基地局」が含まれ、「他局」に「主たる基地局」が含まれ、「送信側となる局」に「移動局」が含まれる。【０５２４】
本実施例によれば、基地局間協調通信が可能か否かを判断することができる。また、基地局間協調通信を実施できる。さらに、受信時間差を用いて基地局間協調通信が可能か否かを判断できる。【０５２５】
また、基地局間協調通信で用いるＣＰを選択できる。
【符号の説明】
【０５２６】
１００  ユーザ端末
１０２  受信無線部
１０４  ＣｏＭＰ受信処理部
１０６  復調部
１０８  復号部
１１０  無線回線品質測定要求抽出部
１１２  無線回線品質測定算出部
１１４  送受信制御信号抽出部
１１６  上りＰｉｌｏｔ送信要求抽出部
１１８  ＣｏＭＰ伝送実施通知抽出部
１２０  送受信制御部
１２２  ＣｏＭＰ通信制御部
１２４  送信データバッファ
１２６  無線回線品質情報作成部
１２８  Ｐｉｌｏｔ作成部
１３０  符号化部
１３２  変調部
１３４  ＣｏＭＰ送信処理部
１３６  送信無線部
１３８  伝送速度算出部
１４０  ＣｏＭＰ伝送要求信号作成部
１４２  受信時間差測定要求抽出部
１４４  受信時間差測定算出部
１４６  受信時間差情報作成部
１４８  ノンサービング基地局情報作成部
１５０  ＣＰ制御部
２００ｎ（ｎは、ｎ＞１の整数）  基地局
２０２  受信無線部
２０４  ＣｏＭＰ受信処理部
２０６  復調部
２０８  復号部
２１０  無線回線品質情報抽出部
２１２  スケジューラ
２１４  ＣｏＭＰ通信制御部
２１６  無線回線品質測定算出部
２１８  送信データバッファ
２２０  下りＰｉｌｏｔ作成部
２２２  上りＰｉｌｏｔ送信要求作成部
２２４  ＣｏＭＰ伝送実施通知作成部
２２６  無線回線品質測定要求作成部
２２８  制御信号作成部
２３０  符号化部
２３２  変調部
２３４  ＣｏＭＰ送信処理部
２３６  送信無線部
２３８  ＣｏＭＰ伝送要求信号抽出部
２４０  受信時間差情報抽出部
２４２  受信時間差測定要求作成部
２４４  受信時間差測定算出部
２４６  ノンサービング基地局情報抽出部
２４８  ＣＰ制御部
【図１】
2013024522.tif 000003
【図２】
2013024522.tif 000004
【図３】
2013024522.tif 000005
【図４】
2013024522.tif 000006
【図５】
2013024522.tif 000007
【図６】
2013024522.tif 000008
【図７】
2013024522.tif 000009
【図８】
2013024522.tif 000010
【図９】
2013024522.tif 000011
【図１０】
2013024522.tif 000012
【図１１】
2013024522.tif 000013
【図１２】
2013024522.tif 000014
【図１３】
2013024522.tif 000015
【図１４】
2013024522.tif 000016
【図１５】
2013024522.tif 000017
【図１６】
2013024522.tif 000018
【図１７】
2013024522.tif 000019
【図１８】
2013024522.tif 000020
【図１９】
2013024522.tif 000021
【図２０】
2013024522.tif 000022
【図２１】
2013024522.tif 000023
【図２２】
2013024522.tif 000024
【図２３】
2013024522.tif 000025
【図２４】
2013024522.tif 000026
【図２５】
2013024522.tif 000027
【図２６】
2013024522.tif 000028
【図２７】
2013024522.tif 000029
【図２８】
2013024522.tif 000030
【図２９】
2013024522.tif 000031
【図３０】
2013024522.tif 000032
【図３１】
2013024522.tif 000033
【図３２】
2013024522.tif 000034
【図３３】
2013024522.tif 000035
【図３４】
2013024522.tif 000036
【図３５】
2013024522.tif 000037
【図３６】
2013024522.tif 000038
【図３７】
2013024522.tif 000039
【図３８】
2013024522.tif 000040
【図３９】
2013024522.tif 000041
【図４０】
2013024522.tif 000042
【図４１】
2013024522.tif 000043
【図４２】
2013024522.tif 000044
【図４３】
2013024522.tif 000045
【図４４】
2013024522.tif 000046
【図４５】
2013024522.tif 000047
【図４６】
2013024522.tif 000048
【図４７】
2013024522.tif 000049
【図４８】
2013024522.tif 000050
【図４９】
2013024522.tif 000051
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
主たる基地局と、該主たる基地局とは異なる他の基地局とを含む複数の基地局と、移動局との間で協調通信を行う無線通信システムであって、
前記協調通信において送信側となる局と受信側となる局との組を確立する際に、前記協調通信の受信側となる局が、他局からの要求信号応じて前記送信側となる局からの既知信号であるパイロットを測定した結果に関する情報を、前記主たる基地局に送信する、無線通信システム。
【請求項２】
前記測定した結果に関する情報を受信した主たる基地局は、該測定した結果に関する情報を基に前記協調通信の実施を通知する、請求項１に記載の無線通信システム。
【請求項３】
前記協調通信の受信側となる局が前記主たる基地局に対して送信する前記測定した結果に関する情報は、前記協調通信の受信側となる局が前記既知信号を受信したタイミングを含む、請求項１又は２に記載の無線通信システム。
【請求項４】
前記協調通信の受信側となる局が前記主たる基地局に対して送信する前記測定した結果に関する情報は、前記協調通信の受信側となる局が前記既知信号を受信したタイミングを含み、
前記測定した結果に関する情報を受信した主たる基地局は、前記測定した結果に関する情報に含まれる既知信号を受信したタイミングに基づいて求められる前記送信側となる局間における前記既知信号の受信時間差に基づいて前記送信側となる局及び受信側となる局に対して、前記協調通信の実施を通知する、請求項１に記載の無線通信システム。
【請求項５】
前記測定した結果に関する情報を受信した主たる基地局は、前記測定した結果に関する情報に応じて前記送信側となる局及び受信側となる局に対して、前記測定した結果に関する情報に応じた無線フレームの構造を表す情報を通知する、請求項１ないし４のいずれか１項に記載の無線通信システム。
【請求項６】
前記送信側となる局が、前記受信側となる局からの協調通信を要求する信号に従って、前記受信側となる局に対して要求信号を送信する、請求項１に記載の無線通信システム。
【請求項７】
前記協調通信の実施を通知した主たる基地局は、該協調通信の実施を通知した送信側となる局に、受信側となる局に送信すべきデータを送信する、請求項２に記載の無線通信システム。
【請求項８】
前記主たる基地局は、前記移動局と接続されている基地局である、請求項１に記載の無線通信システム。
【請求項９】
主たる基地局と、該主たる基地局とは異なる他の基地局とを含む複数の基地局と、移動局との間で協調通信を行う無線通信システムにおける通信方法であって、
前記協調通信において送信側となる局と受信側となる局との組を確立する際に、前記協調通信の受信側となる局が、他局からの要求信号に応じて前記送信側となる局からの既知信号であるパイロットを測定した結果に関する情報を、前記主たる基地局に送信する、通信方法。
【国際調査報告】
2013024522.tif 000052
2013024522.tif 000053
2013024522.tif 000054
2013024522.tif 000055